(57)【要約】  内部雰囲気を有するマンホール地中箱と共に、かつ任意追加的に地中箱を外部雰囲気に接続する換気筒と共に、使用するためのシステム。システムは、マンホール蓋、換気パイプ、及び対流組立体を含む。蓋は、上面と底面の間に延在する１つまたは複数の貫通孔を有する。貫通孔（複数可）のそれぞれは、上面において外部雰囲気と流体連通する。パイプは、第１の開口部と第２の開口部との間に延在する貫通チャネルを有する。第１の開口部は、換気筒への開口部または蓋の底面の貫通孔（複数可）のうちの少なくとも１つのいずれかの近位に位置決めされている。第２の開口部は、地中箱の室内に位置決めされている。装置は、内部雰囲気及び外部雰囲気のうちの１つの一部分を、内部雰囲気及び外部雰囲気のうちの異なる１つに向かって、貫通チャネルを貫流させるように構成されている。
2018520279.tif 000002
【特許請求の範囲】
【請求項１】
マンホール地中箱及び前記マンホール地中箱の外側の外部雰囲気と共に使用するためのシステムであって、前記マンホール地中箱が、室内と前記室内へのアクセスを提供するマンホール開口部とを有し、前記室内が、内部雰囲気を含み、前記システムが、
前記マンホール開口部内に位置決めされたマンホール蓋であって、前記マンホール蓋が、１つまたは複数の貫通孔が間に延在する上面及び底面を有し、前記１つまたは複数の貫通孔のそれぞれが、前記上面で前記外部雰囲気と流体連通した、マンホール蓋と、
第１の開口部、第２の開口部、及び前記第１の開口部と前記第２の開口部との間に延在する室内貫通チャネルを有する換気パイプであって、前記第１の開口部が、前記マンホール蓋の前記底面で前記１つまたは複数の貫通孔のうちの少なくとも１つの選択されたものの近位に位置決めされ、前記第２の開口部が、前記マンホール地中箱の前記室内に位置決めされ、前記室内貫通チャネルが、前記内部雰囲気と前記マンホール蓋の前記少なくとも１つの選択された貫通孔との間の流体連通を提供する、換気パイプと、
前記内部雰囲気及び前記外部雰囲気のうちの第１の雰囲気の一部分を、前記内部雰囲気及び前記外部雰囲気のうちの異なる第２の雰囲気に向かって、前記換気パイプの前記室内貫通チャネルを貫流させる対流装置と、を備えた、システム。
【請求項２】
前記１つまたは複数の貫通孔が、排気孔を備え、
前記第１の雰囲気が、前記内部雰囲気であり、
前記第２の雰囲気が、前記外部雰囲気であり、
前記内部雰囲気の前記一部分が、前記換気パイプの前記第２の開口部に進入し、前記外部雰囲気に向かって前記換気パイプの前記室内貫通チャネルを貫流し、前記第１の開口部を通じて前記室内貫通チャネルを退出して、
前記換気パイプの前記第１の開口部を退出する前記一部分が、前記排気孔に進入し、前記排気孔を通って移動し、前記外部雰囲気に進入する、請求項１に記載のシステム。
【請求項３】
前記１つまたは複数の貫通孔が、換気孔を備え、
前記外部雰囲気の一部分が、前記換気孔を介して前記マンホール地中箱の前記室内に進入する、請求項２に記載のシステム。
【請求項４】
前記１つまたは複数の貫通孔が、換気孔を備え、
前記第１の雰囲気が、前記外部雰囲気であり、
前記第２の雰囲気が、前記内部雰囲気であり、
前記外部雰囲気の前記一部分が、前記換気孔に進入し、前記換気孔を通って移動し、前記換気パイプの前記第１の開口部に進入し、
前記換気パイプの前記第１の開口部に進入する前記一部分が、前記内部雰囲気に向かって前記換気パイプの前記室内貫通チャネルを貫流し、前記第２の開口部を通じて前記室内貫通チャネルを退出し、前記内部雰囲気に進入する、請求項１に記載のシステム。
【請求項５】
前記１つまたは複数の貫通孔が、排気孔を備え、
前記内部雰囲気の一部分が、前記排気孔を介して前記マンホール地中箱の前記室内から退出する、請求項４に記載のシステム。
【請求項６】
前記１つまたは複数の貫通孔が、複数の換気孔及び複数の排気孔を備え、
前記外部雰囲気の一部分が、前記複数の換気孔を介して前記マンホール地中箱の前記室内に進入し、
前記内部雰囲気の一部分が、前記複数の排気孔を介して前記マンホール地中箱の前記室内から退出する、請求項１から５のいずれか１項に記載のシステム。
【請求項７】
前記上面が、全表面積を有し、
前記全表面積の少なくとも５％が、前記複数の換気孔により占められた、請求項６に記載のシステム。
【請求項８】
前記上面が、全表面積を有し、
前記全表面積の少なくとも５％が、前記複数の排気孔により占められた、請求項６または７に記載のシステム。
【請求項９】
前記対流装置が、加熱装置及びファンのうちの少なくとも一方を備えた、請求項１から８のいずれか１項に記載のシステム。
【請求項１０】
前記換気パイプが、複数の異なる部位を備え、前記対流装置が、前記複数の異なる部位のうちの２つの隣接する部位の間に設置された、請求項１から９のいずれか１項に記載のシステム。
【請求項１１】
前記１つまたは複数の貫通孔のそれぞれに対応する孔栓であって、各前記孔栓と前記上面との間に流体流経路が画定された、孔栓、をさらに備えた、請求項１から１０のいずれか１項に記載のシステム。
【請求項１２】
前記換気パイプが、第１の端部を有し、
前記第１の開口部が、前記第１の端部に、または前記第１の端部の近くに形成され、
前記システムが、前記換気パイプの前記第１の端部を前記マンホール蓋の前記底面に着脱可能に接続する連結器をさらに備えた、請求項１から１１のいずれか１項に記載のシステム。
【請求項１３】
前記換気パイプが、第１の端部を有し、
前記第１の開口部が、前記第１の端部に、または前記第１の端部の近くに形成され、
前記システムが、前記マンホール蓋の前記底面に取り付けられたマニホールドをさらに備え、前記マニホールドが、前記少なくとも１つの選択された貫通孔と流体連通したポートを備え、前記換気パイプの前記第１の端部が、前記第１の開口部が前記ポートと流体連通した状態で前記マニホールドに着脱可能に接続された、請求項１から１２のいずれか１項に記載のシステム。
【請求項１４】
前記マンホール蓋が、複数の支持リブを有する中央凹部を備え、
前記少なくとも１つの選択された貫通孔が、前記中央凹部内に形成され、
前記システムが、孔キャップであって、前記複数の支持リブに連結されて前記中央凹部と前記孔キャップとの間の流路を画定する、孔キャップ、をさらに備え、前記流路への開口部が、前記孔キャップが前記複数の支持リブに連結されるとき前記孔キャップと前記マンホール蓋との間に画定され、前記流路が、前記少なくとも１つの選択された貫通孔と流体連通した、請求項１から１３のいずれか１項に記載のシステム。
【請求項１５】
前記マンホール蓋が、前記１つまたは複数の貫通孔のうちの少なくとも１つを取り囲むかさ上げ壁を備えた、請求項１から１４のいずれか１項に記載のシステム。
【請求項１６】
前記マンホール蓋が、複数のかさ上げ壁を備え、
各かさ上げ壁が、前記１つまたは複数の貫通孔の少なくとも１つを少なくとも部分的に取り囲む、請求項１から１５のいずれか１項に記載のシステム。
【請求項１７】
勾配を有する表面と共に使用するためのシステムであって、前記マンホール蓋が、前記１つまたは複数の貫通孔の少なくとも１つを少なくとも部分的に取り囲むかさ上げ壁を備え、前記表面の前記勾配と一直線に整列された、請求項１から１６のいずれか１項に記載のシステム。
【請求項１８】
少なくとも１つの管路により第２のマンホール地中箱に接続された第１のマンホール地中箱である前記マンホール地中箱と共に使用するためのシステムであって、前記対流装置が、前記少なくとも１つの管路を介して前記第１のマンホール地中箱と前記第２のマンホール地中箱との間に気流を引き起こす、請求項１から１７のいずれか１項に記載のシステム。
【請求項１９】
第１のマンホール地中箱内に開口部を有する管路により第２のマンホール地中箱に接続された前記第１のマンホール地中箱である前記マンホール地中箱と共に使用するためのシステムであって、前記換気パイプの前記第２の開口部が、前記管路の前記開口部の近くに位置決めされた、請求項１から１８のいずれか１項に記載のシステム。
【請求項２０】
少なくとも１つの管路により複数のマンホール地中箱に相互接続された前記マンホール地中箱と共に使用するためのシステムであって、前記１つまたは複数の貫通孔が、排気孔及び換気孔を備え、
前記対流装置が、前記少なくとも１つの管路を介して前記複数のマンホール地中箱のうちの１つまたは複数から前記内部雰囲気内に空気を引き込み、前記排気孔を介して前記内部雰囲気の前記一部分を前記外部雰囲気内に排出し、
前記換気孔が、前記外部雰囲気の一部分が前記マンホール地中箱の前記室内に進入することを可能にし、
前記排気孔が、ガス流出のために利用可能な全開放面積を有し、
前記換気孔が、ガス流入のために利用可能な全開放面積を有し、
前記ガス流入のために利用可能な全開放面積が、前記ガス流出のために利用可能な全開放面積未満である、請求項１から１９のいずれか１項に記載のシステム。
【請求項２１】
前記換気パイプが、前記室内貫通チャネルの少なくとも一部分を画定する少なくとも１つの側壁を備え、
前記換気パイプが、前記少なくとも１つの側壁内に形成された複数の側方貫通孔を備えた、請求項１から２０のいずれか１項に記載のシステム。
【請求項２２】
前記換気パイプが、第２の端部を有し、
前記第２の開口部が、前記第２の端部に、または前記第２の端部の近くに形成され、
前記複数の側方貫通孔の前記換気パイプの前記第２の端部からの距離が増大するにつれて、前記複数の側方貫通孔のサイズが減少する、請求項２１に記載のシステム。
【請求項２３】
前記換気パイプが、前記複数の側方貫通孔のそれぞれを部分的に閉塞する異なるフラップ部分を有する、請求項２１または２２に記載のシステム。
【請求項２４】
床部を有するマンホール地中箱と共に使用するためのシステムであって、前記換気パイプが、第２の端部を有し、
前記第２の開口部が、前記第２の端部に、または前記第２の端部の近くに形成され、
前記換気パイプの前記第２の端部が、前記床部の上方約２４インチ（６０．９６ｃｍ）未満に位置決めされた、請求項１から２３のいずれか１項に記載のシステム。
【請求項２５】
前記換気パイプが、第２の端部を有し、
前記システムが、前記第２の端部に連結された浮遊物組立体をさらに備え、
前記浮遊物組立体が、前記マンホール地中箱内の水の上に浮遊し、
前記第２の開口部が、前記第２の端部に、または前記第２の端部の近くに形成され、
前記浮遊物組立体が、前記マンホール地中箱内の前記水の表面高さの上方に前記第２の開口部を位置決めする、請求項１から２４のいずれか１項に記載のシステム。
【請求項２６】
前記換気パイプが、第２の端部を有し、
前記換気パイプが、前記室内貫通チャネルの少なくとも一部分を画定する少なくとも１つの側壁を備え、
前記換気パイプが、前記少なくとも１つの側壁内に形成された複数の側方貫通孔を備え、
前記システムが、
（ａ）前記換気パイプの前記第２の端部の近位の前記換気パイプの一部分を被覆する円筒状の蛇腹であって、前記複数の側方貫通孔のうちの選択されたものが、前記換気パイプの被覆部分内に形成され、前記蛇腹が、前記選択された側方貫通孔と前記内部雰囲気との間の流体連通を提供する穴を有する下方部分を有する、円筒状の蛇腹と、
（ｂ）前記蛇腹の前記下方部分に取り付けられた浮遊物であって、前記マンホール地中箱内の水の上に浮遊し、より多くの水が前記マンホール地中箱に進入するにつれて前記水の高さと共に上昇し、前記水の高さが上昇するにつれて前記蛇腹を圧縮し、前記浮遊物が前記水の高さと共に上昇するにつれて前記穴を上昇させる、浮遊物と、を備えた浮遊物組立体をさらに備えた、請求項１から２５のいずれか１項に記載のシステム。
【請求項２７】
前記マンホール開口部内に位置決めされた環状支持体と、
前記環状支持体と前記マンホール蓋との間に位置決めされたシールと、をさらに備えた、請求項１から２６のいずれか１項に記載のシステム。
【請求項２８】
ある表面内に形成された前記マンホール開口部と共に使用するためのシステムであって、
前記マンホール開口部内に位置決めされた環状支持体であって、前記環状支持体が、前記マンホール開口部内で前記マンホール蓋を支持する出張りと、前記表面に隣接する外部部分と、を有し、前記外部部分が、部分的な堰堤または部分的な堀を備えた治水特徴部を有する、環状支持体、をさらに備えた、請求項１から２７のいずれか１項に記載のシステム。
【請求項２９】
傾斜を有する前記表面と共に使用するためのシステムであって、前記治水特徴部が、中間点を有し、
前記マンホール蓋が、中心を有し、
前記中間点から前記マンホール蓋の前記中心への方向が、前記表面の前記傾斜と一直線に整列された、請求項２８に記載のシステム。
【請求項３０】
傾斜を有する表面内に形成された前記マンホール開口部と共に使用するためのシステムであって、部分的な堀が、前記マンホール開口部の横側の前記表面内に形成され、
前記部分的な堀が、中間点を有し、
前記マンホール蓋が、中心を有し、
前記中間点から前記マンホール蓋の前記中心への方向が、前記表面の前記傾斜と一直線に整列された、請求項１から２９のいずれか１項に記載のシステム。
【請求項３１】
前記対流装置の動作を制御するタイマーをさらに備えた、請求項１から３０のいずれか１項に記載のシステム。
【請求項３２】
前記マンホール蓋の前記上面が、円蓋状である、請求項１から３１のいずれか１項に記載のシステム。
【請求項３３】
前記マンホール蓋の前記上面が、円蓋状であり、
前記円蓋状の上面が、中央部分の近くで第１の高さを有し、
前記円蓋状の上面が、第２の高さを有する周縁部に向かって下向きに湾曲し、
前記第１の高さが、前記第２の高さより少なくとも約１／８インチ（０．３１７５ｃｍ）高い、請求項１から３２のいずれか１項に記載のシステム。
【請求項３４】
前記対流装置が、ハウジング及び少なくとも１つのファンを備え、
前記ハウジングが、水中に没するとき、中に空気をせき止め、
前記ハウジングが前記水中に没するとき、前記少なくとも１つのファンが、前記せき止められた空気の内側に位置する、請求項１から３３のいずれか１項に記載のシステム。
【請求項３５】
前記ハウジングが、
開口した第２の端部に対向する開口した第１の端部を有する外側ハウジング体と、
開口した第２の端部に対向する開口した第１の端部を有する内側ハウジング体であって、前記外側ハウジング体の前記開口した第１の端部から前記外側ハウジング体の前記開口した第２の端部に向かって途中まで延在する、内側ハウジング体と、
前記外側ハウジング体の前記開口した第１の端部と前記内側ハウジング体の前記開口した第１の端部との間に延在するハウジング蓋と、を備え、前記空気が、前記外側ハウジング体と前記内側ハウジング体との間でせき止められる、請求項３４に記載のシステム。
【請求項３６】
前記対流装置が、前記内部雰囲気を１日以内に完全に取り替えるのに十分な気流を生成する、請求項１から３５のいずれか１項に記載のシステム。
【請求項３７】
前記対流装置が、前記内部雰囲気を１時間以内に完全に取り替えるのに十分な気流を生成する、請求項１から３６のいずれか１項に記載のシステム。
【請求項３８】
前記対流装置が、冗長性を提供する複数のファンまたは複数のヒーターを備えた、請求項１から３７のいずれか１項に記載のシステム。
【請求項３９】
前記対流装置が、約１００ワット超または約４００ワット超の出力を提供するヒーターを備えた、請求項１から３８のいずれか１項に記載のシステム。
【請求項４０】
前記対流装置が、前記マンホール地中箱の前記室内から望まないガス組成物を所定量の時間内に取り除く、請求項１から３９のいずれか１項に記載のシステム。
【請求項４１】
マンホール地中箱、換気筒、及び前記マンホール地中箱の外側の外部雰囲気と共に使用するためのシステムであって、前記マンホール地中箱が、室内と前記室内へのアクセスを提供するマンホール開口部とを有し、前記室内が、内部雰囲気を含み、前記換気筒が、前記内部雰囲気と流体連通した第１の筒開口部と前記外部雰囲気と流体連通した第２の筒開口部とを有し、前記システムが、
前記マンホール開口部内に位置決めされたマンホール蓋であって、前記マンホール蓋が、１つまたは複数の貫通孔が間に延在する上面及び底面を有し、前記１つまたは複数の貫通孔のそれぞれが、前記上面で前記外部雰囲気と流体連通した、マンホール蓋と、
第１の開口部、第２の開口部、及び前記第１の開口部と前記第２の開口部との間に延在する室内貫通チャネルを有する換気パイプであって、前記第１の開口部が、前記第１の筒開口部の近位に位置決めされ、前記第２の開口部が、前記マンホール地中箱の前記室内に位置決めされ、前記室内貫通チャネルが、前記内部雰囲気と前記第１の筒開口部との間の流体連通を提供する、換気パイプと、
前記内部雰囲気及び前記外部雰囲気のうちの第１の雰囲気の一部分を、前記内部雰囲気及び前記外部雰囲気のうちの異なる第２の雰囲気に向かって、前記換気パイプの前記室内貫通チャネルを貫流させる対流装置と、を備えた、システム。
【請求項４２】
前記１つまたは複数の貫通孔が、排気孔を備え、
前記第１の雰囲気が、前記外部雰囲気であり、
前記第２の雰囲気が、前記内部雰囲気であり、
前記外部雰囲気の前記一部分が、前記第１の筒開口部から前記換気パイプの前記第１の開口部に流れ込み、前記第２の開口部に向かって前記換気パイプの前記室内貫通チャネルを貫流し、前記第２の開口部を通じて前記室内貫通チャネルを退出して、
前記内部雰囲気の一部分が、前記排気孔を介して前記マンホール地中箱の前記室内からの出口から退出して、前記外部雰囲気に進入する、請求項４１に記載のシステム。
【請求項４３】
前記１つまたは複数の貫通孔が、換気孔を備え、
前記第１の雰囲気が、前記内部雰囲気であり、
前記第２の雰囲気が、前記外部雰囲気であり、
前記内部雰囲気の前記一部分が、前記換気パイプの前記第２の開口部に進入し、前記換気パイプの前記室内貫通チャネルを貫流し、前記第１の開口部を通じて前記室内貫通チャネルを退出して、前記第１の筒開口部に進入し、
前記外部雰囲気の一部分が、前記換気孔を介して前記マンホール地中箱の前記室内に進入する、請求項４１に記載のシステム。
【請求項４４】
前記対流装置が、加熱装置及びファンのうちの少なくとも一方を備えた、請求項４１から４３のいずれか１項に記載のシステム。
【請求項４５】
前記換気パイプが、複数の異なる部位を備え、前記対流装置が、前記複数の異なる部位のうちの２つの隣接する部位の間に設置された、請求項４１から４４のいずれか１項に記載のシステム。
【請求項４６】
少なくとも１つの管路により第２のマンホール地中箱に接続された第１のマンホール地中箱である前記マンホール地中箱と共に使用するためのシステムであって、前記対流装置が、前記少なくとも１つの管路を介して前記第１のマンホール地中箱と前記第２のマンホール地中箱との間に気流を引き起こす、請求項４１から４５のいずれか１項に記載のシステム。
【請求項４７】
第１のマンホール地中箱内に開口部を有する管路により第２のマンホール地中箱に接続された前記第１のマンホール地中箱である前記マンホール地中箱と共に使用するためのシステムであって、前記換気パイプの前記第２の開口部が、前記管路の前記開口部の近くに位置決めされた、請求項４１から４６のいずれか１項に記載のシステム。
【請求項４８】
前記対流装置の動作を制御するタイマーをさらに備えた、請求項４１から４７のいずれか１項に記載のシステム。
【請求項４９】
前記対流装置が、冗長性を提供する複数のファンまたは複数のヒーターを備えた、請求項４１から４８のいずれか１項に記載のシステム。
【請求項５０】
前記対流装置が、前記マンホール地中箱の前記室内から望まないガス組成物を所定量の時間内に取り除く、請求項４１から４９のいずれか１項に記載のシステム。
【発明の詳細な説明】
【技術分野】
【０００１】
本発明は、一般的に、マンホール地中箱などの地下チャンバを喚起するための方法及び装置に関する。
【背景技術】
【０００２】
関連技術の説明
水、下水道、天然ガス、電気、電話、ケーブル、及び蒸気などの地下埋設物は、発展した社会における現代的な生活に不可欠なものを供給する一般的な手段である。図１を参照すると、このような埋設物は、しばしば、１つまたは複数の管路２０Ａ〜２０Ｃにより相互接続された複数の実質的に同一の地下チャンバまたはマンホール地中箱１２及び１４を含む地下システム１０を通じて送られる。地中箱１２及び１４はそれぞれ、クリティカルな制御設備、監視設備、及び適切なネットワーク接続を収納するように構成され得る。
【０００３】
図１に示すように、地中箱１２及び１４ならびに管路（複数可）２０Ａ〜２０Ｃは、街路または歩道の高さ（面３０として特定される）の下方に位置決めされている。図１では、システム１０の２つの地中箱１２及び１４のみが、例示されている。しかしながら、システム１０は、それぞれ地中箱１２及び１４のうちの１つに実質的に類似した任意の数の地中箱を含み得る。同様に、３つの管路２０Ａ〜２０Ｃのみが例示されている。しかしながら、システム１０は、それぞれ管路２０Ａ〜２０Ｃのうちの１つに実質的に類似した任意の数の管路を含み得る。
【０００４】
地中箱１２及び１４は実質的に互いに同一であるため、簡潔性のため、地中箱１２のみを詳細に説明する。図１では、地中箱１２内に一般的に見出される設備（例えば、電気設備）は、明瞭性のため省略されている。地中箱１２は、直方体形状の主チャンバ５２を有する室内５０を有する。主チャンバ５２は、天井５６と床部５８との間に延在する１つまたは複数の側壁５４により画定されている。管路２０Ａ〜２０Ｃは、主チャンバ５２を少なくとも部分的に通過してもよい。１つまたは複数の壁部（２）６４により画定される円筒状通路６０（「首部」とも呼ばれる）は、表面３０から主チャンバ５２への人員アクセス（例えば、作業者６１のための）を提供する。首部６０は、通常、直径約３フィートであり、一般的に表面３０の下方へ少なくとも約３フィート延在する。首部６０は、マンホール６２につながり、マンホール６２は、伝統的に通気孔付きマンホール蓋７０（図２を参照）などの従来のマンホール蓋により覆われる。図２に例示する通気孔付きマンホール蓋７０は、ニューヨークのＣｏｎｓｏｌｉｄａｔｅｄ  Ｅｄｉｓｏｎ（「ＣｏｎＥｄ」）によりしばしば用いられるデザインである。マンホール蓋（例えば、図２に例示する通気孔付きマンホール蓋７０）は、マンホール６２の陥凹部６３内にはめ込まれ、歩行者及び車両の交通に対してある程度の安全性を提供する。
【０００５】
地下システムは、都市環境において限られた表面及び空域を効率的に使用し、郊外環境において美観を維持するため、地下電気埋設物は、典型的に地上システムよりも好まれる。地下システムは、一般的に高架回路より安全であり、良好に維持されるとき、信頼性あるサービスを公衆に提供する。
【０００６】
残念ながら、地下電気埋設物は、人家のある区域の近位で火災及び／または爆発の危険も引き起こす。例えば、管路２０Ａ〜２０Ｃは、電気ケーブルを相互接続するための地中箱１２と１４との間の通路を提供する一方、管路２０Ａ〜２０Ｃは、空気、ガス、蒸気、及び水が地中箱１２及び１４の室内５０に進入することも可能にする。表面形状、地下水面、及び最近の降水によっては、このような地下の地中箱及び管路が水で一杯になることは、まれではない。水は、蓋を通じても進入する。水は、ダクト内のケーブルのトラッキング（すなわち、劣化した断熱材に沿った放電）、ならびに地中箱１２及び１４のうちの１つまたは複数の内側での電気設備故障を通じて、断熱材の電気化学的破損が発生することを可能にし、これが、地中箱１２及び１４のうちの１つまたは複数内において有害濃度の爆発性ガス及び可燃性ガスを生成する。空気を地中箱１２から完全に排除することは決してできないため、マンホール事象が生じ得る。マンホール事象は、軽微な事件（煙または小規模火災など）及び／または重大な事象（持続的な火災または爆発など）の両方を含む。最善の場合、軽微な事件は、停電を引き起こす可能性がある。最悪の場合、爆発などの重大事象は、時としてマンホール蓋を上空へ推進し、物的損害、傷害、及び死さえも引き起こし得る。
【０００７】
Ｒｕｄｉｎ  ｅｔ  ａｌ．による論文（「Ａ  ｐｒｏｃｅｓｓ  ｆｏｒ  ｐｒｅｄｉｃｔｉｎｇ  ｍａｎｈｏｌｅ  ｅｖｅｎｔｓ  ｉｎ  Ｍａｎｈａｔｔａｎ」、Ｍａｃｈ  Ｌｅａｒｎ（２０１０）８０：１〜３１）によると、ＣｏｎＥｄ（ニューヨーク）システム内の全２５０，０００個のマンホールについて、２００６に終わる１０年の期間にわたって、６６７０件の「深刻事象チケット」があった。言い換えれば、所与の年にあるマンホールに深刻な事象が起きる見込みは、約３７５分の１である。この範囲内の発生率は、最低限でも、マンホール地中箱の定期的な点検及び保守の必要性を示唆する。驚くべきことに、ワシントンＤＣの公益事業体のために作成された報告書は、このような定期訪問は重大事象の発生率を低減しないと指摘している（Ｓｉｅｍｅｎｓ，Ｉｎｃ．、Ｒｅｐｏｒｔ  ＃Ｒ５５−１１、「Ｉｎｖｅｓｔｉｇａｔｉｏｎ  ｏｆ  Ｍａｎｈｏｌｅ  Ｉｎｃｉｄｅｎｔｓ  Ｏｃｃｕｒｒｉｎｇ  Ａｒｏｕｎｄ  ａｎｄ  ｉｎ  ｔｈｅ  Ｕｎｄｅｒｇｒｏｕｎｄ  Ｄｉｓｔｒｉｂｕｔｉｏｎ  Ｓｙｓｔｅｍ  ｏｆ  ｔｈｅ  Ｐｏｔｏｍａｃ  Ｅｌｅｃｔｒｉｃ  Ｐｏｗｅｒ  Ｃｏｍｐａｎｙ」、２０１１年６月３０日）。よって、他のより積極的な方策がしばしば用いられるが、以下の例において述べるように、それぞれが少なくとも１つの重大な短所を有することが示されている。
【０００８】
例えば、爆発の場合にマンホール蓋がつなぎ鎖の長さを超えて打ち上げられることを防止するために、マンホール蓋は、（例えば、表面３０に）つながれてもよい。残念ながら、このアプローチは、容認できない公害または少なくとも迷惑を引き起こす煙及び／または火炎がマンホールから漏れ出ることを防止しない。
【０００９】
別のアプローチは、典型的に重い金属マンホール蓋の代わりに軽量マンホール蓋を代用することである。爆発の場合、軽量マンホール蓋はより迅速に持ち上がるため、このアプローチは、構造物、車両、及び人々に対する損害を低減することができる。しかし、上述のつなぎ鎖のアプローチと同様に、煙及び火炎の問題は残る。このアプローチのさらなる欠点としては、初期コストと耐用年数の不確かさとが挙げられる。
【００１０】
電子センサを使用して地中箱環境を監視し、警報を送信することを示唆する者もいるが、この軽減方法は、相対的に高価である。さらに、地中箱の内側の通常苛酷な環境及び要求される長期寿命を考慮すると、用いられる電子機器は、やや信頼性に欠ける。
【００１１】
さらに別のアプローチは、地中箱１２と１４との間を走る（電気ケーブルを収容し得る）管路２０Ａ〜２０Ｃを封止し、その中への空気の進入を最小化することであり、これは、管路２０Ａ〜２０Ｃの内側に、燃料リッチかつ酸素枯渇の環境を生み出す。残念ながら、この燃料リッチな環境は可燃性ガスを含み、可燃性ガスは、最終的に管路２０Ａ〜２０Ｃの外部への出口を見出し（閉栓されているか否かにかかわらず）、管路２０Ａ〜２０Ｃに接続された地中箱（複数可）１２及び１４のうちの１つまたは複数内に入る。地中箱１２及び１４のうちの１つまたは複数の内側への可燃性ガスのこのような堆積は、煙を出しているだけのマンホール（「スモーカー」と呼ばれる）より危険なマンホール爆発を生じさせ得る。
【００１２】
膨張可能な空気袋を地中箱の内側に位置決めし、空気袋を不活性ガスで充填し、空気袋を地中箱内の開放容積内へ膨張させることにより、地中箱内の気流を限定することを提案する者もいる（米国特許第６，０１２，５３２号を参照）。残念ながら、マンホール地中箱へのアクセスが必要とされる都度、空気袋を収縮させ、再膨張させなければならず、これは大量の作業であるため、このアプローチは、実行不可能である。
【００１３】
図２を参照すると、さらに別のアプローチを使用して、ＣｏｎＥｄは、危険な地中箱のガスが地中箱から漏れ出るのを可能にする通気孔付きマンホール蓋（通気孔付きマンホール蓋７０のような）を設置した。残念ながら、通気孔付きマンホール蓋の換気開口部または孔（例えば、換気孔７２）は、それら自体の欠点をもたらす。通気孔付きマンホール蓋７０は、約２５％の開放空間を提供するが、水軽減特徴部を含まない。したがって、換気孔７２は、より多くの降水ならびに腐食性の道路薬剤（例えば、道路用塩及び他の凍結防止剤）が地中箱に進入することを可能にし、このような流入が、回路故障及びマンホール事象に関係してきた。これらはまた、有害な液体、ごみ、屎尿、及び／または害虫が地中箱に進入する可能性を増大させる−これらの全ては、直接的に（例えば、燃料流出）または有機材料の生分解により間接的にいずれかで、爆発性蒸気を生成し得る。最後に、換気孔７２は、使用済み皮下注射器などのバイオハザードの地中箱内への廃棄を招き得、これは、人員が地中箱に進入することができるようになる前に特殊な手順が必要であるため、いかなる必要な保守も遅延させる。
【００１４】
したがって、マンホール事象の頻度及び／または深刻度を効果的に低減する方法、設備、及び／または装置に対する必要性が存在することは、明らかである。本出願は、これらの利点、ならびに以下の詳細な説明及び添付図面から明らかになるであろう他の利点を提供する。
【図面の簡単な説明】
【００１５】
【図１】複数の管路により相互接続された複数のマンホール地中箱を含む先行技術の地下システムの断面図である。
【図２】先行技術の通気孔付きマンホール蓋の上面図である。
【図３】図１の地下システムのマンホール地中箱のうちの少なくとも１つ内で使用するための換気システムのブロック図である。
【図４Ａ】図１の地下システムのマンホール地中箱のうちの１つ内に設置されたマンホール蓋及び対流組立体を含む、換気システムの第１の実施形態の例示的な実装の断面図である。
【図４Ｂ】換気システムの第１の実施形態の代替的な例示的な実装の断面図である。
【図５Ａ】図４Ａの破線ボックス５Ａにより特定される図４Ａの一部分の拡大図である。
【図５Ｂ】連結フランジにより換気パイプに連結されたマンホール蓋の断面図である。
【図５Ｃ】図５Ａのマンホール蓋と環状支持体との間に位置決めされた防水シールの拡大断面図である。
【図６Ａ】マンホール蓋及び環状支持体を含む換気システムの第１の実施形態の代替的な例示的な実装の上面図である。
【図６Ｂ】図６Ａの円６Ｂにより特定される図６Ａの一部分の拡大図である。
【図６Ｃ】図６Ａの線６Ｃ−６Ｃによる断面図である。
【図７】換気パイプをマンホール蓋に連結するマニホールドを含む換気システムの第１の実施形態の代替的な例示的な実装の断面図である。
【図８Ａ】マンホール蓋並びに換気孔栓及び排気孔栓を含む換気システムの第１の実施形態の代替的な例示的な実装の等角図である。
【図８Ｂ】図８Ａに描いた換気システムの第１の実施形態の実装の分解図である。
【図８Ｃ】図８Ａに描いた換気システムの第１の実施形態の実装の上面図である。
【図８Ｄ】図８Ａに描いた換気システムの第１の実施形態の実装の底面図である。
【図８Ｅ】図８Ａに示すマンホール蓋の換気孔栓及び排気孔栓を省略した等角図である。
【図８Ｆ】図８Ａの線８Ｆ−８Ｆによる断面図である。
【図８Ｇ】図８Ｆの破線ボックス８Ｇにより特定される図８Ｆの一部分の拡大図である。
【図８Ｈ】図８Ａの線８Ｈ−８Ｈによる断面図である。
【図８Ｉ】図８Ｈの破線ボックス８Ｉにより特定される図８Ｈの一部分の拡大図である。
【図９Ａ】換気システムの第１の実施形態の代替的な例示的な実装の断面図である。
【図９Ｂ】図９Ａの破線ボックス９Ｂにより特定される図９Ａの一部分の拡大図である。
【図１０Ａ】マンホール蓋、排気流路キャップ、及び丸型換気孔栓を含む換気システムの第１の実施形態の代替的な例示的な実装の分解図である。
【図１０Ｂ】図１０Ａに描いた換気システムの第１の実施形態の実装の上面図である。
【図１０Ｃ】図１０Ａに示すマンホール蓋の排気流路キャップ及び丸型換気孔栓を省略した上面図である。
【図１０Ｄ】図１０Ｂの線１０Ｄ−１０Ｄによる断面図である。
【図１０Ｅ】図１０Ｂの線１０Ｅ−１０Ｅによる断面図である。
【図１０Ｆ】図１０Ｄの破線ボックス１０Ｆにより特定される図１０Ｄの一部分の拡大図である。
【図１０Ｇ】図１０Ａに示す排気流路キャップの等角図である。
【図１１Ａ】換気システム内で使用するためのマニホールドの代替的な例示的な実装の上面図である。
【図１１Ｂ】図１１Ａのマニホールドの側面図である。
【図１１Ｃ】図１１Ａのマニホールドの等角図である。
【図１２】浮遊物半組立体に取り付けられた蛇腹を含む浮遊物組立体の側面図である。
【図１３Ａ】電気カートリッジヒーターを示す切欠部を含むインラインヒーターの左側面図である。
【図１３Ｂ】図１３Ａのインラインヒーターの正面図である。
【図１３Ｃ】図１３Ａのインラインヒーターの底面図である。
【図１４Ａ】インラインファンの正面図である。
【図１４Ｂ】図１４Ａのインラインファンのファン翼を示す切欠部を含む右側面図である。
【図１４Ｃ】図１４Ａのインラインファンの底面図である。
【図１５】図８Ａに描いた換気システムの第１の実施形態の実装と共に使用するための排気孔栓の詳細な等角図である。
【図１６】図８Ａに描いた換気システムの第１の実施形態の実装と共に使用するための換気孔栓の詳細な等角図である。
【図１７Ａ】図１０Ａに描いた換気システムの第１の実施形態の実装と共に使用するための換気孔栓の上面図である。
【図１７Ｂ】図１７Ａの丸型換気孔栓の側面図である。
【図１７Ｃ】図１７Ａの丸型換気孔栓の等角図である。
【図１８】換気筒により外部雰囲気に接続されたマンホール地中箱と共に使用するための換気システムの第２の実施形態の例示的な実装の断面図である。
【図１９】換気システムの第３の実施形態の例示的な実装の断面図である。
【図２０】換気システムの換気パイプの開口した第２の端部の例示的な実装の側面斜視図である。
【図２１Ａ】マンホール蓋、支持ブラケット組立体、及び換気装置組立体を含む換気システムの第４の実施形態の例示的な実装の斜視図である。
【図２１Ｂ】図２１Ａに描いた実装の下側の斜視図である。
【図２２Ａ】図２１Ａに描いた実装のマンホール蓋の上側の斜視図である。
【図２２Ｂ】図２１Ａに描いた実装のマンホール蓋の底側の斜視図である。
【図２３】支持フレーム及び複数の装着組立体を含む支持ブラケット組立体の斜視図である。
【図２４】支持ブラケット組立体の支持フレームの下側の斜視図である。
【図２５】支持ブラケット組立体の装着組立体のうちの１つの分解斜視図である。
【図２６Ａ】図２１Ａに描いた実装のマンホール蓋が取り外された状態のマンホール地中箱を覗き込む斜視図である。
【図２６Ｂ】マンホール蓋が取り外された状態の換気システムの第４の実施形態の上面図である。
【図２７】図２１Ａに描いた実装の換気装置組立体の斜視図である。
【図２８】図２７の換気装置組立体のファン組立体の斜視図である。
【図２９】ファン組立体の内側の構造を暴露するためにパネルのうちの１つが取り外された状態の図２８のファン組立体の斜視図である。
【図３０】図２７の線３０−３０による換気装置組立体の断面図である。
【図３１】図２１Ａに描いた換気システムの実装の側面図である。
【図３２】複数の管路により相互接続された複数のマンホール地中箱のうちの１つ内に設置された、図２１Ａに描いた換気システムの実装の側面図である。
【図３３】パネルのうちの１つが取り外された状態の、任意追加的なデブリキャッチャーを含む図２８のファン組立体の斜視図である。
【図３４】様々なマンホール蓋設計を評価するために使用される試験装置の断面図である。
【図３５】様々なマンホール蓋設計に関して、図３４に示す装置の地中箱から空気より重い蒸気を取り除くために必要とされる時間の、風速の関数としてのプロットである。
【図３６】マンホール蓋組立体２に関して、図３４に示す装置内のアルゴン及び人工霧の清澄化時間を、風速の関数として比較したプロットである。
【発明を実施するための形態】
【００１６】
概要
図３は、地下システム１０（図１を参照）の地中箱１２及び１４（図１を参照）のうちの１つまたは複数内における使用のための換気システム１００のブロック図である。図３では、換気システム１００は、地中箱１２内に設置されたものとして例示されている。例示の容易性のため、管路２０Ｂ及び２０Ｃ（図１を参照）は、図３から省略されている。例示した実施形態では、管路２０Ａ〜２０Ｃ（図１を参照）のそれぞれは、１つまたは複数のケーブル断熱材料及び／またはケーブル遮蔽材料から作製された外側層１１４により取り囲まれた導体１１２を有するケーブル１１０を収納する。地中箱１２は、設備８４（例えば、電気設備）を収納してもよい。地中箱１２は、水８０（例えば、溢水）及び／またはデブリ８２（例えば、有害な液体、道路用塩、ごみ、屎尿、害虫、皮下注射器など）などの望ましくない材料も収納してもよい。
【００１７】
換気システム１００は、対流組立体９０、及び地中箱１２の外側の外部雰囲気１０２（例えば、表面３０の上方）と地中箱１２の内側の内部雰囲気１０４との間のインターフェース９２を含む。内部雰囲気１０４は、望まない（かつ潜在的に危険な）ガス組成物１０６を含んでもよい。ガス組成物１０６は、地中箱１２の室内５０内に非均一的に分布してもよい。例えば、ガス組成物１０６は、床部５８に隣接してもよく、または床部５８の近くにあってもよい。（ガス組成物１０６に寄与する）ガスは、外側層１１４またはその一部分（例えば、ケーブル断熱材）の電気化学的劣化から生じてもよい。さらに、電気トラッキングは、外側層１１４またはその一部分（例えば、ケーブル断熱材）を加熱及び分解して、（ガス組成物１０６に寄与する）ガスを生み出してもよい。
【００１８】
対流組立体９０の全部または一部分は、地中箱１２の内部雰囲気１０４の内側に位置決めされてもよい。任意追加的に、対流組立体９０は、対流装置９４（例えば、換気装置）を含んでもよい。しかしながら、これは、要件ではない。対流装置９４は、地中箱１２の内側または外側に位置決めされ得るタイマー８７により少なくとも部分的に制御されてもよい。タイマー８７は、対流装置９４を所定の時間に電源オンまたは電源オフするように動作可能であってもよい。この様式で、タイマー８７は、対流装置９４を所定の時間（例えば、規則的な間隔、スケジュールされた時間など）に繰り返しＯＮ／ＯＦＦしてもよい。例えば、タイマー８７は、対流装置９４を毎時間約５分未満または毎時間約１５分未満だけ動かしてもよい。
【００１９】
さらに別の非限定的な例として、対流装置９４は、マンホール蓋１３０が取り外されているとき、かつ／または対流装置９４が取り外されているときに対流装置９４を電源オフするリミットスイッチ８９により少なくとも部分的に制御されてもよい。
【００２０】
インターフェース９２は、マンホール蓋１３０及び／または換気ダクトもしくは換気筒１３２として実装されてもよい。換気筒１３２は、既存の外部換気ダクトまたは外部換気筒（例えば、現在カリフォルニア州内で使用されている種類の）であってもよい。
【００２１】
インターフェース９２がマンホール蓋１３０である実施形態では、マンホール蓋１３０は、１つまたは複数の貫通孔１５１を含む。貫通孔１５１の第１の部分は、それぞれ換気孔１５２として機能してもよく、かつ／または貫通孔１５１の第２の部分は、それぞれ排気孔１５３として機能してもよい。言い換えれば、マンホール蓋１３０は、１つもしくは複数の換気孔１５２及び／または１つもしくは複数の排気孔１５３を含んでもよい。各換気孔１５２は、外部雰囲気１０２の一部分（矢印Ａ１により表される）がマンホール蓋１３０を通過し、内部雰囲気１０４に進入することを可能にするように構成されている。他方、各排気孔１５３は、内部雰囲気１０４の一部分（矢印Ａ２により表される）がマンホール蓋１３０を通過し、外部雰囲気１０２に進入することを可能にするように構成されている。当業者には明らかであるように、貫通孔１５１のうちの特定の貫通孔を通る流れの方向は、その特定の貫通孔が換気孔であるか、または排気孔であるかを決定するため、貫通孔１５１のうちの任意の貫通孔は、換気孔または排気孔のいずれかとして使用され得る。さらに、流れの方向を逆にすることにより、換気孔が排気孔に転換されてもよく、逆もまた同様である。さらに、貫通孔１５１のうちの１つまたは複数は、双方向の流れのために構成されてもよく、したがって換気孔及び排気孔の両方として機能する。
【００２２】
換気孔（複数可）１５２及び排気孔（複数可）１５３は、外部雰囲気１０２と内部雰囲気１０４の間の流れ抵抗を最小化するような大きさであってもよい。例えば、換気孔（複数可）１５２を通じたガス流入（すなわち、矢印Ａ１により表される取り入れ）のために利用可能な全開放面積の、排気孔１５３を通じたガス流出（すなわち、矢印Ａ２により表される排気）のために利用可能な全開放面積に対する比率は、約１．０±０．２５であってもよい。しかしながら、これは、要件ではない。別の非限定的な例として、換気孔（複数可）１５２を通じたガス流入（すなわち、矢印Ａ１により表される取り入れ）のために利用可能な全開放面積の、排気孔１５３を通じたガス流出（すなわち、矢印Ａ２により表される排気）のために利用可能な全開放面積に対する比率は、空気が専ら地中箱１２から引き込まれ、排気孔（複数可）１５３を通じて排気されるのではなく、隣接するマンホール地中箱（例えば、地中箱１４及び１６のうちの１つ）から優先的に引き込まれるように、調節（または規制）されてもよい。この様式で、地中箱１２内の対流組立体９０は、それに接続された他の地中箱から空気を引き込むためにも使用され得る。
【００２３】
換気孔（複数可）１５２は、マンホール蓋１３０の上側１３１の全面積の少なくとも所定量を占めてもよい。非限定的な例として、換気孔（複数可）１５２により占められる上側１３１の全面積の所定量は、約５％または約１５％であってもよい。
【００２４】
同様に、排気孔（複数可）１５３は、マンホール蓋１３０の上側１３１の全面積の少なくとも所定量を占めてもよい。非限定的な例として、排気孔（複数可）１５３により占められる上側１３１の全面積の所定量は、約５％または約１５％であってもよい。
【００２５】
インターフェース９２が換気筒１３２である実施形態では、換気筒１３２は、外部雰囲気１０２及び内部雰囲気１０４の両方と流体連通した通路１３４を提供する。したがって、外部雰囲気１０２の一部分（矢印Ａ１´により表される）は、通路１３４を通過し、内部雰囲気１０４に進入してもよい。他方、内部雰囲気１０４の一部分（矢印Ａ２´により表される）は、通路１３４を通過し、外部雰囲気１０２に進入してもよい。
【００２６】
矢印Ａ１及びＡ１´は、外部雰囲気１０２から内部雰囲気１０４内へ流れる外部（新鮮）空気を表す。他方、矢印Ａ２及びＡ２´は、内部雰囲気１０４から外部雰囲気１０２内へ流れる室内（新鮮でない、及び／または汚染された）空気を表す。共同で、矢印Ａ１及びＡ２は、マンホール蓋１３０を通じた外部雰囲気１０２と内部雰囲気１０４との間の空気交換を表し、矢印Ａ１´及びＡ２´は、換気筒１３２を通じた外部雰囲気１０２と内部雰囲気１０４の間の空気交換を表す。
【００２７】
対流組立体９０は、矢印Ａ１、Ａ１´、Ａ２、及びＡ２´のうちの１つまたは複数により表される空気交換を引き起こす。言い換えれば、インターフェース９２がマンホール蓋１３０を含む実施形態では、対流組立体９０は、内部雰囲気１０４の少なくとも一部分（矢印Ａ２により表される）を、マンホール蓋１３０の排気孔（複数可）１５３を通じて地中箱１２から外向きに吐出させてもよく、かつ／または外部雰囲気１０２の少なくとも一部分（矢印Ａ１により表される）を、マンホール蓋１３０の換気孔（複数可）１５２を通じて地中箱１２内へ引き込ませてもよい。インターフェース９２が換気筒１３２を含む実施形態では、対流組立体９０は、内部雰囲気１０４の少なくとも一部分（矢印Ａ２´により表される）を、通路１３４を通じて地中箱１２から外向きに吐出させてもよく、かつ／または外部雰囲気１０２の少なくとも一部分（矢印Ａ１´により表される）を、通路１３４を通じて地中箱１２内へ引き込ませてもよい。任意追加的に、対流装置９４は、地中箱の外にあってもよい。例えば、対流装置９４は、換気筒１３２内に位置付けられてもよい。
【００２８】
インターフェース９２がマンホール蓋１３０を含む実施形態では、両矢印Ａ３及びＡ４は、対流組立体９０により生成される地中箱１２の内側の気流を表す。このような実施形態では、対流組立体９０は、マンホール蓋１３０の排気孔（複数可）１５３に向かって内部空気を押圧し（例えば、吹く）、マンホール蓋１３０の換気孔（複数可）１５２を通じて外部空気を引き入れ（例えば、吸引する）、またはその両方を行うように構成されてもよい。インターフェース９２が換気筒１３２を含む実施形態では、両矢印Ａ４及びＡ５は、対流組立体９０により生成される地中箱１２の内側の気流を表す。このような実施形態では、対流組立体９０は、換気筒１３２の通路１３４を通じて内部空気を押圧し（例えば、吹き）、換気筒１３２の通路１３４を通じて外部空気を引き入れ（例えば、吸引する）、またはその両方を行うように構成されてもよい。
【００２９】
地中箱１２及び１４（図１を参照）を相互接続する管路２０Ａ〜２０Ｃ（図１を参照）は、空気（及び他のガス）がシステム１０の地中箱１２と１４（図１を参照）との間を移動し得る通路を提供する。対流組立体９０は、空気（及び他のガス）を、管路２０Ａ〜２０Ｃ（図１を参照）のうちの１つもしくは複数及び／または（管路２０Ａ〜２０Ｃを介して）近隣の地中箱のうちの１つもしくは複数から、内部雰囲気１０４内に流入させてもよい。追加的に、対流組立体９０は、空気（及び他のガス）を、内部雰囲気１０４から、管路２０Ａ〜２０Ｃ（図１を参照）のうちの１つもしくは複数内に、かつ潜在的に（管路２０Ａ〜２０Ｃを介して）近隣の地中箱のうちの１つもしくは複数内に、流入させてもよい。言い換えれば、対流組立体９０は、特定の地中箱（例えば、地中箱１２）と管路２０Ａ〜２０Ｃ（図１を参照）のうちの１つまたは複数との間で空気を移動させてもよい。さらに、対流組立体９０は、特定の地中箱（例えば、地中箱１２）と近隣の地中箱のうちの１つまたは複数との間で管路２０Ａ〜２０Ｃ（図１を参照）を介して空気を移動させてもよい。
【００３０】
インターフェース９２がマンホール蓋１３０を含む実施形態では、マンホール蓋１３０は、対流組立体９０に取り外し可能に連結されてもよい。例えば、マンホール蓋１３０は、それを通じて作業者６１がマンホール蓋１３０を対流組立体９０から連結解除し得るアクセス孔（例えば、図７、８Ｂ、８Ｅ、８Ｆ、及び８Ｈに描かれているアクセス孔２３６）を含んでもよい。アクセス孔は、取り外し可能なアクセス蓋（例えば、図７、８Ａ〜８Ｃ、８Ｆ、及び８Ｈに描かれているアクセス蓋２３８）により被覆されてもよい。任意追加的に、対流組立体９０は、マンホール蓋１３０と対流組立体９０との間に位置決めされたマニホールド（例えば、図７、９Ｂ、及び１９に描かれているマニホールド２４６Ａ、図８Ａ、８Ｂ、８Ｄ、８Ｆ、及び８Ｈに描かれているマニホールド２４６Ｄ、または図１１Ａ〜１１Ｃに描かれているマニホールド４６０）を含んでもよい。マニホールドは、対流組立体９０により押圧される内部空気をマンホール蓋１３０の排気孔（複数可）１５３に向かって運ぶように、または代替的に対流組立体９０により換気孔（複数可）１５２を通じて引き込まれた外部空気を地中箱１２内へ運ぶように、構成されている。任意追加的に、連結フランジ（例えば、図５Ｂ、７、８Ｂ、８Ｆ、８Ｈ、及び９Ｂに描かれている連結フランジ３３２）を使用してマンホール蓋１３０を対流組立体９０に連結してもよい。連結フランジは、別個のコンポーネントであってもよく、またはマンホール蓋１３０もしくはマニホールド内に形成されてもよい。
【００３１】
インターフェース９２がマンホール蓋１３０を含む実施形態では、マンホール蓋１３０は、マンホール６２の内側の陥凹部６３（図１を参照）内に位置決めされたマンホール環状支持体（例えば、図５Ａ、５Ｂ、９Ｂ、及び１９に描かれているマンホール環状支持体２５０Ａ、図６Ａ〜６Ｃに描かれているマンホール環状支持体２５０Ｂ、または図２１Ａ、２１Ｂ、及び２６に描かれているマンホール環状支持体２５０Ｇ）により支持されてもよい。マンホール環状支持体は、マンホール蓋１３０が異なる内部サイズ（例えば、内径）及び／または異なる内部形状を有するマンホールを覆うことを可能にするアダプタとして機能してもよい。
【００３２】
詳細に後述するように、マンホール環状支持体、マンホール蓋１３０、及び／または表面３０は、地表水（例えば、道路排水または降水）が貫通孔（複数可）１５１を通じて地中箱１２に流入するのを防止するのを助けるように構成された特徴部（例えば、堰堤、チャネル、及び／または堀）を含んでもよい。例えば、換気孔（複数可）１５２は、任意追加的な換気栓（例えば、図８Ａ〜８Ｄ、８Ｈ、８Ｉ、及び１６に描かれている換気孔栓６５２Ｄ、または図１０Ａ、１０Ｂ、１０Ｄ〜１０Ｆ、及び１７Ａ〜１７Ｃに描かれている換気孔栓６５２Ｆ）により部分的に被覆または閉栓されてもよい。同様に、排気孔（複数可）１５３は、任意追加的な排気栓（例えば、図８Ａ〜８Ｃ、８Ｆ、８Ｇ、９Ａ、１５、及び１９に描かれている排気孔栓６５３Ｄ）により被覆または閉栓されてもよい。換気孔栓６５２Ｄまたは６５２Ｆはそれぞれ、地表水が換気孔（複数可）１５２のうちの１つを介して地中箱１２に進入するのを防止するのを助けるように構成されてもよい。同様に、排気孔栓６５３Ｄは、水が排気孔（複数可）１５３のうちの１つを介して地中箱１２に進入するのを防止するのを助けるように構成されてもよい。
【００３３】
以下の実施形態は、換気システム１００の例示的な実装を提供する。
【００３４】
換気システムの第１の実施形態
図４Ａは、地中箱１２内に設置された換気システム２１０の第１の実施形態を描く。この実施形態では、インターフェース９２（図３を参照）は、マンホール蓋２３０Ａを含み、対流組立体９０（図３を参照）は、対流組立体２４０として実装されている。図４Ｂは、対流組立体２４０の代替的な実装を描く。換気システム２１０は、換気筒１３２（図３を参照）を含んでもよい。しかしながら、これは要件ではなく、換気筒１３２（図３を参照）は図４Ａ及び４Ｂから省略されている。
【００３５】
図５Ａは、図４Ａの破線ボックス５Ａにより特定される図４Ａの拡大部分である。図５Ａを参照すると、任意追加的に、換気システム２１０は、取り外し可能なアクセス蓋２３８（図７、８Ａ〜８Ｃ、８Ｆ、及び８Ｈを参照）、マンホール環状支持体２５０Ａ、換気孔栓６５２Ｄ（図８Ａ〜８Ｄ、８Ｈ、８Ｉ、及び１６を参照）、換気孔栓６５２Ｆ（図１０Ａ、１０Ｂ、１０Ｄ〜１０Ｆ、及び１７Ａ〜１７Ｃを参照）、ならびに／または排気孔栓６５３Ｄ（図８Ａ〜８Ｃ、８Ｆ、８Ｇ、９Ａ、１５、及び１９を参照）を含んでもよい。外部の地上コンポーネントは車両交通の重量を支えなければならないため、それらは典型的に金属から製作される。したがって、マンホール蓋２３０Ａ、アクセス蓋２３８（図７、８Ａ〜８Ｃ、８Ｆ、及び８Ｈを参照）、マンホール環状支持体２５０Ａ、換気孔栓６５２Ｄ（図８Ａ〜８Ｄ、８Ｈ、８Ｉ、及び１６を参照）、換気孔栓６５２Ｆ（図１０Ａ、１０Ｂ、１０Ｄ〜１０Ｆ、及び１７Ａ〜１７Ｃを参照）、ならびに／または排気孔栓６５３Ｄ（図８Ａ〜８Ｃ、８Ｆ、８Ｇ、９Ａ、１５、及び１９を参照）はそれぞれ、金属から作製されてもよい。非限定的な例として、これらのコンポーネントのそれぞれは、交通等級を必要とする場所で使用される場合、延性鉄または鋳鉄から製作されてもよい。
【００３６】
上述したように、換気システム２１０は、マンホール蓋２４０Ａ及び対流組立体２４０を含む。
【００３７】
マンホール蓋
図５Ａを参照すると、マンホール蓋２３０Ａは、従来のマンホール蓋（例えば、図２に例示する通気孔付きマンホール蓋７０または非通気孔付きマンホール蓋（図示せず））の代わりにマンホール６２を覆うように構成されている。後述するように、換気システム２１０は、マンホール蓋２３０Ａの代わりにマンホール蓋２３０Ａの代替的な実施形態（例えば、それぞれ図６Ａ、７、８Ａ、９Ｂ、１０Ａ、及び２２Ａに示すマンホール蓋２３０Ｂ〜２３０Ｇのうちの１つ）を含んでもよい。マンホール蓋２３０Ａ〜２３０Ｇはそれぞれ伝統的な丸型マンホール蓋形状を有するとして例示されているものの、それぞれは、矩形状などの代替的な形状を有してもよい。さらに、マンホール蓋２３０Ａは、該当する場合、さもなければ中空ではない蓋内に換気孔（複数可）１５２（図３を参照）及び／もしくは排気孔（複数可）１５３（図３を参照）を作成し、いくつかの既存の孔（例えば、図２に例示する換気孔７２）を閉栓し、流れを方向転換するためのマニホールド（例えば、マニホールド２４６Ａのような）を追加し、換気孔栓６５２Ｄ（図８Ａ〜８Ｄ、８Ｈ、８Ｉ、及び１６を参照）を追加し、換気孔栓６５２Ｆ（図１０Ａ、１０Ｂ、１０Ｄ〜１０Ｆ、及び１７Ａ〜１７Ｃを参照）を追加し、ならびに／または排気孔栓６５３Ｄ（図８Ａ〜８Ｃ、８Ｆ、８Ｇ、９Ａ、１５、及び１９を参照）を追加することにより、従来のマンホール蓋（例えば、図２に例示する通気孔付きマンホール蓋７０）を改造することにより実装されてもよい。
【００３８】
図５Ａを参照すると、例示する換気システム２１０の実施形態では、マンホール蓋２３０Ａは、マンホール６２の内側に位置決めされたマンホール環状支持体２５０Ａ（詳細に後述する）により支持されている。マンホール蓋２３０Ａは、マンホール環状支持体２５０Ａ内に形成されたリング形状の軸受面または出張り２５４Ａ上に載っている。図５Ｃを参照すると、任意追加的な防水シール２５１（例えば、ガスケット、Ｏリング、パテ、コーキング材など）が、マンホール蓋２３０Ａとマンホール環状支持体２５０Ａとの間に位置決めされてもよい。シール２５１は、マンホール蓋２３０Ａとマンホール環状支持体２５０Ａとの間から地中箱１２内への水の流入を防止するように構成されている。図５Ａを参照すると、任意追加的に、後述するように、１つもしくは複数の堰堤５８２（図６Ａ〜６Ｃを参照）及び／もしくは１つもしくは複数の堀５８６（図６Ａ〜６Ｃを参照）が、マンホール環状支持体２５０Ａ（存在する場合）内に形成されてもよく、かつ／または１つもしくは複数の堀５９０（図６Ａ〜６Ｃを参照）が、マンホール蓋２３０Ａの横側の表面３０内に形成されてもよい。マンホール蓋２３０Ａはマンホール環状支持体２５０Ａにより支持されるとして例示されているものの、マンホール蓋２３０Ａは、代替的に、後述する代替的なマンホール環状支持体（例えば、図６Ａ〜６Ｃに描かれているマンホール環状支持体２５０Ｂまたは図２１Ａ、２１Ｂ、及び２６に描かれているマンホール環状支持体２５０Ｇ）により支持されてもよい。
【００３９】
マンホール蓋２３０Ａは、上面２３２Ａ及び底面２３４Ａを有する。図５Ｂを参照すると、任意追加的に、連結フランジ３３２が、底面２３４Ａから下向きに延在してもよい。代替的に、連結フランジ３３２は、底面２３４Ａに隣接し、かつ任意追加的に底面２３４Ａに連結された、別個のコンポーネントであってもよい。少なくとも１つの留め具Ｆ１（例えば、ピン、ねじ、ボルトなど）を使用して連結フランジ３３２を対流組立体２４０（図４Ａを参照）に取り外し可能に連結してもよい。図５Ｂは単一の留め具Ｆ１のみを例示しているものの、２つ以上の留め具が用いられてもよい。例えば、３つまたは４つの留め具が使用されてもよい。
【００４０】
図５Ａを参照すると、換気孔（複数可）１５２（図３を参照）は、少なくとも１つの換気孔２５２Ａとして実装され、排気孔（複数可）１５３（図３を参照）は、少なくとも１つの排気孔２５３Ａとして実装されている。換気孔栓２５２Ａ及び排気孔栓２５３Ａは、上面２３２Ａと底面２３４Ａとの間に延在し、面２３２Ａ及び２３４Ａに実質的に垂直な方向に配向された軸を有してもよい。図５Ａでは、マンホール蓋２３０Ａは、１つの中央に位置付けられた排気孔２５３Ａのみ、及び単一の換気孔２５２Ａのみを含む。換気孔２５２Ａ及び排気孔２５３Ａは、排気孔２５３Ａから退出する排気ガス（図３で矢印Ａ２により表される）の（換気孔２５２Ａを通じての）再進入を最小化するために、実行可能な限りにおいて互いから変位（または離間）されてもよい。
【００４１】
マンホール蓋の第１の代替的な実施形態
図６Ａ〜６Ｃを参照すると、換気システム２１０は、マンホール蓋２３０Ａ（図４Ａ〜５Ｂを参照）の代わりにマンホール蓋２３０Ｂの代替的な実施形態を、ならびにマンホール環状支持体２５０Ａ（図５Ａ、５Ｂ、９Ｂ、及び１９を参照）の代わりにマンホール環状支持体２５０Ｂ（後述する）を、含んでもよい。
【００４２】
図６Ａは、マンホール環状支持体２５０Ｂ上に載っているマンホール蓋２３０Ｂの上面図である。図６Ａを参照すると、マンホール蓋２３０Ｂは、マンホール蓋２３０Ａ（図４Ａ〜５Ｂを参照）に実質的に類似する。マンホール蓋２３０Ａと同様に、マンホール蓋２３０Ｂは、上面２３２Ｂ及び底面２３４Ｂ、ならびに排気孔２５３Ａ（図５Ａ及び５Ｂを参照）と実質的に同一の排気孔２５３Ｂを含む。しかしながら、例示した実施形態では、マンホール蓋２３０Ｂは、それぞれ長方形の側方断面形状を有する換気孔２５２Ｂを含む。これらの長方形形状の換気孔２５２Ｂは、表面３０の有効傾斜Ｓ１と一直線に整列されている。この形状及び配向は、地表水（例えば、降水）を地中箱１２（図１、３〜４Ｂ、９Ａ、１８、１９、２１Ａ、２１Ｂ、２６Ａ、及び３２を参照）の室内５０（図１を参照）から締め出すのを助け得る。換気孔２５２Ｂは、中央に位置する排気孔２５３Ｂよりもマンホール蓋２３０Ｂの外周に近い径方向位置に沿って周方向に配設されている。
【００４３】
任意追加的に、複数の換気孔栓６５２Ｄ（図８Ａ〜８Ｄ、８Ｈ、８Ｉ、及び１６を参照）が、一部の換気孔２５２Ｂ内に１つずつ挿入されてもよく、かつ／または複数の換気孔栓６５２Ｆ（図１０Ａ、１０Ｂ、１０Ｄ〜１０Ｆ、及び１７Ａ〜１７Ｃを参照）が、一部の換気孔２５２Ｂ内に１つずつ挿入されてもよい。同様に、排気孔栓６５３Ｄ（図８Ａ〜８Ｃ、８Ｆ、８Ｇ、９Ａ、１５、及び１９を参照）が、排気孔２５３Ｂ内に挿入されてもよい。
【００４４】
任意追加的に、後述するように、１つもしくは複数の堰堤５８２（図６Ａ〜６Ｃを参照）及び／もしくは１つもしくは複数の堀５８６（図６Ａ〜６Ｃを参照）が、マンホール環状支持体２５０Ｂ内に形成されてもよく、かつ／または１つもしくは複数の堀５９０（図６Ａ〜６Ｃを参照）が、マンホール蓋２３０Ｂの横側の表面３０内に形成されてもよい。マンホール蓋２３０Ｂはマンホール環状支持体２５０Ｂにより支持されるとして例示されているものの、マンホール蓋２３０Ｂは、代替的に、後述する代替的なマンホール環状支持体（例えば、図５Ａ、５Ｂ、９Ｂ、及び１９に描かれているマンホール環状支持体２５０Ａまたは図２１Ａ、２１Ｂ、及び２６に描かれているマンホール環状支持体２５０Ｇ）により支持されてもよい。
【００４５】
マンホール蓋の第２の代替的な実施形態
図７を参照すると、換気システム２１０は、マンホール蓋２３０Ａ（図４Ａ〜５Ｂを参照）の代わりにマンホール蓋２３０Ｃの代替的な実施形態を含んでもよい。マンホール蓋２３０Ｃは、取り外し可能なアクセス蓋２３８及びマニホールド２４６Ａと共に使用するように構成されている。
【００４６】
マンホール蓋２３０Ｃは、底面２３４Ｃに対向する上面２３２Ｃを有する。マンホール蓋２３０Ｃは、上面２３２Ｃと底面２３４Ｃとの間に延在する中央アクセス孔２３６を含む。アクセス孔２３６は、アクセス蓋２３８により被覆されている。例示した実施形態では、アクセス蓋２３８は、中央アクセス孔２３６の内側に陥凹し、上面２３２Ｃの下方に位置決めされている。アクセス蓋２３８は、中央アクセス孔２３６の内側に形成されたリング形状の出張り２３３上に載っている。１つまたは複数の留め具Ｆ２（例えば、ボルトまたはねじ）を使用してアクセス蓋２３８をマンホール蓋２３０Ｃに（例えば、出張り２３３に）連結してもよい。
【００４７】
換気孔２５２Ｃ及び排気孔２５３Ｃの両方は、上面２３２Ｃと底面２３４Ｃとの間に延在する。換気孔２５２Ｃは、第１のリングに沿って配置され、排気孔２５３Ｃは、第１のリングと同心の第２のリングに沿って配置されている。第２のリングは、第１のリングより小さい半径を有し、したがって、第１のリングの内側に位置決めされている。後述するように、マニホールド２４６Ａは、対流組立体２４０により押圧される内部空気をマンホール蓋２３０Ｃの排気孔２５３Ｃに向かって運び、または方向付ける。
【００４８】
マンホール蓋２３０Ｃは、マンホール環状支持体（例えば、それぞれ図５Ａ、６Ａ、及び２１Ａに例示するマンホール環状支持体２５０Ａ、２５０Ｂ、または２５０Ｇ）により支持されてもよい。任意追加的に、複数の換気孔栓６５２Ｄ（図８Ａ〜８Ｄ、８Ｈ、８Ｉ、及び１６を参照）が、一部の換気孔２５２Ｃ内に１つずつ挿入されてもよく、かつ／または複数の換気孔栓６５２Ｆ（図１０Ａ、１０Ｂ、１０Ｄ〜１０Ｆ、及び１７Ａ〜１７Ｃを参照）が、一部の換気孔２５２Ｃ内に１つずつ挿入されてもよい。同様に、複数の排気孔栓６５３Ｄ（図８Ａ〜８Ｃ、８Ｆ、８Ｇ、９Ａ、１５、及び１９を参照）が、排気孔２５３Ｃ内に１つずつ挿入されてもよい。
【００４９】
マンホール蓋の第３の代替的な実施形態
図８Ａを参照すると、換気システム２１０は、マンホール蓋２３０Ａ（図４Ａ〜５Ｂを参照）の代わりにマンホール蓋２３０Ｄの代替的な実施形態を含んでもよい。マンホール蓋２３０Ｄは、取り外し可能なアクセス蓋２３８、換気孔栓６５２Ｄ、排気孔栓６５３Ｄ、及びマニホールド２４６Ｄ（後述する）と共に使用するように構成されている。マニホールド２４６Ｄが、マニホールド２４６Ａ（図７、９Ｂ、及び１９を参照）の代わりに使用されている。換気システム２１０は、図８Ａで等角図として、図８Ｂで分解図として提示されている。これらの図では、対流組立体２４０は例示目的のために切り詰められているが、対流組立体２４０は地中箱１２（図１、３〜４Ｂ、９Ａ、１８、１９、２１Ａ、２１Ｂ、２６Ａ、及び３２を参照）内の任意の所望の垂直高さまで延在してもよいことが理解されるべきである。図８Ｃは、換気システム２１０の上面図である。図８Ｆ及び８Ｈは、それぞれ図８Ｃに示す線８Ｆ−８Ｆ及び線８Ｈ−８Ｈによる断面図であり、マンホール蓋２３０Ｄ及びマニホールド２４６Ｄの半組立体を示す。
【００５０】
マンホール蓋２３０Ｄは、マンホール蓋２３０Ｃ（図７を参照）に実質的に類似する。図８Ｆを参照すると、マンホール蓋２３０Ｄは、底面２３４Ｄに対向する上面２３２Ｄを有する。マンホール蓋２３０Ｄは、上面２３２Ｄと底面２３４Ｄとの間に延在する中央アクセス孔２３６を含む。アクセス孔２３６は、取り外し可能なアクセス蓋２３８により被覆されている。例示した実施形態では、アクセス蓋２３８は、留め具（複数可）Ｆ２（例えば、ボルトまたはねじ）によりマンホール蓋２３０Ｄに連結されている。
【００５１】
図８Ｅを参照すると、換気孔（複数可）１５２（図３を参照）は、換気孔（複数可）２５２Ｄとして実装され、排気孔（複数可）１５３（図３を参照）は、排気孔２５３Ｄとして実装されている。換気孔２５２Ｄ及び排気孔２５３Ｄの両方は、上面２３２Ｄと底面２３４Ｄ（図８Ｆを参照）との間に延在する。換気孔２５２Ｄは、第１のリングに沿って配置され、排気孔２５３Ｄは、第１のリングと同心の第２のリングに沿って配置されている。例示した実施形態では、排気孔２５３Ｄは、それぞれ細長であり、異なる一対の隣接する換気孔２５２Ｄの間でそれぞれ少なくとも部分的に径方向外向きに延在する。したがって、排気孔２５３Ｄ及び換気孔２５２Ｄは、径方向で重なり合う。
【００５２】
マンホール蓋２３０Ｃ（図７を参照）とは異なり、マンホール蓋２３０Ｄは、水路または軌道２３７Ｄを少なくとも部分的に画定するかさ上げ堰堤またはかさ上げ壁２３５Ｄを含む。かさ上げ壁２３５Ｄは、各換気孔２５２Ｄ及び各排気孔２５３Ｄを部分的に取り囲む。かさ上げ壁２３５Ｄは、上向きに延在し、かつ任意追加的に表面３０（図１、３〜６Ｃ、９Ａ、９Ｂ、１８、１９、２１Ａ、２６Ａ、及び３２を参照）を超えて上向きに延在してもよい。かさ上げ壁２３５Ｄ及び軌道２３７Ｄは、地表水（例えば、雨及び融雪などの降水）がマンホール蓋２３０Ｄから流去することを可能にし、換気孔２５２Ｄ及び排気孔２５３Ｄ内への地表水の流入を低減または最小化する。かさ上げ壁２３５Ｄは、表面３０の勾配（図６Ａで矢印Ｓ２により表される）と一直線に整列されてもよい。
【００５３】
国家法規及び現地法規は、典型的にかさ上げ壁２３５Ｄのような表面特徴部の高さを制限する。この理由のため、かさ上げ壁２３５Ｄは、一般的に約１／８インチ（０．３１７５）ｃｍ）〜約３／１６インチ（０．４７６２５ｃｍ）以下であるべきである。軌道２３７Ｄは、地表水を収集し、かつ／または地表水をマンホール蓋２３０Ｄの孔のない区域へ方向付けるために使用することもできる。
【００５４】
図８Ｈを参照すると、換気孔栓６５２Ｄ（後述する）は、降水（例えば、雨及び雪）が換気孔２５２Ｄを介して地中箱１２（図１、３〜４Ｂ、９Ａ、１８、１９、２１Ａ、２１Ｂ、２６Ａ、及び３２を参照）に進入するのを防止するのも助け得る。同様に、図８Ｆを参照すると、排気孔栓６５３Ｄ（後述する）は、降水（例えば、雨及び雪）が排気孔２５３Ｄを介して地中箱１２（図１、３〜４Ｂ、９Ａ、１８、１９、２１Ａ、２１Ｂ、２６Ａ、及び３２を参照）に進入するのを防止するのも助け得る。例えば、図８Ｃを参照すると、かさ上げ壁２３５Ｄが大量の水の流れにより圧倒される場合、換気孔栓２５２Ｄ及び排気孔栓２５３Ｄは、地中箱１２（図１、３〜４Ｂ、９Ａ、１８、１９、２１Ａ、２１Ｂ、２６Ａ、及び３２を参照）内への直接的な水の流れを低減するのを助ける。
【００５５】
任意追加的に、マンホール蓋２３０Ｄは、マンホール環状支持体（例えば、それぞれ図５Ａ、６Ａ、及び２１Ａに例示するマンホール環状支持体２５０Ａ、２５０Ｂ、または２５０Ｇ）により支持されてもよい。後述するように、１つもしくは複数の堰堤５８２（図６Ａ〜６Ｃを参照）及び／もしくは１つもしくは複数の堀５８６（図６Ａ〜６Ｃを参照）は、マンホール環状支持体内に形成されてもよく、かつ／または１つもしくは複数の堀５９０（図６Ａ〜６Ｃを参照）は、マンホール蓋２３０Ｄの横側の表面３０内に形成されてもよい。
【００５６】
マンホール蓋の第４の代替的な実施形態
図９Ａ及び９Ｂを参照すると、換気システム２１０は、マンホール蓋２３０Ａ（図４Ａ〜５Ｂを参照）の代わりにマンホール蓋２３０Ｅの代替的な実施形態を含んでもよい。図９Ｂを参照すると、マンホール蓋２３０Ｅは、マンホール環状支持体２５０Ａ、排気孔栓６５３Ｄ、及びマニホールド２４６Ａと共に使用するように構成されている。
【００５７】
図９Ｂを参照すると、マンホール蓋２３０Ｅは、上面２３２Ｅと底面２３４Ｅとの間に延在する排気孔２５３Ｅを含む。マニホールド２４６Ａは、底面２３４Ｅに連結され、この組み合わせは、マンホール環状支持体２５０Ａの出張り２５４Ａ上に載っている。マニホールド２４６Ａは、対流組立体２４０と排気孔２５３Ｅとの間の流体連通を提供する。
【００５８】
上記の他の実施形態とは異なり、マンホール蓋２３０Ｅは、換気孔を省略している。その代わりに、外部雰囲気１０２（図３を参照）のうちの部分が、他の手段（例えば、マンホール蓋２３０Ｅとマンホール環状支持体２５０Ａとの間に画定される空隙を通じて、図３に例示する換気筒１３２を通じて、図１に描く管路２０Ａ〜２０Ｃを通じてなど）を介して地中箱１２に進入してもよい。
【００５９】
任意追加的に、１つもしくは複数の堰堤５８２（図６Ａ〜６Ｃを参照）及び／もしくは１つもしくは複数の堀５８６（図６Ａ〜６Ｃを参照）が、マンホール環状支持体２５０Ａ内に形成されてもよく、かつ／または１つもしくは複数の堀５９０（図６Ａ〜６Ｃを参照）が、マンホール蓋２３０Ｅの横側の表面３０内に形成されてもよい。
【００６０】
マンホール蓋の第５の代替的な実施形態
図１０Ａ〜１０Ｆを参照すると、換気システム２１０（図４Ａ〜５Ｂ、６Ａ、７〜８Ｃ、９Ａ、及び９Ｂを参照）は、マンホール蓋２３０Ａ（図４Ａ〜５Ｂを参照）の代わりにマンホール蓋２３０Ｆの代替的な実施形態を含んでもよい。図１０Ａを参照すると、マンホール蓋２３０Ｆは、排気流路キャップ２８０及び換気孔栓６５２Ｆ（後述する）と共に使用するように構成されている。任意追加的に、連結フランジ３３２（図５Ｂ、７、８Ｂ、８Ｆ、８Ｈ、及び９Ｂを参照）を使用してマンホール蓋２３０Ｆを対流組立体２４０（図４Ａ、４Ｂ、７〜８Ｂ、９Ａ、９Ｂ、及び１８を参照）に連結してもよい。共同で、マンホール蓋２３０Ｆ、排気流路キャップ２８０、及び換気孔栓６５２Ｆは、マンホール蓋組立体２９０を形成する。
【００６１】
図１０Ｄを参照すると、マンホール蓋２３０Ｆは、底面２３４Ｆに対向する上面２３２Ｆを有する。マンホール蓋２３０Ｆは、アクセス孔２３６（図７、８Ｂ、８Ｅ、８Ｆ、及び８Ｈを参照）としても機能する単一の排気孔２５３Ｆを含む。排気孔２５３Ｆは、アクセス蓋２３８（図７、８Ａ〜８Ｃ、８Ｆ、及び８Ｈを参照）の機能に類似した機能を提供する排気流路キャップ２８０により被覆されている。例示した実施形態では、排気流路キャップ２８０は、１つまたは複数の留め具Ｆ３（例えば、ボルトまたはねじ）によりマンホール蓋２３０Ｆに連結されている。
【００６２】
図１０Ａを参照すると、マンホール蓋２３０Ｆは、排気孔２５３Ｆを取り囲む陥凹部分２８８を有する。陥凹部分２８８は、排気流路キャップ２８０の下方で排気孔２５３Ｆから径方向外向きに延在する、上向きに延在する支持壁またはリブ２９２を含む。リブ２９２は、排気流路キャップ２８０を支持するように構成されたラック状部材であり、排気流路キャップ２８０は、留め具（複数可）Ｆ３によりリブ２９２に固定されている。図１０Ｃを参照すると、リブ２９２は、それらの上端面２９３内に形成された溝２９３´（図１０Ｄを参照）に沿って起伏するか、または溝２９３´を含む。
【００６３】
陥凹部またはチャネル２９４が、隣接するリブ２９２同士の間に画定されている。対流組立体２４０（図４Ａ、４Ｂ、７〜８Ｂ、９Ａ、９Ｂ、及び１８を参照）を退出する空気は、排気孔２５３Ｆから流出し、チャネル２９４内に入り、排気流路キャップ２８０の周縁部とマンホール蓋２３０Ｆとの間に画定された開口部２９５（図１０Ｂを参照）から出る。したがって、チャネル２９４は、マニホールド２４６Ａ（図７、９Ｂ、及び１９を参照）により提供される機能に類似した機能を提供する。それゆえに、この実施形態では、排気孔２５３Ｆ（図１０Ｃを参照）は、マニホールドポート３３０Ａ（後述し、図７及び９Ｂに例示する）と同じ機能を提供する。
【００６４】
図１０Ｄを参照すると、換気孔２５２Ｆは、上面２３２Ｆと底面２３４Ｆとの間に延在する。換気孔２５２Ｆは、排気孔２５３Ｆから離間し、排気孔２５３Ｆを取り囲む第１のリングに沿って配置されている。この実施形態では、換気孔２５２Ｆは、丸型であり、それぞれは、換気孔栓６５２Ｆのうちの異なる１つを受容するように構成されている。換気孔栓６５２Ｆは、マンホール蓋２３０Ｆの外周の近くに配設されるとして特徴付けられ得る。図１０Ｆを参照すると、例示した実施形態では、換気孔栓６５２Ｆは、陥凹し、それぞれは、マンホール蓋２３０Ｆの上面２３２Ｆの下方に位置決めされ、換気孔栓がその中に挿入されている換気孔２５２Ｆを取り囲む、リング形状または環状の出張り２９６上に載っている。
【００６５】
図１０Ｃでは、排気流路キャップ２８０（図１０Ａ、１０Ｂ、１０Ｄ、及び１０Ｅを参照）ならびに丸型換気孔栓６５２Ｆ（図１０Ａ、１０Ｂ、１０Ｄ〜１０Ｆ、及び１７Ａ〜１７Ｃを参照）が取り外され、それぞれリブ２９２及び換気孔２５２Ｆを暴露している。マンホール蓋２３０Ｆは、換気孔２５２Ｆ及び／または排気孔２５３Ｆのそれぞれを部分的または完全に取り囲むかさ上げ壁２９８、ならびに陥凹部分２８８を取り囲む円形のかさ上げ壁２９９を含む。円形のかさ上げ壁２９９は、開口部２９５（図１０Ｂを参照）を介したチャネル２９４内への液体及び固体の流入を制限するように構成されている。かさ上げ壁２９８（これは、典型的に上面２３２Ｆの上方に約１／８インチ（０．３１７５ｃｍ）〜約１／４インチ（０．６３５ｃｍ）延在する）は、水の流入を制限し、その流去を促進し得る。「大雨」条件からの表面排水をシミュレートする実験は、特に図１０Ｆに例示するようにかさ上げ壁２９８の内周が対応する孔（例えば、換気孔２５２Ｆ）の外周から（例えば、出張り２９６により）わずかに変位されるとき、このようなかさ上げ壁がマンホール蓋２３０Ｆの所与の孔に進入し得る水の量を制限するのを助けることを示している。図１０Ｆを参照すると、出張り２９６の環状区域（すなわち、かさ上げ壁２９８の内周と丸型換気孔２５２Ｆの外周との間）は、丸型換気孔２５２Ｆの断面積の２倍である。
【００６６】
追加的に、実験は、特定の孔形状が水を締め出すことにおいてより良好であることを示唆している。例えば、星型形状の孔（例えば、６角の星）及び長円形／長方形形状の孔（例えば、図８Ｅに示す排気孔２５３Ｆ及び換気孔２５２Ｆ）は丸型孔より優れていることが見出されたが、後者の場合は水の流向が長円形の長軸に沿っているときのみである。
【００６７】
図１０Ｅ及び１０Ｇを参照すると、排気流路キャップ２８０は、その下側に形成され、リブ２９２（図１０Ｃを参照）の上端面２９３（図１０Ｃを参照）内に形成された溝２９３´（図１０Ｄを参照）内に受容され、溝２９３´と噛み合うように構成された、同心の起伏または隆起２８２（図１０Ｇの排気流路キャップ２８０の等角図を参照）を有する。図１０Ｅを参照すると、マンホール蓋２３０Ｆと排気流路キャップ２８０との間に画定されたチャネル２９４は、排気孔２５３Ｆ及び開口部２９５の両方と流体連通した排気流路として機能する。
【００６８】
任意追加的に、マンホール蓋２３０Ｆは、マンホール環状支持体（例えば、それぞれ図５Ａ、６Ａ、及び２１Ａに例示するマンホール環状支持体２５０Ａ、２５０Ｂ、または２５０Ｇのうちの１つ）により支持されてもよい。任意追加的に、１つもしくは複数の堰堤５８２（図６Ａ〜６Ｃを参照）及び／もしくは１つもしくは複数の堀５８６（図６Ａ〜６Ｃを参照）が、マンホール環状支持体内に形成されてもよく、かつ／または１つまたは複数の堀５９０（図６Ａ〜６Ｃを参照）が、マンホール蓋２３０Ｆの横側の表面３０内に形成されてもよい。
【００６９】
対流組立体
図４Ａを参照すると、上述したように、換気システム２１０は、対流組立体２４０を含む。対流組立体２４０は、換気管路または換気パイプ４００及び対流装置または換気装置４１０を含む。任意追加的に、対流組立体２４０は、任意追加的なマニホールド２４６Ａ（図７、９Ｂ、及び１９を参照）、２４６Ｄ（図８Ａ、８Ｂ、８Ｄ、８Ｆ、及び８Ｈを参照）、及び４６０（図１１Ａ〜１１Ｃを参照）のうちの１つならびに／または任意追加的な浮遊物組立体４１２（図１２を参照）を含んでもよい。さらに詳細に後述するように、換気装置４１０は、インラインヒーター５００（図８Ａ、８Ｂ、９Ａ、及び１３Ａ〜１３Ｃを参照）、インライン送風機もしくはインラインファン５５０（図１４Ａ〜１４Ｃを参照）、または換気装置組立体１１００（図２７及び３０〜３２を参照）として実装されてもよい。さらなる非限定的な例として、換気装置４１０は、強制対流装置、動力付き蛇腹、コンプレッサ、ピストンポンプ、ピストン換気装置、インラインポンプ、ファン、送風機、カートリッジヒーター、コイルヒーター、または変圧器、発電機、コンプレッサなどのパッシブ暖房を提供するように構成された発熱装置として実装されてもよい。
【００７０】
換気パイプ
図３を参照すると、本明細書で使用される「換気パイプ」という用語は、その最も広い定義を付与され、それを通じて内部雰囲気１０４の一部分（例えば、ガス組成物１０６）及び／または外部雰囲気１０２の一部分を運搬することができる任意の中空な構造体を含む。したがって、この術語は、チューブ、チャネル、ダクト、管路、またはホースなどの要素を含み、別個の構造体であってもよく、または地中箱１２のデザイン内に少なくとも部分的に組み込まれた構造体であってもよい。
【００７１】
図４Ａを参照すると、換気パイプ４００は、マンホール蓋２３０Ａに隣接して位置決めされてもよく、かつ任意追加的にマンホール蓋２３０Ａに連結されてもよい。図７を参照すると、一部の実施形態では、マニホールド２４６Ａ（または図８Ａ、８Ｂ、８Ｄ、８Ｆ、及び８Ｈに描くマニホールド２４６Ｄ、もしくは図１１Ａ〜１１Ｃに描くマニホールド４６０）は、マンホール蓋（例えば、マンホール蓋２３０Ｃ）と換気パイプ４００との間に位置決めされている。
【００７２】
図５Ａを参照すると、換気パイプ４００は、室内貫通チャネル４３２を画定する１つまたは複数の壁部４３０を有する。非限定的な例として、図２０を参照すると、換気パイプ４００は、約１インチ（２．５４ｃｍ）〜約１２インチ（３０．４８ｃｍ）の内径Ｄ１（壁部（複数可）４３０により画定される）を有する略円形の断面形状を有してもよい。例えば、内径Ｄ１は、約３インチ（７．６２ｃｍ）〜約５インチ（１２．７ｃｍ）であってもよい。
【００７３】
図４Ａを参照すると、換気パイプ４００は、第２の開放端部４４２に対向する第１の開放端部４４０を有し、それらの間に換気装置４１０（存在する場合）が位置決めされている。換気パイプ４００は、複数の部位を含んでも（または複数の部位から作製されても）よい。例えば、図４Ａを参照すると、換気パイプ４００は、部位Ｐ１及びＰ２を含んでもよい。この実装では、換気装置４１０は、部位Ｐ１とＰ２との間に位置決めされている。図８Ａに示すように、部位Ｐ１は、換気装置４１０に連結されるように構成された下方フランジ４０２を含む下方端部４０１を有してもよい。同様に、部位Ｐ２は、換気装置４１０に連結されるように構成された上方フランジ４０４を含む上方端部４０３を有してもよい。
【００７４】
図４Ｂを参照すると、別の非限定的な例として、換気パイプ４００は、１つもしくは複数の継手Ｊ１〜Ｊ４（例えば、ひじ継手）、１つもしくは複数の実質的に垂直な切片Ｖ１〜Ｖ４、ならびに／または１つもしくは複数の実質的に水平な切片Ｈ１及びＨ２を含んでもよい。図４Ｂでは、換気装置４１０は、換気パイプ４００の２つの垂直切片Ｖ３とＶ４との間に位置決めされている。このような実施形態では、垂直切片Ｖ３及びＶ４は、図４Ａに例示する部位Ｐ１及びＰ２に実質的に類似していてもよい。例えば、図９Ａを参照すると、垂直切片Ｖ３は、換気装置４１０に連結されるように構成された下方フランジ４７２（図８Ａに例示する下方フランジ４０２と実質的に同一）を含んでもよく、垂直切片Ｖ４は、換気装置４１０に連結されるように構成された上方フランジ４７４（図８Ａに例示する上方フランジ４０４と実質的に同一）を含んでもよい。
【００７５】
さらなる非限定的な例として、換気パイプ４００は、角度を有する部位、先細部位、湾曲部位、などの部位を含んでもよい。さらに、換気パイプ４００の異なる部位は、異なる断面サイズ及び／または断面形状を有してもよい。
【００７６】
換気パイプ４００は、適切な直径の可撓性ホース（例えば、波形金属または波形プラスチック）を使用して実装されてもよく、その第２の開放端部４４２は、希望に応じて地中箱１２の主チャンバ５２内に位置決めされる。図４Ａを参照すると、換気パイプ４００は、好適な構成に配置された剛性部位と可撓性部位の組み合わせを含んでもよい。例えば、換気パイプ４００は、マンホール蓋２３０Ａにその底面２３４Ａで流体接続された（または、後述するように、マニホールド２４６Ａ、２４６Ｄ、及び４６０のうちの１つ（存在する場合）に流体接続された）垂直な剛性部位（例えば、部位Ｐ１）を有してもよい。垂直な剛性部位（例えば、部位Ｐ１）は、地中箱１２の主チャンバ５２内の所望の位置まで延在する可撓性部位（例えば、部位Ｐ２）に連結されてもよい（例えば、換気装置４１０により）。このような実施形態では、垂直な剛性部位、換気装置４１０（存在する場合）、及び可撓性部位は、連続的な流体経路を提供する。
【００７７】
図４Ａを参照すると、第１の開放端部４４０は、換気パイプ４００の室内貫通チャネル４３２（図５Ａを参照）と流体連通した少なくとも１つの出口または第１の開口部４４６を有する。図５Ａ及び５Ｂに示すように、換気パイプ４００の第１の開放端部４４０は、換気パイプ４００の室内貫通チャネル４３２と排気孔２５３Ａとの間に（第１の開口部（複数可）４４６を介して）流体連通が存在するように、マンホール蓋２３０Ａの排気孔２５３Ａの近位に（例えば、その底面２３４Ａに）位置決めされている。換気パイプ４００の第１の開放端部４４０は、流体密封接続を提供するように底面２３４Ａに接し、底面２３４Ａに封止可能に固定されてもよいものの、換気パイプ４００の第１の開口部（複数可）４４６を通じて排気される内部雰囲気１０４の部分（例えば、図３に例示するガス組成物１０６）の大部分かつ本質的に全てをまた排気孔２５３Ａを貫流させることを条件として、換気パイプ４００の第１の開放端部４４０と底面２３４Ａとの間に小さい空隙が存在してもよいことも企図されている。
【００７８】
代替的に、第１の開放端部４４０は、換気パイプ４００の室内貫通チャネル４３２と換気孔２５２Ａとの間に（第１の開口部（複数可）４４６を介して）流体連通が存在するように、マンホール蓋２３０Ａの換気孔２５２Ａの近位に（例えば、その底面２３４Ａに）位置決めされてもよい。このような実装では、換気パイプ４００の第１の開放端部４４０は、換気孔２５２Ａを通じて引き込まれる外部雰囲気１０２（図３を参照）の実質的な部分が第１の開口部（複数可）４４６内に流入することを条件として、底面２３４Ａと接していても、または底面２３４Ａから離間されてもよい。
【００７９】
図４Ａを参照すると、換気パイプ４００の第２の開放端部４４２は、地中箱１２の主チャンバ５２内に位置決めされている。換気パイプ４００は、内部雰囲気１０４（図３を参照）及び室内貫通チャネル４３２（図５Ａ及び５Ｂを参照）の両方と流体連通した少なくとも１つの取入口または第２の開口部４４８を有する。例示した実施形態では、第２の開口部４４８は、第２の開放端部４４２に、または第２の開放端部４４２の近くに形成されている。第２の開口部（複数可）４４８は、単純に、換気パイプ４００の第２の開放端部４４２に、壁部（複数可）４３０（図５Ａ、５Ｂ、１９、及び２０を参照）により画定される室内貫通チャネル４３２の開口部を含んでもよい。
【００８０】
任意追加的に、第２の開口部（複数可）４４８は、換気パイプ４００の壁部（複数可）４３０（図５Ａ、５Ｂ、１９、及び２０を参照）内に形成され、第２の開放端部４４２の近位に位置付けられた、１つまたは複数の孔（例えば、図９Ａに描く孔４４９）を含んでもよい。少なくとも一部の第２の開口部（複数可）４４８が壁部（複数可）４３０内に形成される実施形態では、換気パイプ４００の第２の開放端部４４２は、完全に、または部分的に閉止（または閉塞）されてもよい。第２の開口部（複数可）４４８のうち壁部（複数可）４３０内に形成されるものは、略円形であってもよい。このような実施形態では、第２の開口部（複数可）４４８は、換気パイプ４００の内径Ｄ１（図２０を参照）の所定の百分率（例えば、約５％または約１０％）未満の直径を有してもよい。図２０を参照すると、第２の開口部（複数可）４４８のうち壁部（複数可）４３０のうちの１つを貫いて側方に延在するものは、フラップ部４４７（壁部（複数可）４３０のうちの１つ内に画定される）により少なくとも部分的に被覆または閉塞されてもよい。
【００８１】
図４Ａを参照すると、換気パイプ４００は、その第２の開放端部４４２及び／または少なくとも１つの第２の開口部４４８を地中箱１２内の任意の垂直位置または垂直高さに位置決めするように構成されてもよい。例えば、換気パイプ４００はまた、好適なコネクタ（例えば、図４Ｂに描く継手Ｊ１〜Ｊ４）ならびに延長部（例えば、部位Ｐ１及びＰ２、水平切片Ｈ１〜Ｈ２、ならびに／または垂直切片Ｖ１〜Ｖ４）を使用して、地中箱１２内の任意の所望の点（複数可）（例えば、主チャンバ５２のより低い高さ）からガス組成物１０６（図３を参照）を引き込むように構成されてもよい。非限定的な例として、直角ひじ継手が、直管部位と組み合わせて使用されてもよい。
【００８２】
複数の第２の開口部４４８は、床部５８のすぐ上の垂直高さ（例えば、床部５８から約１／２フィート上方）に位置決めされてもよい。さらに後述するように、換気パイプ４００の全ての第２の開口部４４８が床部５８から３フィート超上方に位置決めされているとき、空気より重いガス及び蒸気の除去は著しく低減されることが見出された。この限界を回避するために、少なくとも１つの第２の開口部４４８が、床部５８から約３フィート以下上方に、地中箱１２のより低い領域から空気より重いガスを引き込むために、位置決めされてもよい。例えば、換気パイプ４００は、少なくとも１つの第２の開口部４４８が床部５８から約２フィート以下上方に位置決めされるように、主チャンバ５２内へ延在してもよい。非限定的な例として、少なくとも１つの第２の開口部４４８は、床部５８から約半フィート上方に位置決めされてもよい。
【００８３】
単一の第２の開口部のみを含む実装では、第２の開口部４４８は、床部５８から約１フィート上方と実質的に床面高さとの間の位置に位置決めされてもよい。第２の開口部４４８が実質的に床面高さにあるとき、空気が第２の開口部４４８に流入し、かつ／または第２の開口部４４８から流出することを可能にするために、第２の開口部４４８と床部５８との間に十分な空隙が設けられてもよい。
【００８４】
さらに、内部雰囲気１０４（図３を参照）のうちの部分が、地中箱１２の主チャンバ５２内の複数の垂直サイト及び／または水平サイトから同時に引き込まれてもよい。例えば、第２の開口部（複数可）４４８は、換気パイプ４００の少なくとも一部分に沿って及び第２の開放端部４４２が部分的または完全に閉塞され得ることを条件として、複数の孔４４９（図９Ａを参照）を含んでもよい。
【００８５】
第２の開口部４４８はまた、水８０（図３を参照）が主チャンバ５２内にある（例えば、主チャンバ５２が浸水している）とき換気システム２１０が機能するように位置決めされてもよい。例えば、複数の第２の開口部４４８が換気パイプ４００の長さの一部分（例えば、部位Ｐ２、部位Ｖ４など）に沿って位置決めされてもよく、これにより、特に激しい降水のために主チャンバ５２が部分的に浸水した場合、換気パイプ４００は、第２の開口部４４８のうち水位より上方に位置決めされたものを通じてガス組成物１０６（図３を参照）を引き込み、望まないガス組成物の効果的な排気を維持する。代替的に、換気パイプ４００は、第２の開口部４４８のうち水位より上方に位置決めされたものを通じて外部雰囲気１０２（図３を参照）の一部分を主チャンバ５２内に供給し、それにより地中箱１２の効果的な換気を維持してもよい。
【００８６】
ガス組成物１０６（図３を参照）の排気を最適化し、かつ／または地中箱１２の主チャンバ５２内の空気の淀みを低減（もしくは最小化）するために、第２の開口部４４８は、異なるサイズ（及び／もしくは形状）、段階的なサイズ（及び／もしくは形状）、または様々なサイズ（及び／もしくは形状）を有してもよく、換気パイプ４００の長さの少なくとも一部分に沿って位置決めされてもよい。このような実施形態では、及び第２の開放端部４４２は、部分的または完全に閉塞されてもよい。このような第２の開口部４４８の面積は、高さと共に変化してもよく、これにより、換気パイプ４００の下方の第２の開放端部４４２の近くより小さい開放面積が上方の第１の開放端部４４０の近くに存在する。例えば、図９Ａでは換気パイプ４００が段階的な複数の第２の開口部４４８を含むことを除き、図９Ａは、図４Ｂに描く実装に類似した換気パイプ４００の実装を図示する。図９Ａに示すように、第２の開口部４４８のうち下方の第２の開放端部４４２により近く形成されたものは、第２の開口部４４８のうち上方の第１の開放端部４４０により近く形成されたものより大きい開放面積（例えば、より大きい直径）を有する。
【００８７】
当然ながら、当業者は、換気パイプ４００の第２の開口部（複数可）４４８の配置に関する上記の例示的な値が、１つまたは複数の要因、例えば、地中箱の寸法、遭遇する可能性があるガスの性質、環境パラメータ、床部の形状、地中箱の形状、及び地中箱内に位置付けられた設備によって変化し得ることを理解するであろう。当業者は、当技術分野における通常の技能を本教示に適用することにより（例えば、下記の実験セクションに記載のガイドラインに従うことにより）、所与の状況のための第２の開口部（複数可）４４８の好適な（例えば、最適な）配置を決定することができる。
【００８８】
図４Ａ及び４Ｂでは換気パイプ４００は地中箱１２内の支持体なしに示されているものの、換気パイプ４００は、特に換気パイプ４００がマンホール蓋２３０Ａに機械的に取り付けられない場合、ブラケット、機械腕、鎖、ケーブル、または他の好適な支持手段により適所に保持されてもよい。換気パイプ４００は、地中箱１２内のガス組成物１０６（図３を参照）組成物の十分な除去を提供するために、マンホール蓋２３０Ａの底面２３４Ａ（図５Ａ及び５Ｂを参照）の近くで適所に保持されてもよい。代替的に、これらのコンポーネントは、ユニットとして地中箱１２から一緒に持ち上げられ得るように、機械的に互いに連結されてもよい。このユニットは、必要な作業が完了するまで、地中箱１２の外側の三脚または似た可搬型構造体から懸架され得る。換気パイプ４００が可撓性であるか、または可撓性部位（例えば、部位Ｐ２）を有する場合、このような可撓性部分は、相対的に短い長さに折り畳まれ（例えば、フックに取り付けられた紐を使用して）、マンホール蓋２３０Ａと共に地中箱１２から持ち上げられてもよい。
【００８９】
図４Ｂを参照すると、換気パイプ４００を地中箱１２に進入する作業者（例えば、図１及び３に描く作業者６１）の邪魔にならないように維持するために、換気パイプ４００は、側壁（複数可）５４のうちの少なくとも１つ、天井５６、及び首部６０の壁部（複数可）６４のうちの少なくとも１つに密着しても（かつそれに留められても）よい。図５Ｂを参照すると、換気パイプ４００のＬ字形状の部位（または、希望する場合、Ｚ形状の部位）（例えば、継手Ｊ１及びＪ２ならびに水平切片Ｈ１の半組立体）は、中央排気孔２５３Ａ（または一部の実施形態に含まれる図７、８Ｂ、８Ｅ、８Ｆ、及び８Ｈに描くアクセス孔２３６）を通じて表面３０から内部へ手を伸ばし、留め具（複数可）Ｆ１（図５Ｂを参照）を取り外すことにより、マンホール蓋２３０Ａから分離されてもよい。次いで、この分離された部位は、（例えば、はしご（図示せず）を介して）主チャンバ５２へのアクセスを可能にするように、邪魔にならないように揺動されても、または地中箱１２から完全に持ち上げられてもよい。
【００９０】
換気パイプ４００は、剛性プラスチックまたは剛性金属から製作されてもよく、このような材料から作製された管セグメントから組み立てられてもよい。図９Ａ及び９Ｂは、継手Ｊ１〜Ｊ４、垂直切片Ｖ１〜Ｖ４、及び水平切片Ｈ１〜Ｈ２を含む換気パイプ４００の例示的な実装を描く。この実施形態では、継手Ｊ１〜Ｊ４、垂直切片Ｖ１〜Ｖ４、及び水平切片Ｈ１〜Ｈ２はそれぞれ、繊維ガラス管またはポリ塩化ビニル（「ＰＶＣ」）プラスチック管（例えば、４インチ（１０．１６ｃｍ）の第４０項ＰＶＣ管）から作製されてもよい。継手Ｊ１〜Ｊ４のうちの１つまたは複数は、９０°のＰＶＣひじ継手として実装されてもよい。
【００９１】
図９Ｂを参照すると、この実装では、継手Ｊ１及びＪ２及び水平切片Ｈ１が、Ｚ形状のダクト４７０を画定する。図９Ａを参照すると、Ｚ形状のダクト４７０及び／または垂直切片Ｖ１は、主チャンバ５２の側壁（複数可）５４のうちの１つまたは首部６０の壁部（複数可）６４のうちの１つに取り付けられる（例えば、ブラケット（図示せず）により）。下方の垂直切片Ｖ４は、床面高さの近くで支持ブロック４６２上に装着されている。支持ブロック４６２は、換気パイプ４００の第２の開放端部４４２を部分的または完全に閉塞または閉止してもよい。上述したように、第２の開口部４４８は、換気パイプ４００の壁部（複数可）４３０内にドリル加工されるか、または別の方法により形成された孔４４９を、その下方の第２の開放端部４４２の近くに含んでもよい。図９Ａに例示する実施形態では、孔４４９により実装される第２の開口部４４８は、内部雰囲気１０４（図３を参照）のための取り入れ経路及び／または外部雰囲気１０２（図３を参照）のための退出経路を提供するために、支持ブロック４６２上の高さが増大するにつれてサイズが漸減する様々な直径を有する。上述したように、このような配置の場合、一部の第２の開口部４４８が最高水位マークの上方にとどまることを条件として、たとえ地中箱１２の主チャンバ５２が部分的に浸水しても、ガスの排気は依然として可能である。
【００９２】
換気装置４１０は、市販の管装着ブラケット（図示せず）を使用して、主チャンバ５２の側壁（複数可）５４のうちの１つに沿って、できるだけマンホール６２の近くに、かつ天井５６から２フィート以内に、垂直に装着されている。下方の垂直切片Ｖ４の上方端部４７１は、インラインヒーター５００の下方フランジ５３２または代替的に図１４Ａ〜１４Ｃに例示するインラインファン５５０の下方フランジ５５４に接続された上方フランジ４７４（図８Ｂに例示する上方フランジ４０４と実質的に同一）を有する。図９Ａを参照すると、第１のセラミック繊維マットガスケット（図示せず）は、換気装置４１０（例えば、図８Ａ、８Ｂ、９Ａ、及び１３Ａ〜１３Ｃに例示するヒーター５００または図１４Ａ〜１４Ｃに例示するインラインファン５５０）が垂直切片Ｖ４に接続されるこれらのフランジの間に配置されてもよい。
【００９３】
水平切片Ｈ２は、熱膨張に順応するためにいくらかの運動を可能にするパイプハンガー（図示せず）により天井５６から懸架されている。継手Ｊ４は、水平切片Ｈ２の第１の端部４７６に位置決めされ、水平切片Ｈ２を垂直切片Ｖ３に接続する。垂直切片Ｖ３の下方端部４７８は、インラインヒーター５００の上方フランジ５３１または代替的に図１４Ａ〜１４Ｃに例示するインラインファン５５０の上方フランジ５５２に接続される下方フランジ（図８Ｂに例示する下方フランジ４０２と実質的に同一）を有する。図９Ａを参照すると、第２のセラミック繊維マットガスケット（図示せず）は、換気装置４１０（例えば、図８Ａ、８Ｂ、９Ａ、及び１３Ａ〜１３Ｃに例示するヒーター５００または図１４Ａ〜１４Ｃに例示するインラインファン５５０）が垂直切片Ｖ３に接続されるこれらのフランジの間に配置されてもよい。換気装置４１０がヒーター５００（図８Ａ、８Ｂ、９Ａ、及び１３Ａ〜１３Ｃを参照）として実装された実施形態では、第１のガスケット及び第２のガスケットは、高温により損傷され得る水平切片Ｈ２ならびに垂直切片Ｖ３及びＶ４との直接接触からインラインヒーター５００を熱的に隔離する。インラインヒーター５００にはまた、インラインヒーター５００を地中箱１２の内側の内部雰囲気１０４（図３を参照）から隔離し、かつ換気パイプ４００内の上向きのガスの流れを促進するヒーター５００の中央に熱を集中させるために、断熱材（図示せず）が巻かれている。
【００９４】
継手Ｊ３は、水平切片Ｈ２の第２の端部４７７に位置決めされている。継手Ｊ３の断面形状は、継手Ｊ３が水平切片Ｈ２の第２の端部４７７に接続される円形状から、矩形状の（平らな）断面形状を有する短い垂直切片Ｖ２に継手Ｊ３が接続される矩形状に遷移する。図９Ｂを参照すると、短い垂直切片Ｖ２は、首部６０の壁部（複数可）６４のうちの１つに密着し、かつ取り付けられてもよく、それにより、この狭小な通路を最小限に塞ぐ。短い垂直切片Ｖ２の頂部は、Ｚ形状のダクト４７０の第１の端部４８０内に着脱可能に挿入されている。第１の端部４８０は、短い垂直切片Ｖ２の頂部を雄／雌嵌合（例えば、先細継手）で収容するためにわずかにより大きい矩形寸法を有する矩形の断面形状を有する。
【００９５】
Ｚ形状のダクト４７０の第２の端部４８２は、実質的に首部６０の中心に、マンホール蓋２３０Ｅの中心と一直線に整列されて位置決めされ、（水平な）矩形の断面形状から、連結垂直切片Ｖ１の先細下方端部４８６とこの場合も雄／雌嵌合（先細継手）で噛み合い（例えば、受容し）得る（垂直な）円錐形の開口部に遷移する。
【００９６】
連結垂直切片Ｖ１は、マンホール蓋２３０Ｅの排気孔２５３Ｅを上記の一連のコンポーネント（すなわち、マニホールド２４６Ａ、Ｚ形状のダクト４７０、垂直切片Ｖ２、水平切片Ｈ２、垂直切片Ｖ３、換気装置４１０、継手Ｊ３、継手Ｊ４、及び垂直切片Ｖ４）と流体連通させるために、マニホールド２４６Ａ（マンホール蓋２３０Ｅの底面２３４Ｅに連結された）をＺ形状のダクト４７０と着脱可能に接続する。
【００９７】
図９Ｂを参照すると、連結垂直切片Ｖ１の上方フランジ付き端部４８８は、ポート３３０Ａを通じてマニホールド２４６Ａ内へ延在する。上方フランジ付き端部４８８は、垂直切片Ｖ１がマニホールド２４６Ａのポート３３０Ａを通じて落下するのを防止するフランジ４８９を有する。連結垂直切片Ｖ１は、垂直切片Ｖ１をポート３３０Ａから持ち上げるのを容易にするために、その上方フランジ付き端部４８８に、またはその上方フランジ付き端部４８８の近くに横架ハンドル（図示せず）を備えてもよい。
【００９８】
別の例示的な実装として、図４Ｂを参照すると、全く新しいマンホール地中箱が設置されるとき、換気パイプ４００は、任意追加的に、地中箱１２の側壁（複数可）５４のうちの１つまたは複数内に直接組み込まれ、マンホール蓋２３０Ａ（もしくはそれぞれ図６Ａ、７、８Ａ、９Ｂ、１０Ａ、及び２２Ａに示すマンホール蓋２３０Ｂ〜２３０Ｇのうちの１つ）または換気筒１３２（図３及び１８を参照）に適切に配管されてもよい。
【００９９】
任意追加的なマニホールド
図７を参照すると、マンホール蓋２３０Ｃの場合と同様に、複数の排気孔（例えば、排気孔２５３Ｃ）が存在するとき、任意追加的なマニホールド２４６Ａ（または図８Ａ、８Ｂ、８Ｄ、８Ｆ、及び８Ｈに描くマニホールド２４６Ｄもしくは図１１Ａ〜１１Ｃに描くマニホールド４６０）を使用して換気パイプ４００の第１の開口部４４６からの流れを複数の排気孔内へ運んでもよい。代替的に、図３を参照すると、複数の換気孔１５２が存在するとき、任意追加的なマニホールド２４６Ａ、２４６Ｄ、または４６０のうちの１つを使用して複数の換気孔からの流れを換気パイプ４００の第１の開口部４４６内へ運んでもよい。
【０１００】
マンホール蓋２３０Ｃ〜２３０Ｅ（それぞれ図７、８Ａ、及び９Ｂを参照）のそれぞれは、複数の排気孔を含む。上述したように、マンホール蓋２３０Ｃ及び２３０Ｅは、それぞれマニホールド２４６Ａと共に使用するように構成され、マンホール蓋２３０Ｄは、マニホールド２４６Ｄと共に使用するように構成されている。マンホール蓋２３０Ｆは複数の排気孔（図１０Ｂ及び１０Ｅに例示する開口部２９５）を含むものの、上記で説明したように、マニホールド２４６Ａのようなマニホールドは、換気パイプ４００の第１の開口部４４６からの流れを排気孔２５３Ｆ内に、そして開口部２９５の外に運ぶために必要ではない。
【０１０１】
図７を参照すると、マニホールド２４６Ａは、換気パイプ４００の上方の第１の開放端部４４０とマンホール蓋２３０Ｃ（または図９Ａ及び９Ｂに例示するマンホール蓋２３０Ｅ）との間に位置決め可能である。マニホールド２４６Ａは、基部４５２、及び基部４５２から上向きに延在する１つまたは複数の外周側壁４５４を有する。基部４５２及び外周側壁（複数可）４５４は、上向きに開口する内部空洞４５６を画定する。マニホールド２４６Ａは、マンホール蓋２３０Ｃの底面２３４Ｃ（またはマンホール蓋２３０Ｅの底面２３４Ｅ）に近接して位置決めされてもよい。例えば、外周側壁（複数可）４５４の上縁（複数可）４５８は、マンホール蓋２３０Ｃの底面２３４Ｃ（またはマンホール蓋２３０Ｅの底面２３４Ｅ）に対して位置決めされてもよく、任意追加的にそれに対して封止されてもよい。
【０１０２】
マニホールド２４６Ａは、基部４５２内に形成されたポート３３０Ａを含む。ポート３３０Ａは、換気パイプ４００の第１の開口部４４６から内部空洞４５６内への流れを受容するように構成されている。マニホールド２４６Ａは、ポート３３０Ａと全ての排気孔２５３Ｃ（または図９Ｂに例示する排気孔２５３Ｅ）との間の（内部空洞４５６を通じた）流体連通を提供するように構成されている。代替的に、ポート３３０Ａは、内部空洞４５６から気流を受容するように構成されてもよい。このような実装では、マニホールド２４６Ａは、ポート３３０Ａと換気孔２５２Ｃとの間の（内部空洞４５６を通じた）流体連通を提供するように構成されている。
【０１０３】
図９Ａでは換気パイプ４００は地中箱１２内の支持体なしに示されているものの、上述したように、換気パイプ４００は、特に換気パイプ４００がマニホールド２４６Ａに機械的に取り付けられない場合、ブラケット、機械腕、鎖、ケーブル、または他の好適な支持手段により適所に保持されてもよい。他方、図９Ｂを参照すると、ポート３３０Ａは、直接的に、または連結フランジ３３２を用いてのいずれかで、換気パイプ４００に連結されてもよい。連結フランジ３３２は、別個のコンポーネントであってもよく、またはマニホールド２４６Ａの底部に形成されてもよい。マニホールド２４６Ａは、マンホール蓋２３０Ｃの底面２３４Ｃに封止可能に取り付けられてもよく、または直接的に、もしくはガスケット（図示せず）を介して底面２３４Ｃに少なくとも接していてもよい。同様に、マニホールド２４６Ａは、マンホール蓋２３０Ｅの底面２３４Ｅに封止可能に取り付けられてもよく、または直接的に、もしくはガスケット（図示せず）を介して底面２３４Ｅに少なくとも接していてもよい。
【０１０４】
マンホール蓋２３０Ｃ（またはマンホール蓋２３０Ｅ）、マニホールド２４６Ａ、及び換気パイプ４００が互いに連結されているとき、作業者６１（図１及び３を参照）は、地中箱１２を点検修理する／地中箱１２に進入する前に、この三つ組を１つのユニットとしてマンホール６２（図１を参照）から持ち上げてもよい。このユニットは、必要な作業が完了するまで、地中箱１２の外側の三脚または似た可搬型構造体（図示せず）から懸架され得る。換気パイプ４００が可撓性または折り畳み式である場合、換気パイプ４００は、相対的に短い長さに折り畳まれ（例えば、フックに取り付けられた紐を使用して）、マニホールド２４６Ａ及びマンホール蓋２３０Ｃと共に地中箱１２から持ち上げられてもよい。
【０１０５】
代替的に、この三つ組コンポーネントは、換気パイプ４００を地中箱１２内に残しながらマンホール蓋２３０Ｃ（もしくはマンホール蓋２３０Ｅ）のみ、またはマニホールド２４６Ａと取り付けられたマンホール蓋２３０Ｃ（もしくはマンホール蓋２３０Ｅ）との組み合わせを取り外すことを可能にするために、着脱可能に互いに連結されてもよい。このような配置の一例を図７に示す。図７は、連結フランジ３３２がマニホールド２４６Ａに固締（例えば、ボルト止め）されるか、または別の方法により取り付けられ（例えば、マニホールド２４６Ａの底部に形成され）、マニホールド２４６Ａが（例えば、溶接またはろう付けにより）マンホール蓋２３０Ｃに取り付けられた、実施形態を例示する。換気パイプ４００を適所に保持するために、少なくとも１つの留め具Ｆ１（例えば、フランジピン）が、換気パイプ４００の壁部（複数可）４３０のうちの１つと連結フランジ３３２とに形成された位置合わせされた孔４５０内へ、かつ孔４５０を貫いて挿入されてもよい。図７は単一の留め具Ｆ１のみを例示するものの、２つ以上の留め具（またはねじ）が、この通りに用いられてもよい。例えば、３つまたは４つの留め具が使用されてもよい。
【０１０６】
作業者６１（図１及び３を参照）が地中箱１２（図１、３〜４Ｂ、９Ａ、１８、１９、２１Ａ、２１Ｂ、２６Ａ、及び３２を参照）に進入する前に、作業者６１は、アクセス蓋２３８を取り外し（例えば、留め具Ｆ２を取り外すことにより）、アクセス孔２３６を露出させる。次いで、作業者６１は、留め具（複数可）Ｆ１を取り外し、換気パイプ４００をマニホールド２４６Ａから解放する。これは、換気パイプ４００が地中箱１２内で適所にとどまる一方で、作業者６１が、マンホール蓋２３０Ｃをマニホールド２４６Ａ及び連結フランジ３３２と共にマンホール６２（図１を参照）から持ち上げることを可能にする。換気パイプ４００は、地中箱１２の側壁（複数可）５４のうちの少なくとも１つまたは天井５６（図１、４Ａ、４Ｂ、９Ａ、１８、及び１９を参照）に取り付けられたブラケット、鎖、またはケーブルにより懸架または保持されてもよい。このような懸架手段は、地中箱１２への進入を容易にするために、表面３０（図１、３〜６Ｃ、９Ａ、９Ｂ、１８、１９、２１Ａ、２６Ａ、及び３２を参照）から内部へ手を伸ばすことにより、邪魔にならないように移動（例えば、揺動）させることができてもよい。
【０１０７】
換気パイプ４００をマニホールド２４６Ａ及びマンホール蓋２３０Ｃ（またはマンホール蓋２３０Ｅ）により形成される半組立体に着脱可能に接続するための当技術分野で公知の他の連結手段が、連結フランジ３３２及び留め具（複数可）Ｆ１の代わりに代用されてもよい。例えば、これらの連結接続は、ボルト止めされたフランジ、締め付けられたフランジ、マンホール蓋２３０Ｃ（もしくはマンホール蓋２３０Ｅ）内もしくはマンホール蓋２３０Ｃ（もしくはマンホール蓋２３０Ｅ）上の出張りから（ボルト止めされた）フランジを懸垂すること、磁気結合、換気パイプ４００内の孔もしくはつまみと噛み合うハンガー及びフック、ばね仕掛けのクリップ、窓サッシ錠に類似の回転ロック機構、スーツケース錠に類似の揺動ロック機構、または蓋の下方の回転つまみと蓋の頂部から挿入される鍵（ピボット掛け金もしくはピボット錠）、を使用して達成され得る。好適な連結手段のさらなる例としては、数ある中でも、換気パイプ４００の端部上またはマンホール蓋２３０Ｃ（もしくはマンホール蓋２３０Ｅ）上で旋回し得、手または道具により操作することができる内部固定手段を有するねじ接続、内部ハンドルによる１／４回転または１／２回転の施錠接続を使用した「バヨネット」マウント、突出部及び回り止めを組み込んだスナップオン／スナップオフ接続（例えば、クイックディスコネクト）、ならびに換気パイプ４００上の特徴部をマンホール蓋２３０Ｃ（またはマンホール蓋２３０Ｅ）上の特徴部に取り付ける「結束」バンド、コード、またはケーブル、が挙げられる。当然ながら、いずれのこのような手段も、地中箱１２の外側にとどまり、（首部６０を介して）地中箱１２内へとせいぜい手及び／または専用の道具を伸ばす作業者６１（図１及び３を参照）によるマンホール蓋２３０Ｃ（またはマンホール蓋２３０Ｅ）及び換気パイプ４００の表面３０からの相対的に簡単な解放及び再接続を提供するように構成されてもよい。
【０１０８】
マニホールド２４６Ａは、金属またはプラスチックから鍛造または成形され、適宜例えば、溶接、ろう付け、ボルト止め、紐掛け、または打鋲によりマンホール蓋２３０Ｃ（またはマンホール蓋２３０Ｅ）に取り付けられてもよい。同様に、典型的に鋼、鋳鉄、またはプラスチックから形成される連結フランジ３３２は、マニホールド２４６Ａの底面に、そのポート３３０Ａと同心に取り付けられてもよい。
【０１０９】
任意追加的なマニホールドの第１の代替的な実施形態
図８Ａ、８Ｂ、８Ｄ、８Ｆ、及び８Ｈを参照すると、上述したように、マンホール蓋２３０Ｄは、径方向に重なり合う換気孔２５２Ｄ及び排気孔２５３Ｄ（図８Ｅを参照）を含むマニホールド２４６Ｄと共に使用するように構成されている。
【０１１０】
図８Ｂを参照すると、マニホールド２４６Ｄは、マンホール蓋２３０Ｄと換気パイプ４００の上方の第１の開放端部４４０との間に位置決め可能である。マニホールド２４６Ｄは、基部４６４、及び基部４６４から上向きに延在する連続的な外周側壁４６６を有する。基部４６４及び外周側壁４６６は、上向きに開口する内部空洞４６８を画定する。図８Ｆを参照すると、マニホールド２４６Ｄがマンホール蓋２３０Ｄの底面２３４Ｄに隣接しているとき排気孔２５３Ｄのそれぞれが内部空洞４６８と流体連通するように、外周側壁４６６は、排気孔２５３Ｄのそれぞれの周囲に延在するように構成されている。例えば、外周側壁４６６の上縁４６７が、マンホール蓋２３０Ｄの底面２３４Ｄに対して位置決めされ、任意追加的に底面２３４Ｄに対して封止されるとき。したがって、図８Ｂに示す実施形態では、マニホールド２４６Ｄは、少なくとも２つの隣接する換気孔２５２Ｄ（図８Ｄ、８Ｅ、８Ｈ、及び８Ｉを参照）の間に延在する排気孔２５３Ｄ（図８Ｅ〜８Ｇを参照）のそれぞれのための、径方向外向きに延在する部分４６５（図８Ｄを参照）を有する。図８Ｈに示すように、径方向外向きに延在する部分４６５（図８Ｄを参照）は、マニホールド２４６Ｄがマンホール蓋２３０Ｄの底面２３４Ｄに隣接しているとき換気孔２５２Ｄが内部空洞４６８と流体連通しないように、位置決めされている。
【０１１１】
図８Ｂを参照すると、マニホールド２４６Ｄは、マニホールド２４６Ａ（図７、９Ｂ、及び１９を参照）のポート３３０Ａ（図７及び９Ｂを参照）に実質的に類似した、基部４６４内に形成されたポート３３０Ｄを含む。ポート３３０Ｄは、換気パイプ４００の第１の開口部４４６から内部空洞４６８内への流れを受容するように構成されている。マニホールド２４６Ｄは、ポート３３０Ｄと全ての排気孔２５３Ｄ（図８Ｅ〜８Ｇを参照）との間の（内部空洞４６８を通じた）流体連通を提供するように構成されている。
【０１１２】
任意追加的なマニホールドの第２の代替的な実施形態
図１１Ａ〜１１Ｃを参照すると、対流組立体２４０は、マニホールド２４６Ａ（図７、９Ｂ、及び１９を参照）またはマニホールド２４６Ｄ（図８Ａ、８Ｂ、８Ｄ、８Ｆ、及び８Ｈを参照）のいずれかの代わりにマニホールド４６０の第２の代替的な実施形態を含んでもよい。マニホールド４６０は、骨組状の構造を有するとして特徴付けられ得る。非限定的な例として、マニホールド４６０は、アルミニウムまたは鋼から製作されてもよい。
【０１１３】
図１１Ａを参照すると、マニホールド４６０は、円形リム６１０及び径方向支持リブ６３０を有する。円形リム６１０は、環状支持体２５０Ａ（図５Ａ、５Ｂ、９Ｂ、及び１９を参照）の出張り２５４Ａ（図５Ａ、５Ｂ、及び９Ｂを参照）上に載るように構成されている。円形リム６１０は、出張り２５４Ａとマンホール蓋２３０Ｃ（図７を参照）またはマンホール蓋２３０Ｅ（図９Ａ及び９Ｂを参照）との間に挟まれるように構成されている。
【０１１４】
リブ６３０は、リム６１０に取り付けられ、リム６１０から径方向内向きに延在する。リブ６３０は、２つの中央の、同心の六角形構造体６１２及び６１４を画定する。構造体６１２は、構造体６１４の内側に位置決めされている。開口部６１６が、隣接するリブ６３０、構造体６１４、及び円形リム６１０の間に画定されている。構造体６１４は、中央の六角形形状の平鍋部６４０の上縁に沿って位置決めされ、それに連結されている。非限定的な例として、中央の六角形平鍋部６４０は、深さ約４インチ（１０．１６ｃｍ）であってもよい。平鍋部６４０は、マニホールド２４６Ａ（図７、９Ｂ、及び１９を参照）のポート３３０Ａ（図７及び９Ｂを参照）に実質的に類似した中央ポート６２０を有する。ポート６２０は、構造体６１２の中央の下方に位置決めされ、それに位置合わせされてもよい。ポート６２０は、換気パイプ４００（図４Ａ〜５Ｂ、７、８Ａ〜９Ａ、１２、１８、１９、２１Ａ及び２１Ｂ、２６Ａ、３１、ならびに３２を参照）の第１の開放端部４４０（図４Ａ〜５Ｂ、７、８Ｂ、及び１８を参照）に位置合わせされ、任意追加的にそれに連結されてもよい。
【０１１５】
例えば、図９Ｂを参照すると、マニホールド４６０（図１１Ａ〜１１Ｃを参照）がマンホール蓋２３０Ｅ（マニホールド２６４Ａの代わりの）及び図９Ｂに例示する換気パイプ４００の実施形態と共に使用されるとき、ポート６２０は、Ｚ形状のダクト４７０の第２の端部４８２（円錐形の開口部）及び／または連結垂直切片Ｖ１の上方フランジ付き端部４８８を受容し、任意追加的にそれに連結されてもよい。マニホールド４６０のリブ６３０は、排気孔２５３Ｅが六角形平鍋部６４０の内部と連通するように、マンホール蓋２３０Ｅの下側と噛み合い、マンホール蓋２３０Ｅと六角形平鍋部６４０との間の部分的な封止を少なくとも提供する。当然ながら、排気孔２５３Ｅのみが平鍋部６４０の境界線内に配設されるべきであり、存在する場合、換気孔（例えば、図７に例示する換気孔２５２Ｃ）は、この境界線の外側に配設されるべきである。言い換えれば、気孔２５３Ｅ及びマンホール蓋２３０Ｅ内に形成されるいかなる換気孔も、径方向に重なり合わないように位置決めされる（例えば、全ての排気孔２５３Ｅは、換気孔よりもマンホール蓋２３０Ｅの中心により近く位置決めされる）。したがって、排気孔２５３Ｃが換気孔２５２Ｃよりもマンホール蓋２３０Ｃの中心により近く位置決めされているため、マニホールド４６０は、マンホール蓋２３０Ｃと共に使用され得る。この配置はまた、開口部６１６と流体連通するように換気孔２５２Ｃを位置決めし、これにより、空気はそれらを通じて流れ得る。
【０１１６】
マニホールド４６０（図１１Ａ〜１１Ｃを参照）は、地中箱１２への容易なアクセスを提供するように構成されている。第一に、作業者６１（図１及び３を参照）は、マンホール蓋２３０Ｅ上の閉端した縦孔（例えば、図２２Ａに例示する閉端した縦孔９２８）内に道具（つるはし（図示せず）など）を噛み合わせ、マンホール蓋２３０Ｅを環状支持体２５０Ａから持ち上げ、マンホール蓋２３０Ｅを邪魔にならないように隣接する表面３０上へと引きずることにより、マニホールド４６０上に載っているマンホール蓋２３０Ｅを取り外し得る。第二に、作業者６１（図１及び３を参照）は、マニホールド４６０のポート６２０から連結垂直切片Ｖ１を持ち上げる（例えば、横架ハンドル（図示せず）を使用して）。第三に、作業者６１（図１及び３を参照）は、リブ６３０のうちの１つまたは複数を（例えば、フック及びケーブルにより）握持し、マニホールド４６０を表面３０上に置くことにより、環状支持体２５０Ａの出張り２５４Ａ上に載っているマニホールド４６０を地中箱１２から持ち上げる。第四に、作業者６１（図１及び３を参照）は、Ｚ形状のダクト４７０を地中箱１２から持ち上げ、Ｚ形状のダクト４７０を表面３０上に置く。この時点で、全ての閉鎖空間手順が満たされていることを条件として、地中箱１２に進入することができる。
【０１１７】
任意の必要な保守が完了した後、地中箱１２は、以下のように逆順でしっかり閉められる。第一に、作業者６１（図１及び３を参照）は、Ｚ形状のダクト４７０の（矩形状の）第１の端部６４１を垂直切片Ｖ２の頂部内に滑り込ませる。第二に、作業者６１（図１及び３を参照）は、ポート６２０の中心がＺ形状のダクト４７０の第２の（円錐形の）端部６４２に必ず位置合わせされるようにしながら、マニホールド４６０を環状支持体２５０Ａの上へと降下させる。第三に、作業者６１（図１及び３を参照）は、連結垂直切片Ｖ１の先細端部６３２がＺ形状のダクト４７０の第２の（円錐形の）端部６４２と噛み合うように、連結垂直切片Ｖ１をポート６２０内に挿入する。最終工程では、作業者６１（図１及び３を参照）は、マンホール蓋２３０Ｅをマニホールド４６０上に置く。上記の作業の全ては街路の高さから（例えば、表面３０から）達成され得ることが理解されるであろう。マニホールド４６０は、既存のマンホール蓋の改変なしに、またはごく最小限の改変と共に、既存の通気孔付きマンホール蓋（例えば、図２に例示する通気孔付きマンホール蓋７０）と噛み合って排気孔のゾーン及び換気孔のゾーンを作り出すように構成されてもよいことが、さらに理解されるであろう。
【０１１８】
任意追加的な浮遊物組立体
上述したように、水８０（図３を参照）は、少なくとも部分的に主チャンバ５２を満たし、第２の開口部（複数可）４４８のうちの１つまたは複数を閉塞し得る。この問題を回避する１つの方法は、第２の開口部４４８を換気パイプ４００沿いの複数の位置に位置決めすることである。この様式で、全ての第２の開口部４４８が閉塞される（例えば、水８０中に没する）可能性が著しく低減される。
【０１１９】
図１２を参照すると、浮遊物組立体４１２は、浸水事象の間、換気（例えば、排気）を維持するために使用されてもよい。組立体４１２は、フランジ６８０、可撓性の円筒状蛇腹６８２、浮遊物半組立体６８４、及び支持ブロック６８６を含む。支持ブロック６８６は、図９Ａに描く支持ブロック４６２に実質的に類似し、床部５８に固定装着されてもよい。
【０１２０】
図１２を参照すると、フランジ６８０は、換気パイプ４００、換気装置４１０（図４Ａ、４Ｂ、８Ａ、８Ｂ、１８、２１Ａ、２１Ｂ、及び２６を参照）、ならびに／または天井５６（図１、４Ａ、４Ｂ、９Ａ、１８、及び１９を参照）に固定的に装着されてもよい。換気パイプ４００は、フランジ６８０と支持ブロック６８６との間に延在する。図１２に示すように、換気パイプ４００は、蛇腹６８２を通過する。換気パイプ４００の第２の開放端部４４２は、支持ブロック６８６の上に載っており、蛇腹６８２により部分的に被覆されている。蛇腹６８２は、第２の開放端部４４２の近くの換気パイプ４００の一部分を取り囲む、長さ方向に圧縮可能なスリーブであるとして特徴付けられ得る。換気パイプ４００の１つまたは複数の第２の開口部４４８（壁部（複数可）４３０内に形成される）は、蛇腹６８２内に位置決めされている。蛇腹６８２は、フランジ６８０と浮遊物半組立体６８４との間に延在する。蛇腹６８２は、フランジ６８０に取り付けられた上方端部６８８及び浮遊物半組立体６８４に取り付けられた下方端部６８９を有する。
【０１２１】
内部雰囲気１０４（図３を参照）は、蛇腹６８２の下方端部６８９を通じて蛇腹６８２内に流入してもよいが、蛇腹６８２の上方端部６８８に進入することを防止される。したがって、蛇腹６８２は、蛇腹の内側の第２の開口部（複数可）４４８へのアクセスを規制する。具体的には、蛇腹６８２の下方端部６８９を通じて蛇腹６８２に進入する内部雰囲気１０４（図３を参照）の部分のみが、蛇腹６８２内の第２の開口部（複数可）４４８に到達し得る。
【０１２２】
浮遊物半組立体６８４は、換気パイプ４００の周囲に周方向に配置された、複数の個々の離間された浮遊物６９０を含む。隙間空間または開口部６９２が、浮遊物６９０のうちの隣接するもの同士の間で画定されている。地中箱１２内の水８０の高さが上昇するにつれて、浮遊物半組立体６８４は、相応して上昇し、蛇腹６８２を圧縮する。この実施形態では、浮遊物半組立体６８４が換気パイプ４００に沿って上昇するとき、換気パイプ４００の第２の開放端部４４２は、静止したままである。内部雰囲気１０４の一部分（例えば、図３に例示するガス組成物１０６）が、蛇腹６８２内に位置決めされた第２の開口部（複数可）４４８により地中箱１２から除去され得る。内部雰囲気１０４のうちの部分は、離間された浮遊物６９０の間を（開口部６９２を通じて）、かつ蛇腹６８２と換気パイプ４００との間を上向きに、流れ得る。次いで、内部雰囲気１０４のそれらの部分は、蛇腹６８２の内側に位置決めされた第２の開口部４４８を介して換気パイプ４００に進入し得る。蛇腹６８２が、蛇腹６８２自体の上方部分か、または蛇腹６８２の上方端部６８８を換気パイプ４００に接続する構造体かのいずれか内に形成された開口部（図示せず）を含む、上記の実施形態の変化形も可能である。いずれの場合も、蛇腹６８２は、支配的な水位に従って長さが膨張及び収縮し、蛇腹６８２に進入する内部雰囲気１０４（図３を参照）の部分は、換気パイプ４００と一列に並んであり得る換気装置４１０（図４Ａ、４Ｂ、８Ａ、８Ｂ、１８、２１Ａ、２１Ｂ、及び２６を参照）により換気パイプ４００を通じて引き込まれる。
【０１２３】
浮遊物組立体４１２は、浮遊物６９０の間を（開口部６９２を通じて）流れる空気のみが、蛇腹６８２及び蛇腹６８２の内側に位置決めされた第２の開口部４４８に進入することを可能にする。したがって、開口部６９２の高さは、水８０の高さにより決定される有効取り入れ高さである。この様式で、浮遊物組立体４１２を使用して有効取り入れ高さの高さを自動的に調節し、それを水８０の高さの上方に維持してもよい。さらに、開口部６９２は、開口部６９２が水８０から所定の距離上方にあるように位置決めされてもよい。この配置は、水が存在するとき、内部雰囲気１０４（図３を参照）が水８０（図３及び１９を参照）の表面高さで、または表面高さの近くで必ず換気パイプ４００に進入するようにするのを助ける。他方、水８０が地中箱１２の内側に存在しないとき、内部雰囲気１０４（図３を参照）の部分は、床部５８で、または床部５８の近くで換気パイプ４００に進入する。
【０１２４】
非限定的な例として、浮遊物組立体４１２は、図４Ｂ及び９Ａに示す垂直切片Ｖ４、または図４Ａ、８Ａ、及び２１Ａに示す部位Ｐ２上に設置されてもよい。
【０１２５】
換気装置
図４Ａ及び４Ｂを参照すると、換気装置４１０は、地中箱１２の主チャンバ５２内の内部雰囲気１０４の一部分（例えば、図３に例示するガス組成物１０６）を、換気パイプ４００を通じて略上向きの方向に流れさせ、最終的にマンホール蓋２３０Ａの排気孔２５３Ａを通じて外部雰囲気１０２へと退出させてもよい。代替的または追加的に、換気装置４１０は、外部雰囲気１０２（図３を参照）の一部分を、換気パイプ４００を通じて地中箱１２の主チャンバ５２内へと略下向きの方向に流れさせてもよい。したがって、換気装置４１０は、内部雰囲気１０４の少なくとも一部分を地中箱１２の外へ運ぶための、かつ／または外部雰囲気１０２の少なくとも一部分を地中箱１２の中へ運ぶための、流体運搬手段である。後述するように、マンホール蓋２３０Ａの上面２３２Ａ（図５Ａ及び５Ｂを参照）の上を吹く支配的な風が存在しないとき、空気より重いガスまたは蒸気は、このような換気装置の恩恵がなければ地中箱１２から効果的に排出されないことが見出された。
【０１２６】
上述したように、換気装置４１０は、インラインヒーター５００（図８Ａ、８Ｂ、９Ａ、及び１３Ａ〜１３Ｃを参照）、インライン送風機もしくはインラインファン５５０（図１４Ａ〜１４Ｃを参照）、または換気装置組立体１１００（図２７及び３０〜３２を参照）として実装されてもよい。さらなる非限定的な例として、換気装置４１０は、強制対流装置、動力付き蛇腹、コンプレッサ、ピストンポンプ、ピストン換気装置、インラインポンプ、ファン、送風機、または変圧器、発電機、コンプレッサなどのパッシブ暖房を提供するように構成された発熱装置として実装されてもよい。２種類以上の対流装置（例えば、インラインファン５５０及びインラインヒーター５００の両方）を用いる冗長システムが特にクリティカルな用途において有利であり得ることも企図されている。さらに、同種類の２つ以上の対流装置が使用されてもよい。
【０１２７】
図４Ａ及び４Ｂに示す換気装置４１０は、換気パイプ４００全体またはその一部分を加熱し、換気パイプ４００内のガスの密度を低減させてガスを上昇させる「煙突効果」（または筒効果）を換気パイプ４００内に誘発するように構成された、インラインヒーター（例えば、図８Ａ、８Ｂ、９Ａ、及び１３Ａ〜１３Ｃに描くインラインヒーター５００）として実装されてもよい。例えば、換気パイプ４００全体またはその一部分には、電気加熱素子（例えば、加熱テープ（図示せず））が周方向に巻かれていてもよい。
【０１２８】
当業者により理解されているように、インラインヒーター５００は、任意の特定のマンホール蓋との使用に限定されない。図８Ａ及び８Ｂでは、インラインヒーター５００は、マンホール蓋２３０Ｄと共に使用されるとして例示され、インラインヒーター５００は、図９Ａでは、マンホール蓋２３０Ｅと共に使用されるとして例示されている。さらに、インラインヒーター５００は、換気パイプ４００の任意の特定の実装との使用に限定されない。簡潔性のため、図９Ａを参照すると、インラインヒーター５００は、マンホール蓋２３０Ｅ及び図９Ａに描く換気パイプ４００の実装と共に使用されている状態で後述される。
【０１２９】
図１３Ａは、インラインヒーター５００の左側面図である。インラインヒーター５００は、部位Ｐ１の下方フランジ４０２（図８Ｂを参照）、マニホールド２４６Ａ、または垂直切片Ｖ３（図４Ｂ及び９Ａを参照）の下方フランジ４７２（図９Ａを参照）に取り付けられ得る上方フランジ５３１を有する、加熱金属パイプ切片５３０を含む。パイプ切片５３０は、部位Ｐ２の上方フランジ４０４（図８Ｂを参照）または換気パイプ４００の垂直切片Ｖ４（図４Ｂ及び９Ａを参照）の上方フランジ４７４（図８Ａに例示する上方フランジ４０４と実質的に同一）への取り付けのための下方フランジ５３２も有する。
【０１３０】
図１３Ａの切欠部は、インラインヒーター５００の内部構成を露出させる。図１３Ａに示すように、電気カートリッジヒーター５４２が、フランジ付きパイプ切片５３０の壁部を貫くサーマルウェル５４６内に挿入されている。フランジ付きパイプ切片５３０は、良好な熱伝達を提供するために、湿潤環境内での耐食性を有する金属から作製されてもよい。実務上、設置及びコストの考慮に基づき、アルミニウムが好ましい場合がある。サーマルウェル５４６は、管栓５４５及び封止状態で噛み合う水中用電気接続箱５４７により、水を排除するように封止されている。電気接続箱５４７のそれぞれは、適切な電源に接続されてもよい（例えば、図２１Ｂ及び３１に例示する接続部１１９０により）。さらなる明瞭性のため、図１３Ｂ及び１３Ｃは、それぞれヒーター５００の正面図及び底面図を例示する。これらの図では、カートリッジヒーター５４２のそれぞれは、電気接続箱５４７のうちの対応するものの中に電気接続を有する。複数のカートリッジヒーター５４２を使用して冗長性を生み出し、インラインヒーター５００の長寿命を保証する。この冗長性は、信頼性も向上させ得る。インラインヒーター５００は、所望の出力（例えば、約１０ワット超または約４０ワット超）を提供するように構成されてもよい。
【０１３１】
インラインヒーター５００の電力は、二次電線、変圧器、または地中箱１２内に典型的に存在する他の電気設備から便利に引き出され得る。これが利用可能ではない場合、好適な低電圧電線を地中箱１２の近くの電力アクセスポイントから走らせてもよい。
【０１３２】
インラインヒーター５００は、人員を高温の金属表面から保護するために、かつエネルギー効率性のために、熱絶縁されてもよい。さらに、地中箱１２内の内部雰囲気１０４（図３を参照）を加熱することは換気パイプ４００の室内貫通チャネル４３２（図５Ａ及び５Ｂを参照）と地中箱１２内の内部雰囲気１０４（図３を参照）との間の温度勾配を減少させ得るため、インラインヒーター５００を熱絶縁することは、換気パイプ４００内の流量を増加（例えば、最大化）させ得る。いくつかの実験により測定されたように、加熱されたガスは水平なパイプ切片（例えば、図４Ｂ及び９Ａに示す水平切片Ｈ１及びＨ２）内で淀む傾向があるため、インラインヒーター５００は、ガスの流れを最大化するために実質的に垂直な配向で設置されることが好ましい。ガス組成物１０６（図３を参照）のマンホール蓋２３０Ａに向かう流れを促進し、換気パイプ４００内での水の蓄積を防止するために、換気パイプ４００のいずれの水平切片も、わずかな上向きの傾斜（１フィート当たり少なくとも約１／８インチ（０．３１７５ｃｍ）または少なくとも約１／４インチ（０．６３５ｃｍ）の上昇が使用されてもよい）と共に設置されるべきである。
【０１３３】
さらに、図９Ａを参照すると、換気パイプ４００の加熱切片は、最良の換気のために、地中箱１２内の予想最高水位のちょうど上に設置されることが好ましい（例えば、浮遊ヒーター）。実用上の理由のため、インラインヒーター５００は、猛烈な街路浸水の期間中に床部５８の近くで水中に没するリスクを最小化するために、地中箱１２の天井５６の近くに設置されることが好ましい。安全上の配慮はまた、地中箱１２に進入する全ての人員ならびに表面３０にいる歩行者及びそのペットを潜在的な熱傷の危険に曝露するのを防止するために、露出表面及び排気ガスの温度が６０℃を超えないことを要求する。追加的に、使用されるいかなる加熱素子の温度も、遭遇する可能性がある有機性蒸気の自然発火点（例えば、約２０℃）より十分に低く保たれるべきである。
【０１３４】
インラインヒーター５００は、鋼、アルミニウム、銅、ステンレス鋼、真鍮、または青銅から製作され得る。典型的にヒーター５００を覆うように断熱材が施されるが、この場合もこれらの図では図示しない。上述したように、換気パイプ４００は、切片から形成されてもよい。例えば、インラインヒーター５００の加熱金属パイプ切片５３０（図８Ｂ、１３Ａ、及び１３Ｂを参照）は、プラスチック管または波形プラスチックホース（例えば、部位Ｐ２または垂直切片Ｖ４）に接合されてもよい。このような配置では、酸化アルミニウムなどの熱絶縁性ガスケット材料が、プラスチック切片を保護するためにプラスチック切片と金属切片との間に導入されてもよい。換気装置４１０を実装するために使用される他の装置（例えば、インラインファン５５０）は、金属配管またはプラスチック配管のいずれとも安全に使用され得る。
【０１３５】
図１４Ａ〜１４Ｃは、換気装置４１０（図４Ａ、４Ｂ、８Ａ、８Ｂ、１８、２１Ａ、２１Ｂ、及び２６を参照）を実装するために使用され得るインラインファン５５０の例示的な実装を例示する。インラインファン５５０は、図１４Ａ、１４Ｂ、及び１４Ｃで、それぞれ正面図、側面図、及び底面図で描かれている。インラインファン５５０または類似の対流装置は、換気パイプ４００のある切片内に（または換気パイプ４００の隣接する切片間に）、好ましくは地中箱１２（図１、３〜４Ｂ、９Ａ、１８、１９、２１Ａ、２１Ｂ、２６Ａ、及び３２を参照）の天井５６（図１、４Ａ、４Ｂ、９Ａ、１８、及び１９を参照）の近くに、挿入され得る。しかしながら、これは、要件ではない。インラインファン５５０は、内部雰囲気１０４（図３を参照）から外部雰囲気１０２（図３を参照）内へ、及びその逆に、空気を吹くように配向され得る。
【０１３６】
図１４Ａ及び１４Ｂを参照すると、インラインファン５５０は、上方フランジ５５２及び下方フランジ５５４を含むハウジング５５１を有する。上方フランジ５５２及び下方フランジ５５４は、それぞれ上方フランジ５３１及び下方フランジ５３２（図８Ａ、８Ｂ、９Ａ、１３Ｂ、及び１３Ｃを参照）と実質的に同一である。したがって、上方フランジ５５２及び下方フランジ５５４は、それぞれ上方フランジ４０２及び下方フランジ４０４（図８Ａ及び８Ｂを参照）に連結され得る。図１４Ｂ及び１４Ｃを参照すると、ハウジング５５１の内側に、インラインファン５５０は、回転可能なファン翼５５６を含む。図１４Ｂは、ファン翼５５６の内部構成を示す。
【０１３７】
非限定的な例として、インラインファン５５０は、単純な軸流インラインファンまたは連続的かつ信頼性ある動作が可能なインライン遠心ファンのいずれかとして実装されてもよい。上記のインラインヒーター５００（図８Ａ、８Ｂ、９Ａ、及び１３Ａ〜１３Ｃを参照）と同様に、インラインファン５５０は、地中箱１２内の好適な設備から電力を引き出し得る。インラインファン５５０は、主チャンバ５２（図１、４Ａ、４Ｂ、９Ａ、１８、１９、２１Ａ、２１Ｂ、及び２６を参照）の電気分類を満たす定格を有し、インラインファン５５０を相対的に耐食性及び防汚性にして長寿命を提供するために好適に収納されてもよい。
【０１３８】
マンホール環状支持体
図５Ａを参照すると、上述したように、マンホール蓋２３０Ａは、マンホール環状支持体２５０Ａの出張り２５４Ａ上に載っていてもよい。任意追加的に、環状支持体２５０Ａ（図５Ａ、５Ｂ、５Ｃ、９Ｂ、及び１９を参照）とマンホール蓋２３０Ａの外周との間の空隙を通じた水の流入は、少なくとも１つの部分的な堰堤５８２（図６Ａ〜６Ｃを参照）及び／または部分的な溝もしくは堀５８６（図６Ａ〜６Ｃを参照）を環状支持体２５０Ａに加えて流れをこの領域から逸らすことにより、低減され得る。
【０１３９】
例えば、図６Ａを参照すると、環状支持体２５０Ｂは、表面３０の上または横側に位置決めされた上方外部部分５８０を有する。上方外部部分５８０は、２つの半円形の部分的な環状堰堤５８２を含む。部分的な堰堤５８２のそれぞれは、約９０度〜約３３０度の角度で存在してもよい。現地法規によっては、部分的な環状堰堤５８２のそれぞれの高さは、典型的にマンホール蓋２３０Ｂの上面２３２Ｂから約１／８インチ（０．３１７５ｃｍ）〜約３／１６インチ（０．４７６２５ｃｍ）以下上方にあってもよい。表面３０上の水を適切に逸らすために、部分的な環状堰堤５８２は、その中間点からマンホール蓋２３０Ｂの中心への方向が環状堰堤のすぐ隣の表面３０の有効傾斜Ｓ１と一直線に整列するように、位置決めされている。この方向は、道路と平行な方向の表面３０の勾配（矢印Ｓ２により表される）を道路に垂直な傾斜（矢印Ｓ３により表される）にベクトル加算することにより得られる合力である。
【０１４０】
マンホール蓋２３０Ｂの外周の近くに配設される１つまたは複数の部分的な環状堀５８６は、環状支持体２５０Ｂの上方外部部分５８０内に形成されてもよい。例示した実施形態では、堀５８６は、部分的な環状堰堤５８２同士の間に位置決めされている。堀５８６は、マンホール蓋２３０Ｂから離れる方向に水を偏向させ、それにより環状支持体２５０Ｂとマンホール蓋２３０Ｂの外周との間の空隙に進入し得る水の量をさらに低減すると考えられる。環状堰堤５８２と同様に、部分的な環状堀５８６のそれぞれは、半円形であるが、約９０度〜約３３０度の角度で存在してもよい。
【０１４１】
上記の部分的な堰堤５８２及び環状堀５８６は、つまずき、騒音、及び摩擦の考慮事項に対処するために、様々な断面形状（数ある中でも、例えば、矩形状、斜角付きの矩形状、面取矩形状、台形状、隅肉付きの矩形状、または弓形状）を有し得る。
【０１４２】
堰堤５８２及び堀５８６に適用される「部分的」という用語は、環状支持体２５０Ｂと同心のこれらの特徴部が、環状支持体２５０Ｂの周囲に部分的にのみ延在することを示す。言い換えれば、部分的な堰堤５８２及び堀５８６は、部分的にのみマンホール蓋２３０Ｂを取り囲む。
【０１４３】
堀（複数可）
環状支持体２５０Ｂの外周の近くに配設される１つまたは複数の部分的な車道堀５９０は、表面３０内に形成されてもよい。例えば、部分的な車道堀５９０が、表面３０内に掘り込まれてもよい。部分的な車道堀５９０及びは、マンホール蓋２３０Ｂから離れる方向に水を偏向させ、それにより環状支持体２５０Ｂとマンホール蓋２３０Ｂの外周との間の空隙に進入し得る水の量をさらに低減すると考えられる。環状堰堤５８２及び堀５８６と同様に、部分的な車道堀５９０のそれぞれは、半円形であるが、約９０度〜約３３０度の角度で存在してもよい。本明細書において、部分的な車道堀５９０は、弓形状または直線状であってもよく、後者のバージョンの方が、より容易に既存の表面３０へ掘り込まれる。部分的な車道堀５９０は、つまずき、騒音、及び摩擦の考慮事項に対処するために、様々な断面形状（数ある中でも、例えば、矩形状、斜角付きの矩形状、面取矩形状、台形状、隅肉付きの矩形状、または弓形状）を有し得る。
【０１４４】
車道堀５９０に適用される「部分的」という用語は、環状支持体２５０Ｂと同心のこれらの特徴部が、環状支持体２５０Ｂの境界線の周囲に部分的にのみ延在することを示す。言い換えれば、部分的な車道堀５９０は、部分的にのみマンホール蓋２３０Ｂを取り囲む。
【０１４５】
１つまたは複数の部分的な環状堰堤５８２、部分的な環状堀５８６、もしくは部分的な車道堀５９０、またはこれらの特徴部の組み合わせが用いられてもよい（例えば、図６Ａ〜６Ｃに例示するように、かつ上述したように）。
【０１４６】
任意追加的な排気孔栓
背景技術セクションで述べたように、マンホール蓋のためにさらなる通気孔を提供することの大きな限界は、望ましくない液体、主に水、ならびに雪及び雪泥を含む固体の不可避的な流入である。図８Ａを参照すると、この価値低下は、排気孔栓６５３Ｄにより少なくとも部分的に対処され得る。排気孔栓６５３Ｄは、マンホール蓋に形成される任意の好適な形状の孔への挿入のために構成され得る。簡潔性のため、排気孔栓６５３Ｄは、マンホール蓋２３０Ｄの排気孔２５３Ｄ（図８Ｅ〜８Ｇを参照）のうちの１つへの挿入のために構成されるとして後述される。
【０１４７】
図１５を参照すると、排気孔栓６５３Ｄは、排気孔キャップ６５４及び支持部材６５６を含む。支持部材６５６は、キャップ６５４の底面６５５に取り付けられ、底面６５５から離れる方向に延在する。支持部材６５６は、互いから離間され、排気孔キャップ６５４の外周に沿って位置決めされた、複数のスペーサ部分または段差６５８を含む。図８Ｃを参照すると、断面８Ｆ−８Ｆは中心をわずかに（約１／１６インチ（０．１５８７５ｃｍ））外れて通り、そのため支持部材６５６はこの図では支持されていないように見えるが、後続の例示及び検討は、この要素の位置を明らかにすることに留意されたい。
【０１４８】
図８Ｇを参照すると、段差６５８（図１５を参照）は、支持部材６５６の排気孔２５３Ｄ内への挿入深さを制限するように構成されている。支持部材６５６の段差６５８（図１５を参照）は、排気孔キャップ６５４をマンホール蓋２３０Ｄの上面２３２Ｄの上方に位置決めする。したがって、空隙６５９（図８Ｇを参照）は、排気孔キャップ６５４の底面６５５とマンホール蓋２３０Ｄの上面２３２Ｄとの間に画定されている。空隙６５９は、図３に示す危険なガス組成物１０６の吐出を可能にする（排気孔２５３Ｄを通じて）。雨水及びデブリの進入を制限しながらガスが流れ得る空隙６５９を残すように、異なる排気孔栓６５３Ｄが、排気孔２５３Ｄのそれぞれ内に位置決めされ、排気孔キャップ６５４は、マンホール蓋２３０Ｄの上面２３２Ｄの上方に位置決めされている。
【０１４９】
排気孔栓６５３Ｄは、マンホール蓋２３０Ｄの排気孔２５３Ｄのうちの１つ内にプレス嵌め（または締まり嵌め）され得る。このような実施形態では、支持部材６５６の寸法は、支持部材６５６を摩擦により排気孔２５３の内側に適所に保持するために、排気孔２５３Ｄの内部サイズに対してわずかに過大なサイズであってもよい。この押圧作業の間、支持部材６５６の複数の段差６５８（図１５で最もよく見える）は、段差６５８がマンホール蓋２３０Ｄの上面２３２Ｄ上に着座または載っているため、その排気孔２５３Ｄへの移動を制限する。
【０１５０】
排気孔栓６５３Ｄは、鋳鉄から製作されるのが好ましいが、構造要件を満たし接触腐食を開始させないことを条件として、鋼、繊維ガラス複合体、またはアルミニウム等の材料が使用されてもよい。排気孔栓６５３Ｄは、一体型ユニットとして鋳造されてもよいが、代替的に、個々のコンポーネントから（例えば、鋼又はアルミニウムの場合、溶接またはろう付けにより）組み立てられてもよい。排気孔栓６５３Ｄは、それぞれのキャップ６５４が支持部材６５６と一体であるモノリシック構造体であることが好ましい。
【０１５１】
任意追加的な換気孔栓
図８Ａを参照すると、排気孔栓６５３Ｄのように、換気孔栓６５２Ｄは、望ましくない液体、主に水、ならびに雪及び雪泥を含む固体の地中箱１２（図１、３〜４Ｂ、９Ａ、１８、１９、２１Ａ、２１Ｂ、２６Ａ、及び３２を参照）への流入を少なくとも部分的に限定または防止するように構成されている。換気孔栓６５２Ｄは、マンホール蓋に形成される任意の好適な形状の孔への挿入のために構成され得る。簡潔性のため、換気孔栓６５２Ｄは、マンホール蓋２３０Ｄと共に使用され、換気孔２５２Ｄ（図８Ｄ、８Ｅ、８Ｈ、及び８Ｉを参照）のうちの１つへの挿入のために構成されるとして後述される。
【０１５２】
図８Ｈ及び８Ｉに例示する実施形態では、換気孔栓６５２Ｄは、排気孔栓６５３Ｄ（図８Ａ〜８Ｃ、８Ｆ、８Ｇ、９Ａ、１５、及び１９を参照）に実質的に類似しているが、排気孔２５３Ｄ（図８Ｅ〜８Ｇを参照）のうちの１つの代わりに、換気孔２５２Ｄのうちの１つへの挿入のために構成されている。図１６を参照すると、換気孔栓６５２Ｄは、換気孔キャップ６６４及び支持部材６６６を含む。支持部材６６６は、キャップ６６４の底面６６５に取り付けられ、底面６６５から離れる方向に延在する。支持部材６６６は、互いから離間され、換気孔キャップ６６４の外周に沿って位置決めされた、複数のスペーサ部分または段差６６８を有してもよい。上述したように、図８Ｃを参照すると、断面８Ｆ−８Ｆは中心をわずかに（約１／１６インチ（０．１５８７５ｃｍ））外れて通り、そのため支持部材６６６は図８Ｉでは支持されていないように見えるが、後続の例示及び検討は、この要素の位置を明らかにする。
【０１５３】
図８Ｉを参照すると、段差６５８（図１６を参照）は、支持部材６６６が換気孔２５２Ｄ内に挿入され得る深さを限定するように構成されている。支持部材６６６の段差６６８（図１６を参照）は、換気孔キャップ６６４をマンホール蓋２３０Ｄの上面２３２Ｄの上方に位置決めする。したがって、空隙６６９が、排気孔キャップ６５４の底面６６５とマンホール蓋２３０Ｄの上面２３２Ｄとの間に画定されている。空隙６６９は、補給空気が地中箱１２に進入することを可能にする（換気孔２５２Ｄを通じて）。雨水及びデブリの進入を制限しながら空気が流れ得る空隙６６９を残すように、異なる換気孔栓６５２Ｄが、換気孔２５２Ｄのそれぞれ内に位置決めされ、換気孔キャップ６６４は、マンホール蓋２３０Ｄの上面２３２Ｄの上方に位置決めされている。
【０１５４】
換気孔栓６５２Ｄは、マンホール蓋２３０Ｄの換気孔２５２Ｄのうちの１つ内にプレス嵌め（または締まり嵌め）され得る。このような実施形態では、支持部材６６６の寸法は、支持部材６６６を摩擦により換気孔２５２の内側に適所に保持するために、換気孔２５２Ｄの内部サイズに対してわずかに過大なサイズであってもよい。この押圧作業の間、支持部材６６６の複数の段差６６８（図１６で最もよく見える）は、段差６６８がマンホール蓋２３０Ｄの上面２３２Ｄ上に着座または載っているため、その換気孔２５２Ｄへの移動を制限する。
【０１５５】
換気孔栓６５２Ｄは、鋳鉄から製作されるのが好ましいが、構造要件を満たし接触腐食を開始させないことを条件として、鋼、繊維ガラス複合体、またはアルミニウム等の材料が使用されてもよい。換気孔栓６５２Ｄは、一体型ユニットとして鋳造されてもよいが、代替的に、個々のコンポーネントから（例えば、鋼又はアルミニウムの場合、溶接またはろう付けにより）組み立てられてもよい。換気孔栓６５２Ｄは、キャップ６６４が支持部材６６６と一体であるモノリシック構造体であることが好ましい。
【０１５６】
換気孔栓の代替的な実施形態
図１０Ａは、マンホール蓋２３０Ｆと共に使用するための換気孔栓６５２Ｆを図示する。換気孔栓６５２Ｆは、換気孔２５２Ｆのうちの１つ内に挿入されるように構成されている。換気孔栓６５２Ｆは、換気孔栓６５２Ｄ（図８Ａ〜８Ｄ、８Ｈ、８Ｉ、及び１６を参照）を作製するために好適な任意の材料から作製されてもよい。
【０１５７】
図１７Ａ〜１７Ｃを参照すると、換気孔栓６５２Ｆは、それぞれ丸型換気孔キャップ６７４及び支持部材６７６を含む。図１７Ｂを参照すると、支持部材６７６は、キャップ６７４の底面６７５（図１７Ｂを参照）に取り付けられ、底面６７５から離れる方向に延在する。換気孔栓６５２Ｆは、キャップ６７４が支持部材６７６と一体であるモノリシック構造体であることが好ましい。換気孔栓６５２Ｄ（図８Ａ〜８Ｄ、８Ｈ、８Ｉ、及び１６を参照）の支持部材６６６（図８Ｉ及び１６を参照）と同様に、支持部材６７６は、互いから離間され、換気孔キャップ６７４の外周に沿って位置決めされた、複数のスペーサ部分または段差６７８を含む。
【０１５８】
図１０Ｆを参照すると、段差６７８（図１７Ｂ及び１７Ｃを参照）は、支持部材６７６の換気孔２５２Ｆ内への挿入深さを制限するように構成されている。支持部材６７６の段差６７８（図１７Ｂ及び１７Ｃを参照）は、換気孔キャップ６６４を環状出張り２９６の上方に位置決めする。したがって、空隙６７９が、排気孔キャップ６５４の底面６７５と環状出張り２９６との間に画定されている。空隙６７９は、図３に示す危険なガス組成物１０６の吐出を可能にする（換気孔２５２Ｆを通じて）。図１０Ｆを参照すると、雨水及びデブリの進入を制限しながら空気が流れ得る空隙６７９を残すように、異なる換気孔栓６５２Ｆが、換気孔２５２Ｆのそれぞれ内に位置決めされ、換気孔キャップ６６４は、環状出張り２９６の上方に位置決めされている。
【０１５９】
排気孔栓６５３Ｄ（図８Ａ〜８Ｃ、８Ｆ、８Ｇ、９Ａ、１５、及び１９を参照）、換気孔栓６５２Ｄ（図８Ａ〜８Ｄ、８Ｈ、８Ｉ、及び１６を参照）、ならびに／または換気孔栓６５２Ｆ（図１０Ａ、１０Ｂ、１０Ｄ〜１０Ｆ、及び１７Ａ〜１７Ｃを参照）は、換気孔（例えば、図２に描く換気孔７２）を有する既存のマンホール蓋（例えば、図２に描くマンホール蓋７０）と共に使用するように適合または改造されてもよい。このようなマンホール蓋では、一部の前から存在する孔が、排気用に選択され得、他の前から存在する孔が、換気用に選択され得る。任意追加的に、適切なマニホールド（例えば、それぞれ図７、８Ａ、及び１１Ａに例示するマニホールド２４６Ａ、２４６Ｄ、及び４６０のうちの１つ）が、使用されてもよい。
【０１６０】
換気システムの第２の実施形態
図１８は、地中箱１２に設置される換気システム７１０の第２の実施形態を描く。換気システム２１０（図４Ａ〜５Ｂ、６Ａ、７〜８Ｃ、９Ａ、及び９Ｂを参照）と同様に、換気システム７１０は、換気システム１０（図３を参照）の例示的な実装である。上述したように、図３を参照すると、マンホール蓋１３０により形成されるインターフェース９２を横切って空気交換（矢印Ａ１及びＡ２により表される）を成し遂げる代わりに、空気交換の少なくとも一部（矢印Ａ１´及びＡ２´により表される）は、主チャンバ５２に接続された代替的なチャネルまたはダクト（例えば、換気筒１３２）内で発生してもよい。例えば、図１８を参照すると、換気パイプ４００は、換気筒１３２に直接流体接続されてもよい。このような実施形態では、対流組立体２４０は、内部空気を換気筒１３２内に移動させてもよく、内部空気は、そこから退出し（図３の矢印Ａ２´により表される）外部雰囲気１０２（図３を参照）内に入る。このような実施形態では、外部空気は、マンホール蓋７３０（図３の矢印Ａ１により表される）内に形成された１つまたは複数の換気孔７５２を通じてなど、他の手段を通じて地中箱１２に進入してもよい。
【０１６１】
図１８は、（典型的に）１フィート超〜約３フィートだけマンホール蓋７３０から変位された換気筒１３２を描く。この場合、換気パイプ４００の第１の開放端部４４０は、換気筒１３２が地中箱１２の主チャンバ５２の側壁（複数可）５４のうちの１つを貫く点において、封止可能に換気筒１３２に接続される。換気筒１３２に関連付けられたダクト直径は典型的に換気パイプ４００のダクト直径より大きいため、移行コネクタまたは環状栓７３２を使用し、当技術分野でよく知られた方法を使用してこれら２つの特徴部を連結してもよい。換気パイプ４００は、地中箱１２の主チャンバ５２内へ延在し、少なくとも１つの第２の開口部４４８を、換気パイプ４００の第２の開放端部４４２の近位に、主チャンバ５２の床部５８から約３フィート以下上方の垂直高さに位置決めしてもよい。
【０１６２】
上述したように、換気パイプ４００は、１つまたは複数の第２の開口部４４８を含んでもよい。例えば、換気パイプ４００は、壁部（複数可）４３０（図５Ａ、５Ｂ、１９、及び２０を参照）内に形成された複数の第２の開口部４４８（例えば、図９Ａに描く孔４４９）を含んでもよい。第２の開口部４４８は、地中箱１２内の水位が上昇するときでさえ換気を可能にするように構成されてもよい。第２の開口部４４８は、均一なサイズ及び形状を有しても良く、または地中箱１２の下方に位置付けられたより大きな孔から空気を引き込む（もしくは空気を押し通す）ために段階的（もしくは多様）であってもよい。さらに、第２の開口部４４８のうちの１つまたは複数は、スリットであってもよく、または水位が上昇するまで閉止されたままにとどまるように構成されたフラップ部（図２０に例示するフラップ部４４７のような）を含んでもよい。
【０１６３】
換気パイプ４００は、図１８に示す側壁（複数可）５４から離れて位置決めされてもよい。換気パイプ４００の代替的な構成及び位置を破線を使用して示す。代替的な構成では、換気パイプ４００は、主チャンバ５２の側壁（複数可）５４のうちの少なくとも１つに密着し、任意追加的にそれに固定されてもよい。
【０１６４】
上述したように、マンホール蓋７３０は、補給空気が地中箱１２に進入することを可能にするように構成された少なくとも１つの換気孔７５２（図５Ａ及び５Ｂに示す換気孔２５２Ａまたは図２に示す換気孔７２のような）を含んでもよい。代替的に、補給空気は、管路２０Ａ〜２０Ｃ（図１及び３２を参照）から、ならびに地中箱１２内への不可避的な空気漏れから引き込まれてもよい。任意追加的に、地中箱１２に進入し、かつ／または地中箱１２から出る管路２０Ａ〜２０Ｃ（図１を参照）からの汚染されたガスを引き込むことが目的である場合、マンホール蓋７３０の換気孔（複数可）７５２は、適切に閉栓されてもよい。
【０１６５】
任意追加的に、換気筒１３２と実質的に同一の第２の換気筒（図示せず）が、主チャンバ５２に接続され、補給空気を地中箱１２に提供するように構成されてもよい。この場合、第２の換気筒（図示せず）は、（第１の）換気筒１３２から変位されてもよい。追加的に、マンホール蓋７３０は、換気孔（複数可）７５２をもはや必要としない。第２の換気筒（図示せず）は、地中箱１２の初期建設中に設置されてもよく、または後の時点で追加されてもよい。
【０１６６】
換気システム７１０は、マニホールド（例えば、図７、９Ｂ、及び１９に描くマニホールド２４６Ａ、図８Ａ、８Ｂ、８Ｄ、８Ｆ、及び８Ｈに描くマニホールド２４６Ｄ、または図１１Ａ〜１１Ｃに描くマニホールド４６０）を任意追加的に使用して換気パイプ４００の第１の開放端部４４０をマンホール蓋７３０（または異なるマンホール蓋）内に形成された１つまたは複数の排気孔または換気孔に流体接続することにより、換気システム２１０（上述し、図４Ａ〜５Ｂ、６Ａ、７〜８Ｃ、９Ａ、及び９Ｂに例示する）に容易に転換され得る。例えば、図９Ｂを参照すると、換気パイプ４００の第１の開放端部４４０は、マンホール蓋２３０Ｅ（それぞれ図９Ａ及び９Ｂを参照）の排気孔２５３Ｅに接続されたマニホールド２４６Ａのポート３３０Ａに接続されてもよい。
【０１６７】
換気システムの第３の実施形態
図１９は、地中箱１２内に設置された換気システム８１０の第３の実施形態を描く。換気システム２１０（図４Ａ〜５Ｂ、６Ａ、７〜８Ｃ、９Ａ、及び９Ｂを参照）と同様に、換気システム８１０は、換気システム１０（図３を参照）の例示的な実装である。しかしながら、換気システム８１０は、換気装置４１０（図４Ａ、４Ｂ、８Ａ、８Ｂ、１８、２１Ａ、２１Ｂ、及び２６を参照）を省略している。その代わりに、換気パイプ４００は、（上述した）煙突（筒）効果を使用するパッシブ換気装置として単独で作動する。したがって、換気装置４１０は必要ではない。
【０１６８】
図１９では、換気パイプ４００は、第２の開口部４４８のうちの少なくとも１つが床部５８からせいぜい約３フィート上方に位置付けられるように、地中箱１２内へ延在する。例示した実施形態では、換気パイプ４００は、壁部（複数可）４３０内に形成された複数の第２の開口部４４８（例えば、図９Ａに描く孔４４９）を含む。第２の開口部４４８は、地中箱１２内の水位が上昇するときでさえ換気を可能にするように構成されてもよい。第２の開口部４４８は、均一なサイズ及び形状を有しても良く、または地中箱１２の下方に位置付けられたより大きな孔から空気を引き込む（もしくは空気を押し通す）ために段階的（もしくは多様）であってもよい。さらに、第２の開口部４４８のうちの１つまたは複数は、スリットであってもよく、または水位が上昇するまで閉止されたままにとどまるように構成されたフラップ部（図２０に例示するフラップ部４４７のような）を含んでもよい。
【０１６９】
上述したように、地中箱１２は、時々激しい降水のために部分的に水浸しになり得る。図１９では、地中箱１２を、部分的に水８０で満たされた状態で例示する。換気パイプ４００はこの垂直高さより下方の位置からいかなる内部雰囲気１０４（例えば、図３に描くガス組成物１０６）も引き込むことができないため、本明細書において、床部５８の上方の最高水位８１２を「有効床部」と呼ぶ。
【０１７０】
線８１４は、最も低い非水没点火源８１６の上方（例えば、約６インチ（１５．２４ｃｍ））の点火高さを例示する。水没点火源が火災または爆発を開始させないことは明白であろう。非限定的な例として、以下の点火源のうちの１つまたは複数が、地中箱１２内に存在し得る。
１．地中箱１２内に位置付けられた地下設備（例えば、変圧器及び／または開閉装置）のライブフロント型終端上の露出導体
２．デッドフロント型地下設備の終端
３．二次ケーブル
４．継手
５．通常床部５８の上方で地中箱１２の側壁（複数可）５４上に装着される２本の中電圧または低電圧の二次ケーブルを互いに接続するＴ本体
【０１７１】
有効床部の概念を使用して、第２の開口部４４８のうちの少なくとも１つの垂直高さが点火高さを表す線８１４と有効床部８１２との間にあるには、換気パイプ４００がどれほど遠くまで地中箱１２内へ延在すべきかを決定することができる。有効床部８１２の高さは地中箱１２のすぐ近傍における過去の経験からやや予測可能であるものの、有効床部８１２の高さを正確に知り、または保証することはできない。しかしながら、図１２に示す浮遊物組立体４１２は、水８０の高さ、したがって有効床部８１２の高さに追従する。浮遊物組立体４１２は、浮遊物６９０同士の間を流れる空気のみが蛇腹６８２（及び蛇腹６８２の内側に位置決めされた第２の開口部４４８）に進入することを可能にする。したがって、浮遊物６９０同士の間の開口部６９２の高さが、水８０（図３及び１９を参照）の高さにより決定される有効取り入れ高さである。この様式で、浮遊物組立体４１２を使用して、有効取り入れ高さの高さを有効床部８１２の上方に維持するように、有効取り入れ高さの高さを自動的に調節することができる。
【０１７２】
有効取り入れ高さを決定するためのこのアプローチは、排気がアクティブであるか（例えば、換気装置４１０が使用される）、またはパッシブであるか（例えば、換気パイプ４００のみが使用される）にかかわらず、記載する任意の他の実施形態に適用することができる。
【０１７３】
換気システムの第４の実施形態
図２１Ａは、換気システム９１０の第４の実施形態を例示する。換気システム２１０（図４Ａ〜５Ｂ、６Ａ、７〜８Ｃ、９Ａ、及び９Ｂを参照）と同様に、換気システム９１０は、換気システム１０（図３を参照）の例示的な実装である。換気システム９１０は、外部雰囲気１０２（図３を参照）の少なくとも一部分を主チャンバ５２内に移動（引き込む）ように構成されてもよく、このことは、内部雰囲気１０４（図３を参照）の一部分を主チャンバ５２から退出（または排気）させる。代替的または追加的に、換気システム９１０は、内部雰囲気１０４（図３を参照）の少なくとも一部分を主チャンバ５２から外部雰囲気１０２（図３を参照）内へと押圧する（または吹く）ように構成されてもよい。この実施形態では、インターフェース９２（図３を参照）は、マンホール蓋２３０Ｇとして実装され、対流組立体９０（図３を参照）は、対流組立体９１４として実装されている。換気システム９１０は、換気筒１３２（図３を参照）を含んでもよい。しかしながら、これは要件ではなく、換気筒１３２（図３を参照）は図２１Ａから省略されている。
【０１７４】
任意追加的に、図２１Ａを参照すると、換気システム９１０は、環状支持体２５０Ｇを含んでもよい。例示する実装では、マンホール蓋２３０Ｇは、それぞれ図５Ａ及び６Ａに例示する環状支持体２５０Ａ及び２５０Ｂと同じ機能を提供するように構成された環状支持体２５０Ｇにより支持されている。図２１Ａを参照すると、環状支持体２５０Ｇは、出張り２５４Ａ（図５Ａ、５Ｂ、及び９Ｂを参照）と実質的に同一であり、上にマンホール蓋２３０Ｇが載っている、出張り２５４Ｇ（図２６Ａを参照）を含んでもよい。図２６Ａを参照すると、環状支持体２５０Ｇは、出張り２５４Ｇの下方に位置決めされた、首部６０内へ向いた、内側面２５６Ｇも有する。環状支持体２５０Ｇは、少なくとも１つの堰堤５８２（図６Ａ〜６Ｃを参照）及び／または少なくとも１つの堀５８６（図６Ａ〜６Ｃを参照）を含むように構成されてもよい。さらに、少なくとも１つの堀５９０（図６Ａ〜６Ｃを参照）が、マンホール蓋２３０Ｇの横側の表面３０内に形成されてもよい。任意追加的に、防水シール（図５Ｃに例示するシール２５１のような）が、マンホール蓋２３０Ｇと環状支持体２５０Ｇとの間に位置決めされてもよい。シール（図示せず）は、マンホール蓋２３０Ｇと環状支持体２５０Ｇとの間の水浸入を防止するのを助けるように構成されている。シール（図示せず）は、ガスケット、Ｏリング、パテ、コーキング材、これらの組み合わせなどとして実装されてもよい。
【０１７５】
マンホール蓋
図２２Ａ及び２２Ｂを参照すると、マンホール蓋２３０Ｇは、内向きの底側９１９に対向する外向きの上側９１８を有する。図２２Ａを参照すると、マンホール蓋２３０Ｇは、周縁部９２１により取り囲まれた中央部分９２０を有する。マンホール蓋２３０Ｇは伝統的な丸型マンホール蓋形状を有するとして例示されているものの、マンホール蓋２３０Ｇは、矩形状などの代替的な形状を有してもよい。
【０１７６】
複数の出口または排気孔２５３Ｇが、中央部分９２０に隣接して位置決めされ、複数の入口または換気孔２５２Ｇが、周縁部９２１に隣接して位置決めされている。例示した実施形態では、換気孔２５２Ｇ及び排気孔２５３Ｇは、径方向で重なり合わない。しかしながら、これは、要件ではない。換気孔２５２Ｇ（これは、図３に描く換気孔１５２の実装である）は、外部雰囲気１０２（図３を参照）の一部分（図３の矢印Ａ１により表される）が内部雰囲気１０４（図３を参照）内に流入することを可能にする。他方、排気孔２５３Ｇ（これは、図３に描く排気孔１５３の実装である）は、内部雰囲気１０４（図３を参照）の一部分（図３の矢印Ａ２により表される）が外部雰囲気１０２（図３を参照）内に流入することを可能にする。しかしながら、上記で説明したように、通る流れの方向を逆にすることにより、排気孔２５３Ｇは、換気孔に転換されてもよく、換気孔２５２Ｇは、排気孔に転換されてもよい。
【０１７７】
図２２Ａ及び２２Ｂを参照すると、マンホール蓋２３０Ｇにより課される流れの制約を低減するために、換気孔２５２Ｇ及び排気孔２５３Ｇの全体的なサイズ（面積）を最大化することが有益であり得る。しかしながら、当業者に自明であるように、換気孔２５２Ｇ及び排気孔２５３Ｇは、マンホール蓋２３０Ｇの構造的健全性が通常の使用（例えば、ＯＳＨＡ  １９２６．５０２、ＡＡＳＨＴＯ−Ｍ３０６などにより特定された使用）に耐えるのに十分であるように、構成されるべきである。
【０１７８】
上述した他のマンホール蓋（例えば、それぞれ図８Ａ及び１０Ａに示すマンホール蓋２３０Ｄ及び２３０Ｆ）と同様に、マンホール蓋２３０Ｇは、治水特徴部を含んでもよい。例えば、図２２Ａを参照すると、上側９１８は、それを通じて降雨及び地表水が流れ得る通過路を提供するように配置されたチャネル９２４を含んでもよい。チャネル９２４は、地表水を、換気孔２５２Ｇ及び排気孔２５３Ｇから離れる方向に方向付ける。チャネル９２４は、中に情報（例えば、ブランド、ロゴなど）が表示され得る上面部分９２２を画定してもよい。
【０１７９】
例示した実施形態では、チャネル９２４は、換気孔２５２Ｇ及び排気孔２５３Ｇのそれぞれから離間され、換気孔２５２Ｇ及び排気孔２５３Ｇのそれぞれを部分的または完全に取り囲む堰堤のような部分９２６を画定する。これらの堰堤のような部分９２６は、地表水が換気孔２５２Ｇ及び排気孔２５３Ｇに進入するのを防止するのを助ける。上側９１８はかさ上げ壁（図８Ｃ及び８Ｅに例示するかさ上げ壁（複数可）２３５Ｄまたは図１０Ｂ、１０Ｃ、及び１０Ｅに例示するかさ上げ壁２９８のような）の代わりにチャネル９２４を含むため、より少ない騒音が、マンホール蓋２３０Ｇの上方を走行する車両により生成され得る。
【０１８０】
任意追加的に、複数の換気孔栓６５２Ｄ（図８Ａ〜８Ｄ、８Ｈ、８Ｉ、及び１６を参照）が、一部の換気孔２５２Ｇニアに１つずつ挿入されてもよく、かつ／または複数の換気孔栓６５２Ｆ（図１０Ａ、１０Ｂ、１０Ｄ〜１０Ｆ、及び１７Ａ〜１７Ｃを参照）が、一部の換気孔２５２Ｇ内に１つずつ挿入されてもよい。同様に、複数の排気孔栓６５３Ｄ（図８Ａ〜８Ｃ、８Ｆ、８Ｇ、９Ａ、１５、及び１９を参照）が、排気孔２５３Ｇ内に１つずつ挿入されてもよい。
【０１８１】
マンホール蓋２３０Ｇの上側９１８は、中央部分９２０の近くでより高く、周縁部９２１に向かって下向きに湾曲する湾曲形状または略円蓋形状を有してもよい。この円蓋形状は、水を中央部分９２０から周縁部９２１に向かって方向付けるのを助ける。円蓋形状はまた、換気孔２５２Ｇ及び排気孔２５３Ｇを、所定の量（例えば、米国障害者法により指定された要件に従って約１／８インチ（０．３１７５ｃｍ）、約３／８インチ（０．９５２５ｃｍ）、少なくとも約１／８インチ（０．３１７５ｃｍ）、または約３／８インチ（０．９５２５ｃｍだけ表面３０（図１、３〜６Ｃ、９Ａ、９Ｂ、１８、１９、２１Ａ、２６Ａ、及び３２を参照）の上方に位置決めする。
【０１８２】
マンホール蓋２３０Ｇは、その外周に沿って、１つまたは複数のマンホール蓋２３０Ｇをマンホール６２から持ち上げるために使用されるように構成された、１つまたは複数の従来の閉端した縦孔９２８を含む。縦孔９２８のそれぞれは、周縁部９２１から中央部分９２０に向かって径方向内向きに延在し、横ブリッジ部９２９の下を通る。作業者６１（図１及び３を参照）は、道具（例えば、つるはし（図示せず））を縦孔９２８のうちの１つ内に挿入し、ブリッジ部９２９上に引っ掛け、マンホール蓋２３０Ｇを上向きに、マンホール６２から持ち上げ得る。
【０１８３】
任意追加的に、図２２Ｂを参照すると、底側９１９は、排気孔２５３Ｇを取り囲む、下向きに延在するリング形状の壁部９４０を含む。リング形状の壁部９４０を含む実装は、マニホールド２４６Ａ（図７、９Ｂ、及び１９を参照）、２４６Ｄ（図８Ａ、８Ｂ、８Ｄ、８Ｆ、及び８Ｈを参照）、及び４６０（図１１Ａ〜１１Ｃを参照）のうちの１つを省略し得る。底側９１９は、壁部９４０の内側に位置決めされた、下向きに延在する構造体９４４を含んでもよい。例示した実施形態では、構造体９４４は、略六角形状であり、マンホール蓋２３０Ｇの中央部分９２０に、または中央部分９２０の近くに位置決めされている。複数の支持壁部９４８が、構造体９４４から径方向外向きに延在し、壁部９４０内に形成された円形フィレット部９４９を通過する。壁部９４８のそれぞれは、周縁部９２１に到達する前に終端する先細な遠位端部９５２を有する。排気孔２５３Ｇは、構造体９４４と壁部９４０との間に位置決めされている。換気孔２５２Ｇは、壁部９４０と周縁部９２１との間に位置決めされている。
【０１８４】
マンホール蓋２３０Ｇは、上記の最初の３つの実施形態において、マンホール蓋２３０Ａ〜２３０Ｆの代わりに使用されてもよい。このような実装では、換気孔２５２Ｇは、任意追加的に排気孔として使用されてもよく、排気孔２５３Ｇは、任意追加的に換気孔として使用されてもよい。しかしながら、これは、要件ではない。
【０１８５】
換気システム９１０はマンホール蓋２３０Ｇを含むとして説明されてきたものの、換気システム９１０は、代替的に、それぞれ図５Ａ、６Ａ、７、８Ａ、９Ｂ、及び１０Ａに例示するマンホール蓋２３０Ａ〜２３０Ｆのうちの１つを含んでもよい。さらに、マンホール蓋２３０Ｇは、さもなければ中空ではない蓋内に換気孔２５２Ｇ及び／または排気孔２５３Ｇを作成し、一部の既存の孔（例えば、図２に例示する換気孔７２）を閉栓し、かつ／またはリング形状の壁部９４０をマンホール蓋の下側に追加することにより、従来のマンホール蓋（例えば、図２に例示する通気孔付きマンホール蓋７０）を改造することにより実装されてもよい。
【０１８６】
対流組立体
図２１Ｂを参照すると、対流組立体９１４は、換気パイプ４００及び換気装置４１０を含む。任意追加的に、対流組立体９１４は、任意追加的な浮遊物組立体４１２（図１２を参照）を含んでもよい。対流組立体９１４は、支持ブラケット組立体９６０、ならびに／または任意追加的なマニホールド２４６Ａ（図７、９Ｂ、及び１９を参照）、２４６Ｄ（図８Ａ、８Ｂ、８Ｄ、８Ｆ、及び８Ｈを参照）、ならびに４６０（図１１Ａ〜１１Ｃを参照）のうちの１つを含んでもよい。しかしながら、上述したように、マンホール蓋２３０Ｇが使用されるとき、マニホールドは必要ではない。さらに詳細に後述するように、換気装置４１０は、換気装置組立体１１００（図２７及び３０〜３２を参照）として実装されてもよい。
【０１８７】
支持ブラケット組立体
図２３を参照すると、支持ブラケット組立体９６０は、支持フレーム９６５に連結された複数の装着組立体９６１〜９６４を有する。図２４を参照すると、支持フレーム９６５は、マンホール蓋２３０Ｇ（図２１Ａ〜２２Ｂ、３１、及び３２を参照）のリング形状の壁部９４０（図２１Ｂ及び２２Ｂを参照）に連結するように構成された上縁部９６７を有するリング形状の壁部９６６を含む。任意追加的に、シール（図示せず）が、壁部９４０と９６６との間に位置決めされてもよい。リング形状の壁部９６６は、上縁部９６７から下向きに延在するスロットまたは切り抜き部９７１〜９７４を含む。
【０１８８】
支持フレーム９６５は、中央部分９８５から外向きに延在する複数の細長フレーム部材９８１〜９８４を含む。フレーム部材９８１〜９８４は、互いに実質的に同一である。フレーム部材９８１〜９８４は、それぞれ切り抜き部９７１〜９７４を通じて中央部分９８５から延在し、それぞれ切り抜き部９７１〜９７４内でリング形状の壁部９６６に付着されている。フレーム部材９８１及び９８３は、長さ方向に互いに一直線に整列され、したがって互いに共線である。同様に、フレーム部材９８２及び９８４は、長さ方向に互いに一直線に整列され、したがって互いに共線である。例示した実施形態では、フレーム部材９８１〜９８４のうちの隣接するもの同士間に約９０度の内側角が画定されている。しかしながら、これは、要件ではない。フレーム部材９８１〜９８４のそれぞれは、長さ方向に延在するチャネル９８８内への開口部９８７を有する自由遠位端９８６を有する。さらに、フレーム部材９８１〜９８４のそれぞれは、フレーム部材のチャネル９８８内への側方アクセスを提供する１つまたは複数の横貫通孔９８９を有する。図２３を参照すると、貫通孔９８９（図２４を参照）は、それぞれ留め具Ｆ４（例えば、止めねじ）を受容するように構成されている。例示した実施形態では、外向きに延在するねじ部９８０が、貫通孔９８９（図２４を参照）のそれぞれを取り囲む。ねじ部９８０はそれぞれ、貫通孔９８９（図２４を参照）に位置合わせされた雌ねじを有し、留め具Ｆ４のそれぞれ上に形成された雄ねじと噛み合うように構成されている。したがって、留め具Ｆ４は、貫通孔９８９（図２４を参照）内へ螺合され、貫通孔９８９から螺合解除され得る。
【０１８９】
図２３を参照すると、装着組立体９６１〜９６４は、互いに実質的に同一である。簡潔性のため、装着組立体９６１のみを詳細に後述する。しかしながら、似た参照数字を使用して、装着組立体９６１〜９６４の実質的に同一なコンポーネントを特定している。
【０１９０】
図２５を参照すると、装着組立体９６１は、フレーム部材９８１（図２４を参照）のチャネル９８８（図２４を参照）の内側に受容され、その中で長さ方向に（水平に）摺動するように構成された、細長な支持部材９９０を有する。したがって、装着組立体９６１〜９６４（図２３を参照）の支持部材９９０は、それぞれフレーム部材９８１〜９８４（図２３を参照）に対して自在に伸縮する（水平に）として特徴付けられ得る。図２３を参照すると、留め具Ｆ４は、支持部材９９０に対して側方で嵌合し、支持部材９９０がチャネル９８８（図２４を参照）内で摺動するのを防止するように、貫通孔９８９（図２４を参照）内へ螺合され、貫通孔９８９内で位置決めされ得る。この様式で、図２３を参照すると、留め具Ｆ４は、それぞれフレーム部材９８１〜９８４に対する装着組立体９６１〜９６４の支持部材９９０の（水平）位置をロックする。
【０１９１】
図２５を参照すると、支持部材９９０は、チャネル９８８（図２４を参照）の外側に、フレーム部材９８１の自由遠位端９８６（図２４を参照）を越えて位置決めされるように構成された遠位端９９２を有する。直立した支持部材９９４が、支持部材９９０の遠位端９９２に連結されている。直立した支持部材９９４は、貫通チャネル９９６を画定する１つまたは複数の側壁９９５を有する。少なくとも１つの横貫通孔９９８が、側壁９９５のうちの１つに形成され、貫通チャネル９９６内への側方アクセスを提供するように構成されている。貫通孔９９８は、留め具Ｆ５（例えば、止めねじ）を受容するように構成されている。例示した実施形態では、外向きに延在するねじ部９９９が、貫通孔９９８を取り囲む。ねじ部９９９は、貫通孔９９８に位置合わせされた雌ねじを有し、留め具Ｆ５上に形成された雄ねじと噛み合うように構成されている。したがって、留め具Ｆ５は、貫通孔９９８内へ螺合され、貫通孔９９８から螺合解除され得る。
【０１９２】
貫通チャネル９９６は、直立した支持部材９９４の貫通チャネル９９６内で摺動するように構成された、直立した摺動部材１０００を受容するように構成されている。したがって、摺動部材１０００は、直立した支持部材９９４に対して自在に伸縮する（垂直に）として特徴付けられ得る。留め具Ｆ５は、摺動部材１０００に対して側方で嵌合し、摺動部材１０００が貫通チャネル９９６内で摺動するのを防止するように、貫通孔９９８内へ挿入され、貫通孔９９８内で位置決めされ得る。この様式で、留め具Ｆ５を使用して、直立した支持部材９９４に対する摺動部材１０００の（垂直）位置をロックすることができる。
【０１９３】
摺動部材１０００は、横チューブ形状部材１００６が連結された上方端部部分１００２を有する。チューブ形状部材１００６は、ピン１０１０を摺動可能に受容するように構成された、チューブ形状部材１００６内に形成された貫通チャネル１００８を有する。例示した実施形態では、チューブ形状部材１００６は、上方端部部分１００２に形成された貫通孔１０１２を横切り、摺動部材１０００に溶接されている。チューブ形状部材１００６は、摺動部材１０００から離れる方向に向いた端面１００７を有する。チューブ形状部材１００６は、摺動部材１０００と端面１００７との間の貫通チャネル１００８を通過する横貫通孔１０２０を有する。貫通孔１０２０は、貫通チャネル１００８内への側方アクセスを提供し、留め具Ｆ６（例えば、割りピン）を受容するように構成されている。
【０１９４】
ピン１０１０は、貫通チャネル１００８内を摺動するように構成された本体部１０２８と、貫通チャネル１００８に進入し、貫通チャネル１００８を通過するには大きすぎるヘッド部１０３０とを有する。一連の離間された貫通孔１０３４が、本体部１０２８内に形成されている。ピン１０１０は、チューブ形状部材１００６及び摺動部材１０００に対して自在に伸縮する（水平に）として特徴付けられ得る。ピン１０１０の本体部１０２８がチューブ形状部材１００６の貫通チャネル１００８内で摺動するとき、貫通孔１０３４のうちの異なるものが、横貫通孔１０２０に選択的に位置合わせされ得る。次いで、留め具Ｆ６は、横貫通孔１０２０を通じて、ピン１０１０に形成された選択された貫通孔１０３４内へ挿入され得る。この様式で、留め具Ｆ６を使用して、チューブ形状部材１００６及び摺動部材１０００に対するピン１０１０の位置をロックすることができる。ピン１０１０の本体部１０２８は、環状支持体２５０Ｇ（図２１Ａ、２１Ｂ、及び２６を参照）の内側面２５６Ｇ（図２６Ａ及び２６Ｂを参照）に十分な深さ（例えば、３／４インチ（１．９０５ｃｍ））に穿孔された孔１０４０（図２６Ｂを参照）内へ挿入されるように構成された自由遠位端１０３８を有する。
【０１９５】
図２６Ｂを参照すると、支持ブラケット組立体９６０は、装着組立体９６１〜９６４のピン１０１０の自由遠位端１０３８（図２５を参照）を環状支持体２５０Ｇの内側面２５６Ｇに穿孔された孔１０４０内に位置決めすることにより、環状支持体２５０Ｇに連結されている。図２５を参照すると、留め具Ｆ４〜Ｆ６は、緩められ、かつ／または取り外されてもよく、支持部材９９０、摺動部材１０００、及びピン１０１０の位置は、それぞれ調節されてもよく、これにより、ピン１０１０の自由遠位端１０３８は、環状支持体２５０Ｇの内側面２５６Ｇに穿孔された孔１０４０（図２６Ｂを参照）と噛み合う。この様式で、ピン１０１０は、リング形状の壁部９６６を出張り２５４Ｇの直径内の中心にある状態に維持し、支持ブラケット組立体９６０を環状支持体２５０Ｇ内の所与の高さに位置付ける。支持フレーム９６５（図２３、２４、及び２６を参照）に対する支持部材９９０、摺動部材１０００、及びピン１０１０の位置を調節することにより、支持ブラケット組立体９６０は、異なる内側形状及びサイズを有する環状支持体（環状支持体２５０Ｇのような）と共に使用するために、かつ手で穿孔され、正確に位置付けられていない場合がある孔１０４０（図２６Ｂを参照）に適合するように、構成され得る。この調節可能性は、リング形状の壁部９６６が中心に置かれ、水平にされ、かつ／または高さ調節されることも可能にし、これにより、マンホール蓋２３０Ｇが設置されるとき、リング形状の壁部９６６の上縁部９６７は、リング形状の壁部９４０に接するか、またはその近くにある。
【０１９６】
支持ブラケット組立体９６０は、設置、操作、及び取り外しが簡単であってもよい。初期設置時に、自在に伸縮する特徴部は、リング形状の壁部９４０と噛み合うようにリング形状の壁部９９６を正確に位置決めするために、設置技能者（例えば、図１及び３に例示する作業者６１）により利用される。例えば、作業者６１（図１及び３を参照）は、フレーム部材９８１〜９８４のうちの１つを掴み、支持ブラケット組立体９６０をマンホール６２を介して環状支持体２５０Ｇ内へ挿入することができる。次いで、作業者６１（図１及び３を参照）は、支持部材９９０及び摺動部材１０００を調節し、チューブ形状部材１００６の端面１００７を、内側面２５６Ｇに穿孔する４つの孔１０４０（図２６Ｂを参照）のそれぞれにおいて内側面２５６Ｇに接している状態で配置することができる。次いで、留め具Ｆ４及びＦ５（例えば、止めねじ）を締める。ピン１０１０を限度一杯まで孔１０４０（図２６Ｂを参照）内へ滑り込ませ、留め具Ｆ６（例えば、割りピン）で付着させる。支持ブラケット組立体９６０を取り外すには、支持ブラケット組立体９６０が本質的に剛性であり、構成内に固定された状態でとどまるように、留め具Ｆ４及びＦ５（例えば、止めねじ）の全てが完全に締められた状態のままにしてよい。次いで、留め具Ｆ６（例えば、割りピン）及びピン１０１０を取り外し、支持ブラケット組立体９６０を束縛されていない状態にすることができる。
【０１９７】
支持ブラケット組立体９６０を取り外す前に、環状支持体２５０Ｇ内の支持ブラケット組立体９６０の回転位置を識別すること（例えば、フレーム部材９８１〜９８４のうちの１つ及びそのすぐ近くの周囲を吹付塗装することにより）が有益であり得る。これは、システムの位置合わせを行うことなしに支持ブラケット組立体９６０が設置されることを可能にする。
【０１９８】
支持ブラケット組立体９６０は、丈夫であるように構成されてもよい。非限定的な例として、支持ブラケット組立体９６０は、アルミニウム合金、めっき鋼、ステンレス鋼、繊維ガラスなどから作製されてもよい。
【０１９９】
換気パイプ
上述したように、図２１Ｂを参照すると、対流組立体９１４は、換気パイプ４００を含む。例示する実装では、換気パイプ４００は、部位Ｐ１及びＰ２を含む。しかしながら、上述のものなどの代替的な実施形態が使用されてもよい。例示する実装では、換気装置４１０は、部位Ｐ１とＰ２との間に位置決めされている。部位Ｐ１は、先細形状を有してもよく、剛性材料（例えば、金属、繊維ガラス、ＰＶＣなど）から作製されてもよい。
【０２００】
部位Ｐ２は、略円筒形状を有してもよい。例示する実装では、部位Ｐ２は、可撓性であり、任意追加的に、設置、輸送、及び／または取り外しの間圧縮される（または折り畳まれる）ために、折り畳める（または蛇腹のように機能する）ように構成されている。例えば、図２１Ａを参照すると、第２の開放端部４４２をかぎで引っ掛けて（例えば、線または棒に取り付けられたフックを使用して）、第２の開放端部４４２を上向きに持ち上げることにより、部分Ｐ２は、相対的に短い長さに折り畳まれてもよい。部位Ｐ２は、耐薬品性、耐ＵＶ性、耐蒸気性、非導電性、及び／または防水性である丈夫な布（例えば、ネオプレンで塗膜されたポリエステル）から作製されてもよい。部位Ｐ２は、表面３０を横切って引きずられ、表面３０上に落下されることに耐えるのに十分に丈夫であってもよい。
【０２０１】
この実施形態では、図２６Ａを参照すると、第１の開放端部４４０（これは、部位Ｐ１の上方端部上に位置決めされている）は、支持ブラケット組立体９６０（これは、環状支持体２５０Ｇに取り付けられている）に連結されている。例示した実施形態では、第１の開放端部４４０は、（例えば、バンドクランプまたはパイプクランプ１０５０により）支持ブラケット組立体９６０に締め付けられている。
【０２０２】
この実施形態では、部位Ｐ１は、下方フランジ４０２（図８Ａ及び８Ｂを参照）を省略している。同様に、部位Ｐ２は、上方フランジ４０４（図８Ａ及び８Ｂを参照）を省略している。その代わりに、部位Ｐ１の下方端部４０１及び部位Ｐ２の上方端部４０３は、両方とも、換気装置４１０に連結されている。図２１Ｂを参照すると、例示した実施形態では、部位Ｐ１の下方端部４０１は、（例えば、バンドクランプまたはパイプクランプ１０５２により）換気装置４１０に締め付けられてもよく、部位Ｐ２の上方端部４０３は、（例えば、バンドクランプまたはパイプクランプ１０５４により）換気装置４１０に締め付けられてもよい。
【０２０３】
図２１Ａを参照すると、第２の開放端部４４２は、床部５８の近くに（例えば、床部５８から所定の距離に）位置決めされてもよい。この様式で、換気装置４１０は、床部５８の近くで空気を地中箱１２内へ吐出し、かつ／または空気を地中箱１２から除去してもよく、このことは、床部５８の近くの内部雰囲気１０４（図３を参照）の一部分を循環させる。
【０２０４】
上述したように、換気パイプ４００は、１つまたは複数の第２の開口部４４８を含んでもよい。例えば、部位Ｐ２は、壁部（複数可）４３０（図５Ａ、５Ｂ、１９、及び２０を参照）に形成された複数の第２の開口部４４８（例えば、図９Ａに描く孔４４９）を含んでもよい。第２の開口部４４８は、地中箱１２内の水位が上昇するときでさえ換気を可能にするように構成されてもよい。第２の開口部４４８は、均一なサイズ及び形状を有しても良く、または地中箱１２の下方に位置付けられたより大きな孔から空気を引き込む（もしくは空気を押し通す）ために段階的（もしくは多様）であってもよい。さらに、第２の開口部４４８のうちの１つまたは複数は、スリットであってもよく、または水位が上昇するまで閉止されたままにとどまるように構成されたフラップ部（図２０に例示するフラップ部４４７のような）を含んでもよい。
【０２０５】
任意追加的に、換気パイプ４００は、浮遊物組立体４１２（図１２を参照）を含んでもよい。例えば、任意追加的な浮遊物組立体４１２（図１２を参照）のフランジ６８０（図１２を参照）は、部位Ｐ２の上方端部４０３に取り付けられても、またはその近くにあってもよく、蛇腹６８２（図１２を参照）は、部位Ｐ２に沿って下向きに延在してもよい。第２の開放端部４４２は、支持ブロック６８６（図１２を参照）上に位置決めされてもよい。このような実施形態では、１つまたは複数の第２の開口部４４８が、蛇腹６８２内の部位Ｐ２の壁部（複数可）４３０（図５Ａ、５Ｂ、１９、及び２０を参照）に形成されてもよい。図２０を参照すると、１つまたは複数の第２の開口部４４８のそれぞれは、フラップ部４４７を含んでもよい。
【０２０６】
代替的に、図２１Ａを参照すると、浮遊物組立体４１２（図１２を参照）の他のコンポーネントを含まない浮遊物半組立体６８４（図１２を参照）が、第２の開放端部４４２に連結されてもよい。このような実施形態では、第２の開放端部４４２は、支持ブロック６８６（図１２を参照）上に位置決めされない。その代わりに、浮遊物半組立体６８４（図１２を参照）は、地中箱１２内の溢水の高さが変わるにつれて、第２の開放端部４４２を上昇及び下降させる。この様式で、浮遊物半組立体６８４は、少なくとも１つの第２の開口部４４８を水の上方に、かつ地中箱１２の内側の内部雰囲気１０４（図３を参照）と流体連通した状態に、維持する。図２０を参照すると、１つまたは複数の第２の開口部４４８のそれぞれは、フラップ部４４７を含んでもよい。
【０２０７】
図３０を参照すると、換気パイプ４００の貫通チャネル４３２は、所望の量の空気を移動させるのに十分に大きい。他の実施形態と同様に、図２１Ａを参照すると、換気パイプ４００は、地中箱１２内の任意の位置に空気を供給し、かつ／またはそこから空気を除去するように構成されてもよい。例えば、複数の第２の開口部４４８が、換気パイプ４００内に所望の位置に形成されてもよい。
【０２０８】
換気装置組立体
図２１Ａを参照すると、上述したように、換気システム９１０において、換気装置４１０は、図２７に例示する換気装置組立体１１００として実装されてもよい。図２７を参照すると、換気装置組立体１１００は、外部雰囲気１０２（図３を参照）から内部雰囲気１０４（図３を参照）内へ、またはその逆に、空気を吹くように配向され得る。
【０２０９】
図２７に示すように、換気装置組立体１１００は、実質的に中空な外側ハウジング体１１１２及びハウジング蓋１１１４により形成された外側ハウジング１１１０を有する。外側ハウジング体１１１２は、開口した第２の端部１１２２に対向する開口した第１の端部１１２０を有する。図３０を参照すると、開口した第１の端部１１２０及び開口した第２の端部１１２２（図２７及び３０を参照）は、それぞれ、換気パイプ４００に接続され、換気パイプ４００の室内貫通チャネル４３２と流体連通する。開口した第１の端部１１２０は、部位Ｐ１の下方端部４０１の内側に挿入され、パイプクランプ１０５２により下方端部４０１に連結されてもよい。同様に、開口した第２の端部１１２２は、部位Ｐ２の上方端部４０３の内側に挿入され、パイプクランプ１０５４により上方端部４０３に連結されてもよい。例示した実施形態では、外側ハウジング体１１１２は、略円形の断面形状を有する略円筒状の外形を有する。
【０２１０】
図２７を参照すると、例示した実施形態では、ハウジング蓋１１１４は、略平面状であり、リング形状である。ハウジング蓋１１１４は、外側ハウジング体１１１２の開口した第１の端部１１２０に連結され、それを部分的に閉止する。気密シールが、ハウジング蓋１１１４の周縁部１１２６に沿って、ハウジング蓋１１１４と外側ハウジング体１１１２の開口した第１の端部１１２０との間に形成されてもよい。ハウジング蓋１１１４は、中央開口部１１２８を有する。
【０２１１】
内側ハウジング体１１３０が、ハウジング蓋１１１４から外側ハウジング体１１１２内へ延在してもよい。図３０を参照すると、内側ハウジング体１１３０は、ハウジング蓋１１１４の中央開口部１１２８の内側に位置決めされた開口した第１の端部１１３２と、外側ハウジング体１１１２の内側に位置決めされた開口した第１の端部１１３２に対向する開口した第２の端部１１３４とを有する。気密シールが、内側ハウジング体１１３０の開口した第１の端部１１３２とハウジング蓋１１１４との間に、中央開口部１１２８に沿って形成されてもよい。例示した実施形態では、内側ハウジング体１１３０は、略円形の断面形状を有する略円筒状の外形を有する。開口した第１の端部１１３２は、換気パイプ４００の室内貫通チャネル４３２と流体連通する。
【０２１２】
換気装置組立体１１００は、外側ハウジング１１１０の内側に収容されたファン組立体１１４０を有する。ファン組立体１１４０は、内部雰囲気１０４（図３を参照）を外部雰囲気１０２（図３を参照）の一部分で完全に置き換えるために十分な気流を所定量の時間（例えば、１日または１時間）内に生成するように構成されてもよい。図２８を参照すると、ファン組立体１１４０は、ファンハウジング１１４２、蓋１１４４、及び１つまたは複数のファン（複数可）１１５０を含む。
【０２１３】
図３０を参照すると、ファンハウジング１１４２は、外側ハウジング体１１１２の内側に位置決めされ、１つまたは複数の垂直空気チャネル１１５４が、その間に画定されている。図２９を参照すると、例示した実施形態では、ファンハウジング１１４２は、ブラケット１１５６、１１５７、及び１１５８により縁部に沿って互いに連結された実質的に平面状のパネル１１４６、１１４７、及び１１４８（図２８を参照）により画定された略三角形状の断面形状を有する。図３０を参照すると、上述したように、外側ハウジング体１１１２は、円形の断面形状を有してもよい。したがって、例示した実施形態では、ファンハウジング１１４２は、外側ハウジング体１１１２とは異なる断面形状を有する。しかしながら、これは、要件ではない。
【０２１４】
ファンハウジング１１４２は、開口した第２の端部１１６２に対向する開口した第１の端部１１６０を有する。開口した第１の端部１１６０は、ハウジング蓋１１１４のすぐ隣であってもよい。ハウジング蓋１１１４は、換気パイプ４００を通じて換気装置組立体１１００の上方から落下するデブリ及び水からファン（複数可）１１５０を保護または遮蔽する。
【０２１５】
内側ハウジング体１１３０は、開口した第１の端部１１６０を通り、ファンハウジング１１４２の途中まで下向きに延在する。蓋１１４４は、ファンハウジング１１４２の開口した第２の端部１１６２に連結され、それを閉止する。したがって、内部チャンバ１１７０が、ファンハウジング１１４２内に画定されている。外側ハウジング体１１１２は、内側ハウジング体１１３０を越えて延在し、外側ハウジング体１１１２の開口した第２の端部１１２２を蓋１１４４から離れる方向に位置決めする。
【０２１６】
図２９を参照すると、例示した実施形態では、細長棒１１７２〜１１７４が、ハウジング蓋１１１４から下向きに、かつ内部チャンバ１１７０を通って延在する。細長棒１１７２〜１１７４の遠位端１１７６は、蓋１１４４を通過する。留め具Ｆ７（例えば、蝶ナット）が、遠位端１１７６に取り付けられ（例えば、ねじ込まれ）、蓋１１４４を取り外し可能に適所に連結する。
【０２１７】
１つまたは複数の貫通孔１１８０が、ファンハウジング１１４２内で、ファンハウジング１１４２の開口した第１の端部１１６０と開口した第２の端部１１６２との間に形成されている。例示した実施形態では、異なる貫通孔１１８０が、各ファン１１５０のために提供されている。図３０を参照すると、各ファン１１５０は、ファンハウジング１１４２上に装着され、貫通孔（複数可）１１８０を通じて内部チャンバ１１７０内へと（または内部チャンバ１１７０から）空気を吹くように位置決めされている。言い換えれば、図３０を参照すると、ファン（複数可）１１５０は、空気チャネル１１５４と内部チャンバ１１７０との間の空気交換を成し遂げる。この空気交換は、内側ハウジング体１１３０の開口した第２の端部１１３４内へ（または開口した第２の端部１１３４から）空気を流れさせ、このことは、内側ハウジング体１１３０と換気パイプ４００の室内貫通チャネル４３２との間の空気交換を引き起こす（内側ハウジング体１１３０の開口した第１の端部１１３２を介して）。
【０２１８】
ファン組立体１１４０が地中箱１２（図１、３〜４Ｂ、９Ａ、１８、１９、２１Ａ、２１Ｂ、２６Ａ、及び３２を参照）内へと空気を吹くとき、その空気は、外部雰囲気１０２（図３を参照）から、マンホール蓋２３０Ｇ（図２１Ａ〜２２Ｂ、３１、及び３２を参照）を通り、換気パイプ４００（例えば、部位Ｐ１）内へ移動する。次に、空気は、内側ハウジング体１１３０の開口した第１の端部１１３２に進入し、内側ハウジング体１１３０を通って流れ、そこから退出して内部チャンバ１１７０内に入る。ファン（複数可）１１５０は、貫通孔（複数可）１１８０を通じて空気を吹き、空気は、内部チャンバ１１７０から、空気チャネル１１５４を通り、外側ハウジング体１１１２の開口した第２の端部１１２２を出る。開口した第２の端部１１２２（図２７及び３０を参照）を退出する空気は、換気パイプ４００に（例えば、部位Ｐ２の上方端部４０３内に）進入する。図２１Ｂを参照すると、換気パイプ４００は、気流を第２の開口部４４８に案内し、気流は、第２の開口部４４８を介して地中箱１２に進入する。
【０２１９】
他方、図２１Ａを参照すると、ファン組立体１１４０（図２８及び３０を参照）が地中箱１２の主チャンバ５２から空気を（排気として）吹いているとき、主チャンバ５２の内側の内部雰囲気１０４（図３を参照）の一部分（「排出空気」）が、換気パイプ４００の第２の開口部４４８内へ引き入れられる。図３０を参照すると、排出空気は、換気パイプ４００から外側ハウジング体１１１２の開口した第２の端部１１２２内へ流入し（例えば、部位Ｐ２の上方端部４０３を介して）、空気チャネル１１５４を通って移動し、ファン（複数可）１１５０により吹かれて貫通孔１１８０を通り内部チャンバ１１７０内に入る。次に、排出空気は、内側ハウジング体１１３０の開口した第２の端部１１３４に進入し、内側ハウジング体１１３０を通って流れ、内側ハウジング体１１３０の開口した第１の端部１１３２を退出して、換気パイプ４００に入る（例えば、部位Ｐ１の下方端部４０１に入る）。その点から、図２１Ａを参照すると、排出空気は、マンホール蓋２３０Ｇを通って移動し、外部雰囲気１０２（図３を参照）に入る。
【０２２０】
図３０を参照すると、例示する換気装置組立体１１００は、地中箱１２（図１、３〜４Ｂ、９Ａ、１８、１９、２１Ａ、２１Ｂ、２６Ａ、及び３２を参照）が少なくとも部分的に水で満たされているときファン（複数可）１１５０を保護するのを助ける潜水鐘を実装するとして特徴付けられ得る。外側ハウジング体１１１２の内側の空気は、内側ハウジング体１１３０または外側ハウジング体１１１２の開口した第２の端部１１２２のいずれかを通じて、外側ハウジング体１１１２から退出し得る。したがって、外側ハウジング体１１１２の開口した第２の端部１１２２及び内側ハウジング体１１３０の開口した第２の端部１１３４の両方が水中に没するとき、ハウジング蓋１１１４、内側ハウジング体１１３０、及び外側ハウジング体１１１２の間にせき止められたいかなる空気も換気装置組立体１１００の内側から漏れ出ることはできない。洪水の場合には、内側ハウジング体１１３０の開口した第２の端部１１３４はファン（複数可）１１５０の下方に位置決めされているため、ファン（複数可）１１５０は、せき止められた空気内に位置付けられ、完全に水没することから保護される。したがって、換気装置組立体１１００を実装するために高価な水中ファンは必要ではない。また、洪水事象の間、水が換気装置組立体１１００に到達したときファン（複数可）１１５０を停止するために複雑な制御システムは必要ではない。
【０２２１】
換気装置組立体１１００は複数のファン１１５０を含むとして例示されているものの、一部の実装は、単一のファンを含んでもよい。さらに、各ファン１１５０は翼（またはプロペラ）を使用して空気を動かす軸流ファンであるとして例示されているものの、代替的な種類のファン（例えば、遠心ファン、ラジアルファン、インラインラジアルファンなど）が使用されてもよい。ファン（複数可）１１５０は、地中箱１２（図１、３〜４Ｂ、９Ａ、１８、１９、２１Ａ、２１Ｂ、２６Ａ、及び３２を参照）の内側の運転環境（これには、水、塩、蒸気、凍結温度、石油化学製品への曝露、耐用年数、火花無しモータ、防爆性などが挙げられる）との適合性に基づいて選択され得る。ファン（複数可）１１５０は、ＩＰ５５等級、防塵性、及び／または防噴流性であってもよい。少なくとも所定の持続期間（例えば、約５０，０００時間）の動作寿命を有するように、かつ／または所定の温度範囲内（例えば、約−３０℃〜約８０℃）で動作するように構成されたファンによりファン（複数可）１１５０を実装することが望ましい場合がある。
【０２２２】
ファン（複数可）１１５０は、交流（「ＡＣ」）により動力供給され得る。非限定的な例として、ファン（複数可）１１５０は、１００ＶＡＣ〜１２０ＶＡＣ、２００ＶＡＣ〜２４０ＶＡＣ、または４４０ＶＡＣ〜４８０ＶＡＣの電圧範囲内で動作するように構成され得る。ファン組立体１１４０が複数のファン１１５０を含む場合、それらは、交流（「ＡＣ」）により並列して動力供給される冗長ファンとして実装され得る。代替的に、直流（「ＤＣ」）または三相ＡＣ電力を使用してファン（複数可）１１５０に動力供給してもよい。
【０２２３】
図３１を参照すると、電力は、電源への接続１１９０により換気装置組立体１１００に供給され得る。電源は、１２０ＶＡＣ、２４０ＶＡＣ、または４８０ＶＡＣを供給するように構成され得るケーブル１１０（図３、２１Ａ、及び３２を参照）であってもよい。このような実装では、接続１１９０は、ケーブル１１０（図３、２１Ａ、及び３２を参照）に対する継ぎ目１１９４またはケーブル１１０の横側に位置決めされた誘導コイルを含んでもよい。代替的に、図２１Ａを参照すると、地中箱１２が壁部プラグ／差込口１１９２を含む場合、接続１１９０（図２１Ｂ及び３１を参照）は、単純に、プラグ／差込口１１９２と噛み合い、プラグ／差込口１１９２から電力を受け取るように構成されたプラグを有する従来の電源コードを含んでもよい。別の非限定的な例として、図２１Ｂを参照すると、地中箱１２内で供給電圧が利用可能でない場合、接続１１９０は、寄生電力を引き込んでもよい。任意追加的に、図３２を参照すると、誘導充電板１１９３が地中箱１２内に（例えば、床部５８上に）設置されてもよく、接続１１９０（図２１Ｂ及び３１を参照）は、誘導充電板１１９３から電力を受け取るように構成されたアンテナ１１９５を含んでもよい。アンテナ１１９５は、（例えば、換気パイプ４００に沿って）換気装置組立体１１００から誘導充電板１１９３に向かって延在してもよい。外側ハウジング体１１１２（図２７、３０、及び３１を参照）は、接続１１９０（図２１Ｂ及び３１を参照）のための接続点を提供してもよい。
【０２２４】
図３１に例示する実施形態では、ファン（複数可）１１５０（図２８〜３０及び３３を参照）は、外側ハウジング体１１１２から外向きに延在し、プラグまたは電源差込口１１９７で終端する電線またはコード１１９６に接続され、それを介して電力を受け取る。代替的に、コード１１９６は、外側ハウジング体１１１２の内側に収容されてもよく、電源差込口１１９７は、外側ハウジング体１１１２上に装着されてもよい。接続１１９０は、電源差込口１１９７と噛み合い、電源差込口１１９７に電力を供給するように構成されたプラグ１１９８を有する。接続１１９０は、図２１Ａに示すケーブル１１０に接続された継ぎ目１１９４から電力を受け取る。
【０２２５】
図３１を参照すると、作業者６１（図１及び３を参照）は、接続１１９０のプラグ１１９８を電源差込口１１９７に手動で接続し得る。任意追加的に、プラグ１１９８及び電源差込口１１９７のうちの一方または両方は、それらの間の接続を維持するのを助け、かつこれら２つのコンポーネントを互いに接続するのを促進するために、磁性であってもよい。
【０２２６】
図３２は、地中箱１２内に設置される換気システム９１０を例示する。この図に示すように、換気システム９１０を使用して、近隣の地中箱１４及び１６から（管路２０Ａ〜２０Ｃを介して）空気を引き入れ、かつ／または近隣の地中箱１４及び１６内に（管路２０Ａ〜２０Ｃを介して）空気を押し入れてもよい。したがって、マンホール事象を低減するために、換気システム９１０がシステム（例えば、図１に例示するシステム１０）内の全ての地中箱内に設置される必要はない。１つまたは複数の第２の開口部４４８が、管路２０Ａ〜２０Ｃの近くに位置決めされ得る。例えば、管路２０Ａ〜２０Ｃは、それぞれ地中箱１２内への１つまたは複数の開口部１１９９を有し得、１つまたは複数の第２の開口部４４８は、管路２０Ａ〜２０Ｃのうちの１つまたは複数の開口部（複数可）１１９９の近くに位置決めされ得る。
【０２２７】
図２１Ａを参照すると、換気システム９１０の換気装置４１０は換気装置組立体１１００（図２７及び３０〜３２を参照）により実装されるとして例示されているものの、換気装置４１０は、代替的に、インラインヒーター５００（図８Ａ、８Ｂ、９Ａ、及び１３Ａ〜１３Ｃを参照）またはインラインファン５５０（図１４Ａ〜１４Ｃを参照）により実装されてもよい。さらなる非限定的な例として、換気装置４１０は、強制対流装置、動力付き蛇腹、コンプレッサ、ピストンポンプ、ピストン換気装置、インラインポンプ、ファン、送風機、カートリッジヒーター、コイルヒーター、または変圧器、発電機、コンプレッサなどのパッシブ暖房を提供するように構成された発熱装置として実装されてもよい。２種類以上の対流装置（例えば、インラインファン５５０及びインラインヒーター５００の両方）を用いる冗長システムが特にクリティカルな用途において有利であり得ることも企図されている。さらに、同種類の２つ以上の対流装置が使用されてもよい。
【０２２８】
換気装置組立体１１００（図２７及び３０〜３２を参照）は換気システム９１０のコンポーネントであるとして例示されているものの、換気装置組立体１１００は、代替的に、図４Ａに例示する換気システム２１０の換気装置４１０または図１８に例示する換気システム７１０を実装するために使用されてもよい。
【０２２９】
任意追加的なデブリキャッチャー
図３３を参照すると、任意追加的なデブリキャッチャー１２００が、内側ハウジング体１１３０に連結され、内側ハウジング体１１３０の開口した第２の端部１１３４から落下するデブリを受け止めるように位置決めされてもよい。デブリキャッチャー１２００は、表面３０（図１、３〜６Ｃ、９Ａ、９Ｂ、１８、１９、２１Ａ、２６Ａ、及び３２を参照）から換気システム９１０（図２１Ａ、２１Ｂ、及び３２を参照）に進入する汚物、ごみ、及び他のデブリを受け止め、貯蔵するように構成されている。例示した実施形態では、デブリキャッチャー１２００は、略バケツ形状であり、閉止した第２の端部１２０６に対向する開口した第１の端部１２０４を有する。開口した第１の端部１２０４は、内側ハウジング体１１３０の開口した第２の端部１１３４から落下するデブリを受容するように位置決めされている。デブリキャッチャー１２００は、デブリキャッチャー１２００を内側ハウジング体１１３０に取り外し可能に連結する留め具Ｆ８（留め具）を受容するように構成された貫通孔１２１０を含んでもよい。作業者６１（図１及び３を参照）は、換気装置組立体１１００が地中箱１２（図１、３〜４Ｂ、９Ａ、１８、１９、２１Ａ、２１Ｂ、２６Ａ、及び３２を参照）から取り外されるたびに、デブリキャッチャー１２００を空にし得る。
【０２３０】
実験
第１の一連の実験では、以下のように、シミュレートされたマンホール地中箱から汚染されたガス組成物を取り除く能力に関して、いくつかの通気孔付きマンホール蓋の構成を評価した。
【０２３１】
試験装置
典型的なマンホール地中箱をシミュレートする試験装置をまず製作した。これを、概略的な様式で図３４に示す。この図は、後述する組立体４と同様に、加熱排気パイプ及びマニホールドが用いられる場合を例示する。２０インチ（５０．８ｃｍ）の直径を有し、その中に全ての軸が平行な稠密構成で配設された複数の直径２インチ（５．０８ｃｍ）の紙チューブ１２３を含む第１のダクト１１９を備えた風洞１１８を、高さ２フィートのマンホール試験チャンバ１２２の入口側に接続した。大きな左向きの矢印により表されるように、空気を可変速度ファン１２１により第１のダクト１１９を強制通過させた。同じく小型管１２３を含む類似の第２のダクト１２０を、試験チャンバ１２２の出口側に接続した。それぞれの場合に、管１２３は、チャンバ１２２内の本質的な層流を保証した。試験チャンバ１２２を、幅４フィート、長さ４フィート、及び高さ８フィートの寸法を有する合板のマンホール地中箱２００の上に装着し、ガスが無制御な様式で漏れ出ることを防止するために、接合箇所をコーキング材及びテープで被覆した。
【０２３２】
ファン１２１からの気流は、直径３２インチ（８１．２８ｃｍ）の試験用マンホール蓋２０１の面上を通るシミュレートされた風を提供し、試験用マンホール蓋２０１は、試験チャンバ１２２の底部の開口部内の出張り上に載っていた。一部の実験では、４"のＳｃｈ．１０のスチール排気パイプ１４０の第１の端部１４０'を試験用マンホール蓋２０１の対応するポートに封止可能に接続した（すなわち、直接的に、または例示するマニホールドを用いてのいずれかで）。使用する場合、排気パイプ１４０には、インラインヒーター１５０を提供するために、実質的にその全長に沿って電気加熱テープを巻いた（繊維ガラス断熱材のオーバーレイヤ（図示せず）と共に）。管１４０の第２の（取り入れ）端部１４０' 'を、地中箱２００の床部２０８から約９インチ（２２．８６ｃｍ）上方に位置決めした。地中箱２００の底部近くの直径４インチ（１０．１６ｃｍ）のガス導入パイプ１２４を使用して、空気より重いガス組成物を地中箱内に導入した。床面高さに装着されたヘリウム−ネオンレーザー源１２６と、地中箱２００の天井の近くに装着され、レーザー源１２６に位置合わせされた照度計１２８とを用いて、このシミュレートされた汚染物質の濃度を定量的に監視した。
【０２３３】
手順
様々なマンホール蓋設計の換気効率を評価するために、上記のマンホール地中箱２００を空気より重いガス組成物で満たし、地中箱からこの組成物の本質的に全てを取り除くために必要とされる時間を、異なるシミュレートした風条件下で決定した。最短の清澄化時間が最も好ましい。これらの試験では、ガス組成物は、グリコールと水との溶液から作製された市販の「Ｈａｌｌｏｗｅｅｎ  Ｆｏｇ」からなり、これをメーカーの指示に従って市販の家庭用煙霧機によりガス導入パイプ１２４を介して供給した。典型的な試験の間、照度計１２８の電圧出力信号をデータ取得ユニットにより連続的に記録した。この値は、煙霧濃度に逆比例し、大気透明度に正比例した。煙霧が清澄化するにつれて、この信号は、次第に増大し、ついに約１０分間のあいだ最大示度で安定した。これを清澄な地中箱状態と呼び、これを視覚的にも確認した。上記の装置を使用して、４つの異なるマンホール蓋組立体構成を地中箱清澄化時間に関して評価した。各マンホール蓋は、試験対象の特定の設計の木製モックアップであった。
組立体１（対照）は、ＮＹのＣｏｎＥｄにより用いられている従来の通気孔付きマンホール蓋７０である（背景技術を参照）。図２に示すように、この蓋７０は、その外周の近くに周方向に３０度毎に配設された１２個の換気孔７２を有し、１２個のこのような孔７２が、蓋の中心のより近くに同様に３０度毎に配設されていた。各孔７２は、１  １／８インチ（０．３１７５ｃｍ）の直径を有していた。この対照は、マニホールド、排気パイプ１４０、またはヒーター１５０を含んでいなかった。
【０２３４】
組立体２は、組立体１と同じであったが、マンホール蓋７０の下側に取り付けられたマニホールドに接続された加熱排気パイプ（すなわち、管１４０及びヒーター１５０）を含み、マニホールドは、図２に示す内孔７２を包囲していた。
【０２３５】
組立体３は、本質的には図１０Ａ〜１０Ｆに描く設計（すなわち、マンホール蓋２３０Ｆ、丸型換気孔キャップ６５２Ｆ、及び排気流路キャップ２８０を含む）であり、ヒーター１５０を有する排気パイプ１４０も含んでいた。
【０２３６】
組立体４は、本質的には図８Ａ〜８Ｉに描く設計（すなわち、マンホール蓋２３０Ｄ、換気孔キャップ６５２Ｄ、及び排気孔キャップ６５３Ｄを含む）であり、加熱排気パイプも含んでいた。
【０２３７】
排気パイプ１４０が試験対象のマンホール蓋に流体接続される実験では、上述のように繊維ガラスのブランケット断熱材でオーバーレイされた排気パイプ１４０の周囲に巻かれた加熱ケーブル（ヒーター１５０）に１１０Ｖの電流を通すことにより、排気パイプ１４０を加熱した。各試験を開始する前に、管の温度を、周囲温度より３０℃高く制御した。
【０２３８】
様々な風速における上記組立体の人工煙霧の取り除き効率の評価結果を図３５に示す。図３５では、以下の記号、すなわち×＝組立体１、◆＝組立体２、■＝組立体３、及び●＝組立体４が使用されている。この図から、組立体１（加熱管のない対照の通気孔付きマンホール蓋）は、風速が増大されるとき、評価対象の他のシステムより短時間で地中箱を清澄化することができる場合があるものの、本発明による加熱管も用いた全ての組立体は、静止空気（すなわち、風速＝０）において著しくより短い清澄化時間を提供したことが分かる。マンホール蓋の第１の好ましい実施形態による組立体４は、対照の「静止空気」清澄化時間の約半分の「静止空気」清澄化時間を有していたことが特に注目される。
【０２３９】
上記のレーザー源１２６及び照度計１２８が空気より重いガスの濃度の信頼性ある測定値を提供したことの確認として、試験ガスとしてアルゴンを使用する別個の評価を行い、酸素の濃度を地中箱内の様々な点に配置された電子酸素センサで検出した。これらの試験では、排気パイプ１４０は加熱せず、蓋組立体２の開口部を最初にテープで被覆した。酸素濃度が床部から約１インチ（２．５４ｃｍ）上方の壁部上に装着されたセンサで２容積パーセント未満になるまで、アルゴンをガス導入パイプ１２４を通じて地中箱２００内にフィードした。試験のゼロ時間では、試験用マンホール蓋は封止されず（すなわち、マンホール蓋の全ての孔からテープが取り外されていた）、換気システムが噛み合っていた。酸素濃度がチャンバの外側の大気と一致する２０．９％に到達したとき、試験を終了した。図３６は、組立体２の蓋を使用してアルゴンガス（▲）及び上記の煙霧（■）に関して清澄化時間を比較したものである。２つの試験の傾向は類似しているが、外部風のないアルゴンの清澄化時間は、煙霧試験のそれよりもやや長く、空気より重いガスを無風環境で除去することの難しさをこの場合も証明していることが分かる。これらの評価は、人工煙霧がアルゴン及び他の空気より重いガスに代わる良好な代用物であることを確認するものである。
【０２４０】
第２の一連の実験では、上記の合板のマンホール地中箱２００に、図２に示す通気孔付きマンホール蓋７０に類似しているが、すでに存在する２４個の１  １／８インチ（０．３１７５ｃｍ）孔に加えて直径４インチ（１０．１６ｃｍ）の中央孔を有する木製の試験用マンホール蓋を取り付けた。蓋を２つの半円形の半分に切断し、蓋の２つの半分を互いに押圧するとき、図１３Ａ〜１３Ｃに示す各端部にフランジを有する長さ２フィートの加熱（及び断熱）アルミニウムパイプ切片（すなわち、インラインヒーター５００）を中央孔内で締め付けることができるようにした。したがって、インラインヒーター５００を、その上部フランジにより蓋から支持した。様々な長さを有する直径４インチ（１０．１６ｃｍ）のＰＶＣ排気パイプ切片を、インラインヒーター５００の下方フランジに接続し、地中箱２００内で中心に位置させ、排気パイプ入口の地中箱２００の床部２０８上の高さが下表１の左列に表示される値に設定された組立体を提供した。この表では、床上「ゼロ」の高さは、取入口端部１４０"が床部２０８上に載っていることを表し、排気パイプ１４０の荒切りのため、この端部と床部との間にガスのための約１／１６インチ（０．１５８７５ｃｍ）の空隙が残っていた。地中箱の床部上に様々な位置に配置された拡散器にガスを分配するチューブを介して、地中箱内へのアルゴンガスの導入のための準備をした。燃料電池ベースの酸素センサ（等級Ｒ−１７Ｓ、Ｔｅｌｅｄｙｎｅ  Ａｎａｌｙｔｉｃａｌ  Ｉｎｓｔｒｕｍｅｎｔｓ）を地中箱の隅に床面高さから約１インチ（２．５４ｃｍ）上方に配置し、そこからの信号を、酸素濃度を表示する酸素メータ（ＭｉｎｉＯｘ（登録商標）Ｉ、ＭＳＡ  Ｍｅｄｉｃａｌ  Ｐｒｏｄｕｃｔｓ）に直接方向付けた。ウェブカメラが、酸素メータの示度を毎秒記録し、得られたビデオをコンピュータに保存した。
【０２４１】
典型的な手順では、特定の長さの排気パイプをインラインヒーターに取り付け、以下のように試験した。地中箱を閉止し、インラインヒーター５００の温度を６０℃に設定及び維持し、ウェブカメラを電源投入した。これら全ての試験は、上記のシミュレートされた風なしに（すなわち、試験用マンホール蓋の上方の静止空気がある状態で）行った。酸素センサが≦１．５％の酸素を表示するまでアルゴンを地中箱内にフィードし、ガス流を止め、換気試験を開始した（時間＝０）。センサにより表示される酸素濃度が少なくとも２０．５％に到達するまで排気パイプ／インラインヒーターの組み合わせによる地中箱２００の換気を継続し、その後、ウェブカメラのビデオを手動で上映し、データを１５分毎に転記した。様々な長さの排気パイプを使用するこれらの換気試験に加えて、インラインヒーターのみをマンホール蓋から懸架したがマンホール蓋を加熱しなかった２つの対照試験も行った。第１の対照（ＣＯ）では、マンホール蓋の中央孔を閉塞した一方、２４個のより小さい孔は開口したままであった。この構成は、ＣｏｎＥｄにより用いられている上記の通気孔付きマンホール蓋に類似している。第２の対照（ＣＣ）では、中央孔及び全てのより小さい孔の両方をゴムマットで被覆した。
【０２４２】
試験した各パイプ長について、及び２つの対照について、酸素濃度を時間の関数としてプロットした。試験の終了点は、酸素濃度が２０．５％超であり、かつ濃度−時間曲線の導関数が本質的にゼロである時であった。このようにして得られた換気結果を、次いで、試験した各条件の濃度−時間曲線の下の算出された面積に基づいて順位付けし、オープン対照（ＣＯ）結果を比較の基礎とした。したがって、（ＣＯ）対照曲線の下の面積の、所与の排気パイプ長に関する曲線の下の面積に対する比率を算出し、「清澄化比率」と呼んだ。この比率は、表１の右列に報告されており、より高い値が、地中箱の下方領域からの空気より重いアルゴンのより効果的な除去を表している。オープン対照（ＣＯ）の清澄化比率が定義上１．００であることは明らかであろう。
【０２４３】
表１から、アルゴンを最も効果的に取り除くための好ましいパイプ入口高さは床から６インチ（１５．２４ｃｍ）であり、好ましい範囲は床から０〜３６インチ（９１．４４ｃｍ）であり、清澄化比率は１（すなわち、オープン対照）より大きいことが分かる。驚くべきことに、排気パイプ入口が床面高さから４８〜７２インチ（１２１．９２〜１８２．８８ｃｍ）上方である換気システムはオープン対照より効率性が低く、一部の換気システムは実際は空気より重いガスの換気を妨げることを示した。
【表１】
2018520279.tif 000003
【０２４４】
上記の実施形態は、異なる他のコンポーネント内に収容された、または異なる他のコンポーネントに接続された、異なるコンポーネントを描いている。このような描かれているアーキテクチャは単なる例示であり、実際は、同じ機能を達成する多数の他のアーキテクチャが実装され得ることが理解されるべきである。概念的な意味では、同じ機能を達成するためのコンポーネントのいかなる配置も、所望の機能が達成されるように事実上「関連付けられて」いる。ゆえに、特定の機能を達成するために本明細書において組み合わせられた全ての２つのコンポーネントは、アーキテクチャまたは中間コンポーネントにかかわらず、所望の機能が達成されるように互いに「関連付けられている」とみなすことができる。同様に、そのように関連付けられている全ての２つのコンポーネントは、所望の機能を達成するために互いに「動作可能に接続されている」または「動作可能に連結されている」とみなすこともできる。
【０２４５】
本発明の特定の実施形態を示し、説明してきたものの、本明細書中の教示に基づき本発明及びその広範な態様から逸脱することなしに変更及び改変がなされ得ること、ならびに、したがって添付請求項は本発明の趣旨及び範囲内に属する全てのそのような変更及び改変をその範囲内に包含することが、当業者には自明であるであろう。さらに、本発明は添付請求項のみにより画定されることが理解されるべきである。一般的に、本明細書及びとりわけ添付請求項（例えば、添付請求項の本文）において使用されている用語は、概して「オープンな」用語として意図されていることが当業者により理解されるべきである（例えば、「を含む（ｉｎｃｌｕｄｉｎｇ）」という用語は、「を含むがそれには限定されない（ｉｎｃｌｕｄｉｎｇ  ｂｕｔ  ｎｏｔ  ｌｉｍｉｔｅｄ  ｔｏ）」として解釈されるべきであり、「を有する（ｈａｖｉｎｇ）」という用語は、「を少なくとも有する（ｈａｖｉｎｇ  ａｔ  ｌｅａｓｔ）」として解釈されるべきであり、「を含む（ｉｎｃｌｕｄｅｓ）」という用語は、「を含むがそれには限定されない（ｉｎｃｌｕｄｅｓ  ｂｕｔ  ｉｓ  ｎｏｔ  ｌｉｍｉｔｅｄ  ｔｏ）」として解釈されるべきであるなど）。さらに、導入する請求項列挙項目について特定の数が意図される場合、そのようの意図は請求項内に明示的に記載されることになり、そのような記載がなければそのような意図は存在しないことが当業者により理解されるべきである。例えば、理解の助けとして、以下の添付請求項は、請求項列挙項目を導入するための「少なくとも１つ（ａｔ  ｌｅａｓｔ  ｏｎｅ）」及び「１つまたは複数（ｏｎｅ  ｏｒ  ｍｏｒｅ）」という導入文言の使用を含んでいる場合がある。しかしながら、そのような文言の使用は、同じ請求項が「１つまたは複数（ｏｎｅ  ｏｒ  ｍｏｒｅ）」または「少なくとも１つ（ａｔ  ｌｅａｓｔ  ｏｎｅ）」という導入文言ならびに「ａ」または「ａｎ」などの不定冠詞を含むときでさえ、不定冠詞「ａ」または「ａｎ」による請求項列挙項目の導入は、そのように導入される請求項列挙項目を含むいずれかの特定の請求項を、そのような列挙項目を１つだけ含む発明に限定することを含意すると解釈されるべきではない（例えば、「ａ」及び／または「ａｎ」は、典型的に「少なくとも１つ（ａｔ  ｌｅａｓｔ  ｏｎｅ）」または「１つまたは複数（ｏｎｅ  ｏｒ  ｍｏｒｅ）」を意味すると解釈されるべきである）。同じことは、請求項列挙項目を導入するために使用される定冠詞の使用にも当てはまる。加えるに、たとえ導入する請求項列挙項目について特定の数が明示的に記載されていても、そのような記載は典型的に少なくともその記載されている数を意味すると解釈されるべきであることを当業者は認識するであろう（例えば、「２つの列挙項目（ｔｗｏ  ｒｅｃｉｔａｔｉｏｎｓ）」という、他の修飾語句を含まない裸形の列挙は、典型的に少なくとも２つの列挙項目、または２つ以上の列挙項目を意味する。）。
【０２４６】
それゆえに、本発明は、添付請求項による場合を除き、限定されない。
【図１】
2018520279.tif 000004
【図２】
2018520279.tif 000005
【図３】
2018520279.tif 000006
【図４Ａ】
2018520279.tif 000007
【図４Ｂ】
2018520279.tif 000008
【図５Ａ】
2018520279.tif 000009
【図５Ｂ】
2018520279.tif 000010
【図５Ｃ】
2018520279.tif 000011
【図６Ａ】
2018520279.tif 000012
【図６Ｂ】
2018520279.tif 000013
【図６Ｃ】
2018520279.tif 000014
【図７】
2018520279.tif 000015
【図８Ａ】
2018520279.tif 000016
【図８Ｂ】
2018520279.tif 000017
【図８Ｃ】
2018520279.tif 000018
【図８Ｄ】
2018520279.tif 000019
【図８Ｅ】
2018520279.tif 000020
【図８Ｆ】
2018520279.tif 000021
【図８Ｇ】
2018520279.tif 000022
【図８Ｈ】
2018520279.tif 000023
【図８Ｉ】
2018520279.tif 000024
【図９Ａ】
2018520279.tif 000025
【図９Ｂ】
2018520279.tif 000026
【図１０Ａ】
2018520279.tif 000027
【図１０Ｂ】
2018520279.tif 000028
【図１０Ｃ】
2018520279.tif 000029
【図１０Ｄ】
2018520279.tif 000030
【図１０Ｅ】
2018520279.tif 000031
【図１０Ｆ】
2018520279.tif 000032
【図１０Ｇ】
2018520279.tif 000033
【図１１Ａ】
2018520279.tif 000034
【図１１Ｂ】
2018520279.tif 000035
【図１１Ｃ】
2018520279.tif 000036
【図１２】
2018520279.tif 000037
【図１３Ａ】
2018520279.tif 000038
【図１３Ｂ】
2018520279.tif 000039
【図１３Ｃ】
2018520279.tif 000040
【図１４Ａ】
2018520279.tif 000041
【図１４Ｂ】
2018520279.tif 000042
【図１４Ｃ】
2018520279.tif 000043
【図１５】
2018520279.tif 000044
【図１６】
2018520279.tif 000045
【図１７Ａ】
2018520279.tif 000046
【図１７Ｂ】
2018520279.tif 000047
【図１７Ｃ】
2018520279.tif 000048
【図１８】
2018520279.tif 000049
【図１９】
2018520279.tif 000050
【図２０】
2018520279.tif 000051
【図２１Ａ】
2018520279.tif 000052
【図２１Ｂ】
2018520279.tif 000053
【図２２Ａ】
2018520279.tif 000054
【図２２Ｂ】
2018520279.tif 000055
【図２３】
2018520279.tif 000056
【図２４】
2018520279.tif 000057
【図２５】
2018520279.tif 000058
【図２６Ａ】
2018520279.tif 000059
【図２６Ｂ】
2018520279.tif 000060
【図２７】
2018520279.tif 000061
【図２８】
2018520279.tif 000062
【図２９】
2018520279.tif 000063
【図３０】
2018520279.tif 000064
【図３１】
2018520279.tif 000065
【図３２】
2018520279.tif 000066
【図３３】
2018520279.tif 000067
【図３４】
2018520279.tif 000068
【図３５】
2018520279.tif 000069
【図３６】
2018520279.tif 000070
【国際調査報告】
2018520279.tif 000071
2018520279.tif 000072